(57)【要約】  本発明はデータの伝送方法、端末機器およびネットワーク機器を開示する。当該方法は、第１の端末機器が前記データ伝送用の伝送帯域を指示するための、ネットワーク機器により送信された指示情報を受信するステップと、前記第１の端末機器が前記伝送帯域に基づき、前記データ伝送用の基本パラメータセットを決定するステップと、前記第１の端末機器が前記基本パラメータセットに基づき、前記伝送帯域で前記ネットワーク機器へ前記データを送信し、或いは前記ネットワーク機器が送信した前記データを受信するステップと、を含む。従って、本発明に係る方法、端末機器およびネットワーク機器は、異なる伝送帯域に基づくデータ伝送に対して異なる基本パラメータセットを用いてスケジューリングすることを実現でき、制御シグナリング設計の柔軟性を増加させる。また、端末機器は、ネットワーク機器が送信した、現在のデータ伝送に使用される当該基本パラメータセットを指示する情報を受信する必要がないため、ダウンリンクシグナリングのオーバーヘッドを省くことができる。
2019530991.tif 000002
【特許請求の範囲】
【請求項１】
データの伝送方法であって、
第１の端末機器が前記データ伝送用の伝送帯域を指示するための、ネットワーク機器により送信された指示情報を受信するステップと、
前記第１の端末機器が前記伝送帯域に基づき、前記データ伝送用の基本パラメータセットを決定するステップと、
前記第１の端末機器が前記基本パラメータセットに基づき、前記伝送帯域で前記ネットワーク機器へ前記データを送信し、或いは前記ネットワーク機器が送信した前記データを受信するステップと、
を含むことを特徴とするデータの伝送方法。
【請求項２】
前記第１の端末機器が前記伝送帯域に基づき、前記データ伝送用の基本パラメータセットを決定する前に、前記方法はさらに、
前記第１の端末機器が、前記ネットワーク機器がブロードキャストした、伝送帯域と基本パラメータセットとの間の第１の対応関係を含む設定情報を受信するステップを含み、
前記第１の端末機器が前記伝送帯域に基づき、前記データ伝送用の基本パラメータセットを決定するステップは、
前記第１の端末機器が前記伝送帯域、および伝送帯域と基本パラメータセットとの間の前記第１の対応関係に基づき、前記データ伝送用の基本パラメータセットを決定するステップを含む、
ことを特徴とする請求項１に記載の方法。
【請求項３】
前記設定情報はさらに、前記設定情報の持続時間を含むことを特徴とする請求項２に記載の方法。
【請求項４】
前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含むことを特徴とする請求項２または３に記載の方法。
【請求項５】
前記設定情報はさらに、基本パラメータセットとフィルタリング方式との間の第２の対応関係を含み、前記第１の端末機器が前記伝送帯域に基づき、前記データ伝送用の基本パラメータセットを決定した後、前記方法はさらに、
前記第１の端末機器が前記基本パラメータセット、および基本パラメータセットとフィルタリング方式との間の前記第２の対応関係に基づき、前記基本パラメータセットに対応するフィルタリング方式を決定するステップを含み、
前記第１の端末機器が前記基本パラメータセットに基づき、前記伝送帯域で前記ネットワーク機器へ前記データを送信し、或いは前記ネットワーク機器が送信した前記データを受信するステップは、
前記第１の端末機器が前記フィルタリング方式に基づいて前記データを処理して、前記基本パラメータセットに基づき、前記伝送帯域で前記ネットワーク機器へ処理済みの前記データを送信するステップ、または
前記第１の端末機器が前記基本パラメータセットに基づき、前記伝送帯域で前記ネットワーク機器が送信した前記データを受信して、前記フィルタリング方式に基づいて受信した前記データを処理するステップを含む、
ことを特徴とする請求項２から４のいずれか１項に記載の方法。
【請求項６】
前記フィルタリング方式は、ベースバンドフィルタのタイプ、前記ベースバンドフィルタのパラメータ、使用したフィルタリング波形および前記フィルタリング波形のパラメータのうちの少なくとも１種を含むことを特徴とする請求項５に記載の方法。
【請求項７】
前記指示情報は、複数の伝送帯域における前記伝送帯域の対応位置の情報を指示し、或いは前記伝送帯域の開始位置および終止位置を指示するために用いられることを特徴とする請求項１から６のいずれか１項に記載の方法。
【請求項８】
前記伝送帯域と前記ネットワーク機器が第２の端末機器に指示する伝送帯域との間は、保護帯域を含むことを特徴とする請求項１から７のいずれか１項に記載の方法。
【請求項９】
前記保護帯域の帯域幅は、前記ネットワーク機器がサポートする最小のサブキャリア間隔の整数倍であることを特徴とする請求項８に記載の方法。
【請求項１０】
前記基本パラメータセットは、サブキャリア間隔を含むことを特徴とする請求項１から９のいずれか１項に記載の方法。
【請求項１１】
データの伝送方法であって、
ネットワーク機器が前記データ伝送用の伝送帯域を決定するステップと、
前記ネットワーク機器が第１の端末機器に、前記伝送帯域を指示することにより、前記第１の端末機器が前記伝送帯域に基づき、前記データ伝送用の基本パラメータセットを決定するための指示情報を送信するステップと、
前記ネットワーク機器が前記伝送帯域で前記第１の端末機器が送信した前記データを受信し、或いは前記第１の端末機器へ前記データを送信するステップと、
を含むことを特徴とするデータの伝送方法。
【請求項１２】
前記ネットワーク機器が第１の端末機器に指示情報を送信する前に、前記方法はさらに、
前記ネットワーク機器が伝送帯域と基本パラメータセットとの間の第１の対応関係を決定するステップと、
前記ネットワーク機器が前記第１の対応関係を含む設定情報をブロードキャストすることにより、前記第１の端末機器が前記伝送帯域と前記第１の対応関係に基づいて前記データ伝送用の基本パラメータセットを決定するステップと、
を含むことを特徴とする請求項１１に記載の方法。
【請求項１３】
前記設定情報はさらに、前記設定情報の持続時間を含むことを特徴とする請求項１２に記載の方法。
【請求項１４】
前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含むことを特徴とする請求項１２または１３に記載の方法。
【請求項１５】
前記設定情報はさらに、基本パラメータセットとフィルタリング方式との間の第２の対応関係を含み、それにより前記第１の端末機器が前記基本パラメータセットとフィルタリング方式との間の前記第２の対応関係に基づき、前記データを処理するためのフィルタリング方式を決定し、
前記ネットワーク機器が前記設定情報をブロードキャストする前に、前記方法はさらに、
前記ネットワーク機器が基本パラメータセットとフィルタリング方式との間の前記第２の対応関係を決定することを含む、
ことを特徴とする請求項１２から１４のいずれか１項に記載の方法。
【請求項１６】
前記フィルタリング方式は、ベースバンドフィルタのタイプ、前記ベースバンドフィルタのパラメータ、使用したフィルタリング波形および前記フィルタリング波形のパラメータのうちの少なくとも１種を含むことを特徴とする請求項１５に記載の方法。
【請求項１７】
前記指示情報は、複数の伝送帯域における前記伝送帯域の対応位置の情報を指示し、或いは前記伝送帯域の開始位置および終止位置を指示するために用いられることを特徴とする請求項１１から１６のいずれか１項に記載の方法。
【請求項１８】
前記伝送帯域と前記ネットワーク機器が第２の端末機器に指示する伝送帯域との間は、保護帯域を含むことを特徴とする請求項１１から１７のいずれか１項に記載の方法。
【請求項１９】
前記保護帯域の帯域幅は、前記ネットワーク機器がサポートする最小のサブキャリア間隔の整数倍であることを特徴とする請求項１８に記載の方法。
【請求項２０】
前記基本パラメータセットは、サブキャリア間隔を含むことを特徴とする請求項１１から１９のいずれか１項に記載の方法。
【請求項２１】
前記ネットワーク機器が前記データ伝送用の伝送帯域を決定するステップは、
前記ネットワーク機器が所定の複数の基本パラメータセットから前記データ伝送用の前記基本パラメータセットを決定するステップを含む、
ことを特徴とする請求項１１から２０のいずれか１項に記載の方法。
【請求項２２】
データの伝送方法であって、
ネットワーク機器が使用可能な帯域リソースを少なくとも１つの伝送帯域に区切るステップと、
前記ネットワーク機器が前記少なくとも１つの伝送帯域と少なくとも１つの基本パラメータセットとの間の対応関係を決定するステップと、
前記ネットワーク機器が前記対応関係を含む設定情報をブロードキャストするステップと、
を含むことを特徴とするデータの伝送方法。
【請求項２３】
前記指示情報は、複数の伝送帯域における前記伝送帯域の対応位置の情報を指示し、或いは前記伝送帯域の開始位置および終止位置を指示するために用いられることを特徴とする請求項２２に記載の方法。
【請求項２４】
前記設定情報はさらに、前記設定情報の持続時間を含むことを特徴とする請求項２３に記載の方法。
【請求項２５】
前記少なくとも１つの伝送帯域は、アップリンクデータおよび／またはダウンリンクデータを伝送するために用いられることを特徴とする請求項２２から２４のいずれか１項に記載の方法。
【請求項２６】
前記設定情報はさらに、前記少なくとも１つの基本パラメータセットと少なくとも１種のフィルタリング方式との間の対応関係を含むことを特徴とする請求項２２から２５のいずれか１項に記載の方法。
【請求項２７】
前記フィルタリング方式は、ベースバンドフィルタのタイプ、前記ベースバンドフィルタのパラメータ、使用したフィルタリング波形および前記フィルタリング波形のパラメータのうちの少なくとも１種を含むことを特徴とする請求項２６に記載の方法。
【請求項２８】
前記少なくとも１つの伝送帯域の間は、保護帯域を含むことを特徴とする請求項２２から２７のいずれか１項に記載の方法。
【請求項２９】
前記保護帯域の帯域幅は、前記ネットワーク機器がサポートする最小のサブキャリア間隔の整数倍であることを特徴とする請求項２８に記載の方法。
【請求項３０】
前記基本パラメータセットは、サブキャリア間隔を含むことを特徴とする請求項２２から２９のいずれか１項に記載の方法。
【請求項３１】
端末機器であって、
前記端末機器が第１の端末機器であり、
前記データ伝送用の伝送帯域を指示するための、ネットワーク機器により送信された指示情報を受信するための伝送モジュールと、
前記伝送帯域に基づき、前記データ伝送用の基本パラメータセットを決定するための決定モジュールと、
を含み、
前記伝送モジュールはさらに、前記決定モジュールが決定した前記基本パラメータセットに基づき、前記伝送帯域で前記ネットワーク機器へ前記データを送信し、或いは前記ネットワーク機器が送信した前記データを受信するために用いられる、
ことを特徴とする端末機器。
【請求項３２】
前記決定モジュールが前記伝送帯域に基づき、前記データ伝送用の基本パラメータセットを決定する前に、前記伝送モジュールはさらに、
前記ネットワーク機器がブロードキャストした伝送帯域と基本パラメータセットとの間の第１の対応関係を含む設定情報を受信するために用いられ、
前記決定モジュールは具体的に、
前記伝送帯域、および伝送帯域と基本パラメータセットとの間の前記第１の対応関係に基づき、前記データ伝送用の基本パラメータセットを決定するために用いられる、
ことを特徴とする請求項３１に記載の端末機器。
【請求項３３】
前記設定情報はさらに、前記設定情報の持続時間を含むことを特徴とする請求項３２に記載の端末機器。
【請求項３４】
前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含むことを特徴とする請求項３２または３３に記載の端末機器。
【請求項３５】
前記設定情報はさらに、基本パラメータセットとフィルタリング方式との間の第２の対応関係を含み、前記決定モジュールが前記伝送帯域に基づき、前記データ伝送用の基本パラメータセットを決定した後、前記決定モジュールはさらに、
前記基本パラメータセット、および基本パラメータセットとフィルタリング方式との間の前記第２の対応関係に基づき、前記基本パラメータセットに対応するフィルタリング方式を決定するために用いられ、
前記伝送モジュールは具体的に、
前記フィルタリング方式に基づいて前記データを処理して、前記基本パラメータセットに基づき、前記伝送帯域で前記ネットワーク機器へ処理済みの前記データを送信し、或いは
前記基本パラメータセットに基づき、前記伝送帯域で前記ネットワーク機器が送信した前記データを受信して、前記フィルタリング方式に基づいて受信した前記データを処理するために用いられることを特徴とする請求項３２から３４のいずれか１項に記載の端末機器。
【請求項３６】
前記フィルタリング方式は、ベースバンドフィルタのタイプ、前記ベースバンドフィルタのパラメータ、使用したフィルタリング波形および前記フィルタリング波形のパラメータのうちの少なくとも１種を含むことを特徴とする請求項３５に記載の端末機器。
【請求項３７】
前記指示情報は、複数の伝送帯域における前記伝送帯域の対応位置の情報を指示し、或いは前記伝送帯域の開始位置および終止位置を指示するために用いられることを特徴とする請求項３１から３６のいずれか１項に記載の端末機器。
【請求項３８】
前記伝送帯域と前記ネットワーク機器が第２の端末機器に指示する伝送帯域との間は、保護帯域を含むことを特徴とする請求項３１から３７のいずれか１項に記載の端末機器。
【請求項３９】
前記保護帯域の帯域幅は、前記ネットワーク機器がサポートする最小のサブキャリア間隔の整数倍であることを特徴とする請求項３８に記載の端末機器。
【請求項４０】
前記基本パラメータセットは、サブキャリア間隔を含むことを特徴とする請求項３１から３９のいずれか１項に記載の端末機器。
【請求項４１】
ネットワーク機器であって、
前記データ伝送用の伝送帯域を決定するための決定モジュールと、
前記決定モジュールが決定した前記伝送帯域を指示することにより、前記第１の端末機器が前記伝送帯域に基づき、前記データ伝送用の基本パラメータセットを決定するための指示情報を第１の端末機器に送信するための伝送モジュールと、
を含み、
前記伝送モジュールはさらに、前記決定モジュールが決定した前記伝送帯域で前記第１の端末機器が送信した前記データを受信し、或いは前記第１の端末機器へ前記データを送信するために用いられることを特徴とするネットワーク機器。
【請求項４２】
前記伝送モジュールが第１の端末機器に指示情報を送信する前に、前記決定モジュールはさらに、伝送帯域と基本パラメータセットとの間の第１の対応関係を決定するために用いられ、
前記伝送モジュールはさらに、前記第１の対応関係を含む設定情報をブロードキャストすることにより、前記第１の端末機器が前記伝送帯域および前記第１の対応関係に基づいて前記データ伝送用の基本パラメータセットを決定するために用いられることを特徴とする請求項４１に記載のネットワーク機器。
【請求項４３】
前記設定情報はさらに、前記設定情報の持続時間を含むことを特徴とする請求項４２に記載のネットワーク機器。
【請求項４４】
前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含むことを特徴とする請求項４２または４３に記載のネットワーク機器。
【請求項４５】
前記設定情報はさらに、基本パラメータセットとフィルタリング方式との間の第２の対応関係を含み、それにより前記第１の端末機器が前記基本パラメータセットとフィルタリング方式との間の前記第２の対応関係に基づき、前記データを処理するためのフィルタリング方式を決定し、
前記伝送モジュールが前記設定情報をブロードキャストする前に、前記決定モジュールはさらに、
基本パラメータセットとフィルタリング方式との間の前記第２の対応関係を決定するために用いられることを特徴とする請求項４２から４４のいずれか１項に記載のネットワーク機器。
【請求項４６】
前記フィルタリング方式は、ベースバンドフィルタのタイプ、前記ベースバンドフィルタのパラメータ、使用したフィルタリング波形および前記フィルタリング波形のパラメータのうちの少なくとも１種を含むことを特徴とする請求項４５に記載のネットワーク機器。
【請求項４７】
前記指示情報は、複数の伝送帯域における前記伝送帯域の対応位置の情報を指示し、或いは前記伝送帯域の開始位置および終止位置を指示するために用いられることを特徴とする請求項４１から４６のいずれか１項に記載のネットワーク機器。
【請求項４８】
前記伝送帯域と前記ネットワーク機器が第２の端末機器に指示する伝送帯域との間は、保護帯域を含むことを特徴とする請求項４１から４７のいずれか１項に記載のネットワーク機器。
【請求項４９】
前記保護帯域の帯域幅は、前記ネットワーク機器がサポートする最小のサブキャリア間隔の整数倍であることを特徴とする請求項４８に記載のネットワーク機器。
【請求項５０】
前記基本パラメータセットは、サブキャリア間隔を含むことを特徴とする請求項４１から４９のいずれか１項に記載のネットワーク機器。
【請求項５１】
前記決定モジュールは具体的に、
所定の複数の基本パラメータセットから前記データ伝送用の前記基本パラメータセットを決定するために用いられることを特徴とする請求項４１から５０のいずれか１項に記載のネットワーク機器。
【請求項５２】
ネットワーク機器であって、
使用可能な帯域リソースを少なくとも１つの伝送帯域に区切るための区切りモジュールと、
前記区切りモジュールが区切った前記少なくとも１つの伝送帯域と少なくとも１つの基本パラメータセットとの間の対応関係を決定するための決定モジュールと、
前記決定モジュールが決定した前記対応関係を含む設定情報をブロードキャストするための伝送モジュールと、
を含むことを特徴とするネットワーク機器。
【請求項５３】
前記指示情報は、複数の伝送帯域における前記伝送帯域の対応位置の情報を指示し、或いは前記伝送帯域の開始位置および終止位置を指示するために用いられることを特徴とする請求項５２に記載のネットワーク機器。
【請求項５４】
前記設定情報はさらに、前記設定情報の持続時間を含むことを特徴とする請求項５３に記載のネットワーク機器。
【請求項５５】
前記少なくとも１つの伝送帯域は、アップリンクデータおよび／またはダウンリンクデータを伝送するために用いられることを特徴とする請求項５２から５４のいずれか１項に記載のネットワーク機器。
【請求項５６】
前記設定情報はさらに、前記少なくとも１つの基本パラメータセットと少なくとも１種のフィルタリング方式との間の対応関係を含むことを特徴とする請求項５２から５５のいずれか１項に記載のネットワーク機器。
【請求項５７】
前記フィルタリング方式は、ベースバンドフィルタのタイプ、前記ベースバンドフィルタのパラメータ、使用したフィルタリング波形および前記フィルタリング波形のパラメータのうちの少なくとも１種を含むことを特徴とする請求項５２から５６のいずれか１項に記載のネットワーク機器。
【請求項５８】
前記少なくとも１つの伝送帯域の間は、保護帯域を含む請求項５２から５７のいずれか１項に記載のネットワーク機器。
【請求項５９】
前記保護帯域の帯域幅は、前記ネットワーク機器がサポートする最小のサブキャリア間隔の整数倍である請求項５８に記載のネットワーク機器。
【請求項６０】
前記基本パラメータセットは、サブキャリア間隔を含む請求項５２から５９のいずれか１項に記載のネットワーク機器。
【発明の詳細な説明】
【技術分野】
【０００１】
本発明は、通信分野に関し、詳しく言えば、データの伝送方法、端末機器およびネットワーク機器に関する。
【背景技術】
【０００２】
第五世代移動通信技術（５Ｇ）技術では、ユーザ機器（Ｕｓｅｒ  Ｅｑｕｉｐｍｅｎｔ、略称ＵＥ）は、１つの搬送波内で様々な異なる基本パラメータセット（ｎｕｍｅｒｏｌｏｇｙ）をサポートできる。これらの異なる基本パラメータセットは、周波数分割多重（Ｆｒｅｑｕｅｎｃｙ  Ｄｉｖｉｓｉｏｎ  Ｍｕｌｔｉｐｌｅｘ、略称ＦＤＭ）の方式で多重化できる。同一の伝送時間間隔（Ｔｒａｎｓｍｉｓｓｉｏｎ  Ｔｉｍｅ  Ｉｎｔｅｒｖａｌ、略称ＴＴＩ）において、異なる周波数領域リソースを異なる基本パラメータセットに基づくデータ伝送に割り当て使用できる。例えばロングタームエボリューション（Ｌｏｎｇ  Ｔｅｒｍ  Ｅｖｏｌｕｔｉｏｎ、略称ＬＴＥ）システムにとって、サブキャリア（ｓｕｂｃａｒｒｉｅｒ）の帯域幅が１５ｋＨｚであり、シンボル（ｓｙｍｂｏｌ）の幅が１／１４ｍｓである。５Ｇ通信システムと４Ｇ通信システムとの最大の違いは、５Ｇシステムが異なる基本パラメータセットに基づくデータ伝送をサポートでき、５Ｇの端末も異なる基本パラメータセットに基づくデータ伝送をサポートでき、例えば、現在の５Ｇシステムのサブキャリアの帯域幅は１５＊２ｎＨｚ（ｎは非負の整数）であってもよいことである。従って、どのように異なる基本パラメータセットに基づくデータ伝送をスケジューリングするかということは早急な解決の待たれる問題である。
【発明の概要】
【発明が解決しようとする課題】
【０００３】
本発明の実施例は、どのように異なる基本パラメータセットに基づくデータ伝送をスケジューリングするかという問題を解決するためのデータの伝送方法、端末機器およびネットワーク機器を提供する。
【課題を解決するための手段】
【０００４】
第1の態様に係るデータの伝送方法は、第１の端末機器が前記データ伝送用の伝送帯域を指示するための、ネットワーク機器により送信された指示情報を受信するステップと、前記第１の端末機器が前記伝送帯域に基づき、前記データ伝送用の基本パラメータセットを決定するステップと、前記第１の端末機器が前記基本パラメータセットに基づき、前記伝送帯域で前記ネットワーク機器へ前記データを送信し、或いは前記ネットワーク機器が送信した前記データを受信するステップと、を含む。
従って、異なる伝送帯域に基づくデータ伝送に対して異なる基本パラメータセットを用いてスケジューリングすることを実現でき、制御シグナリング設計の柔軟性を増加させる。
また、端末機器は、ネットワーク機器が送信した、現在のデータ伝送に使用される当該基本パラメータセットを指示する情報を受信する必要がないため、ダウンリンクシグナリングのオーバーヘッドを省くことができる。
別の実施例として、前記第１の端末機器が前記伝送帯域に基づき、前記データ伝送用の基本パラメータセットを決定する前に、前記方法はさらに、前記第１の端末機器が、前記ネットワーク機器がブロードキャストした伝送帯域と基本パラメータセットとの間の第１の対応関係を含む設定情報を受信するステップを含み、前記第１の端末機器が前記伝送帯域に基づき、前記データ伝送用の基本パラメータセットを決定するステップは、前記第１の端末機器が前記伝送帯域、および伝送帯域と基本パラメータセットとの間の前記第１の対応関係に基づき、前記データ伝送用の基本パラメータセットを決定するステップを含む。
任意選択的に、ネットワーク機器は、物理ダウンリンク制御チャネルＰＤＣＣＨで当該設定情報をブロードキャストすることができる。
なお、基本パラメータセットと伝送帯域との間の当該対応関係は、ネットワーク機器により決定されてもよく、ネットワーク機器と端末機器との間で予め定められてもよい。
別の実施例として、前記設定情報はさらに、前記設定情報の持続時間を含む。
任意選択的に、ネットワーク機器は、所定の時間周期に従って前記設定情報をブロードキャストでき、各時間周期内にブロードキャストした設定情報に含まれる伝送帯域と基本パラメータセットとの間の対応関係は、異なってもよい。
別の実施例として、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
別の実施例として、前記設定情報はさらに、基本パラメータセットとフィルタリング方式との間の第２の対応関係を含み、前記第１の端末機器が前記伝送帯域に基づき、前記データ伝送用の基本パラメータセットを決定した後、前記方法はさらに、前記第１の端末機器が前記基本パラメータセット、および基本パラメータセットとフィルタリング方式との間の前記第２の対応関係に基づき、前記基本パラメータセットに対応するフィルタリング方式を決定するステップを含み、前記第１の端末機器が前記基本パラメータセットに基づき、前記伝送帯域で前記ネットワーク機器へ前記データを送信し、或いは前記ネットワーク機器が送信した前記データを受信するステップは、前記第１の端末機器が前記フィルタリング方式に基づいて前記データを処理し、且つ前記基本パラメータセットに基づき、前記伝送帯域で前記ネットワーク機器へ処理済みの前記データを送信するステップ、または前記第１の端末機器が前記基本パラメータセットに基づき、前記伝送帯域で前記ネットワーク機器が送信した前記データを受信し、且つ前記フィルタリング方式に基づいて受信した前記データを処理するステップを含む。
別の実施例として、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
別の実施例として、前記指示情報は、複数の伝送帯域における前記伝送帯域の対応位置の情報を指示し、或いは前記伝送帯域の開始位置および終止位置を指示するために用いられる。
すなわち、ネットワーク機器は、当該伝送帯域の開始位置および終止位置を直接指示してもよく、端末機器のスケジューリングリソースの割り当てられた基本パラメータセット領域での対応位置を指示してもよく、全体の搬送波での位置を指示する必要がない。
別の実施例として、前記伝送帯域と前記ネットワーク機器が第２の端末機器に指示する伝送帯域との間は、保護帯域を含む。
ただし、当該保護帯域の高周波数側および低周波数側は、異なる基本パラメータセットに基づいて伝送されるデータが使用する伝送帯域とそれぞれ隣接し、当該端末機器は、当該保護帯域で前記データを送信および受信しない。
従って、保護帯域を設定することにより、異なる基本パラメータセットに基づくデータ伝送の間に生じる相互干渉を回避する。
別の実施例として、前記保護帯域の帯域幅は、前記ネットワーク機器がサポートする最小のサブキャリア間隔の整数倍である。
別の実施例として、前記基本パラメータセットは、サブキャリア間隔を含む。
【０００５】
第２の態様に係る端末機器は、前述した第１の態様および各種の実現方式における、データ伝送用の方法での端末機器により実行される各過程を実行するために用いることができる。当該端末機器は、前記データ伝送用の伝送帯域を指示するための、ネットワーク機器により送信された指示情報を受信するための伝送モジュールと、前記伝送帯域に基づき、前記データ伝送用の基本パラメータセットを決定するための決定モジュールと、を含み、前記伝送モジュールはさらに、前記決定モジュールが決定した前記基本パラメータセットに基づき、前記伝送帯域で前記ネットワーク機器へ前記データを送信し、或いは前記ネットワーク機器が送信した前記データを受信するために用いられる。
【０００６】
第３の態様に係る端末機器は、前述した第１の態様および各種の実現方式における、データ伝送用の方法での端末機器により実行される各過程を実行するために用いることができる。当該端末機器は、前記データ伝送用の伝送帯域を指示するための、ネットワーク機器により送信された指示情報を受信するための送受信機と、前記伝送帯域に基づき、前記データ伝送用の基本パラメータセットを決定するためのプロセッサと、を含み、前記送受信機はさらに、前記決定モジュールが決定した前記基本パラメータセットに基づき、前記伝送帯域で前記ネットワーク機器へ前記データを送信し、或いは前記ネットワーク機器が送信した前記データを受信するために用いられる。
【０００７】
第４の態様に係るデータの伝送方法は、ネットワーク機器が前記データ伝送用の伝送帯域を決定するステップと、前記ネットワーク機器が第１の端末機器に、前記伝送帯域を指示することにより、前記第１の端末機器が前記伝送帯域に基づき、前記データ伝送用の基本パラメータセットを決定するための指示情報を送信するステップと、前記ネットワーク機器が前記伝送帯域で前記第１の端末機器が送信した前記データを受信し、或いは前記第１の端末機器へ前記データを送信するステップと、を含む。
従って、端末機器は、ネットワーク機器が指示する伝送帯域に基づいてデータ伝送用の基本パラメータセットを知ることができ、ネットワーク機器が送信した現在実行しようとするデータ伝送に使用される当該基本パラメータセットを受信する必要がなく、ダウンリンクシグナリングのオーバーヘッドを省くことができる。
別の実施例として、前記ネットワーク機器が第１の端末機器に指示情報を送信する前に、前記方法はさらに、前記ネットワーク機器が伝送帯域と基本パラメータセットとの間の第１の対応関係を決定するステップと、前記ネットワーク機器が前記第１の対応関係を含む設定情報をブロードキャストすることにより、前記第１の端末機器が前記伝送帯域および前記第１の対応関係に基づいて前記データ伝送用の基本パラメータセットを決定するステップと、を含む。
任意選択的に、ネットワーク機器は、物理ダウンリンク制御チャネルＰＤＣＣＨで当該設定情報をブロードキャストすることができる。
なお、基本パラメータセットと伝送帯域との間の当該対応関係は、ネットワーク機器により決定されてもよく、ネットワーク機器と端末機器との間で予め定められてもよい。
別の実施例として、前記設定情報はさらに、前記設定情報の持続時間を含む。
任意選択的に、ネットワーク機器は、所定の時間周期に従って前記設定情報をブロードキャストでき、各時間周期内にブロードキャストした設定情報に含まれる伝送帯域と基本パラメータセットとの間の対応関係は、異なってもよい。
別の実施例として、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
別の実施例として、前記設定情報はさらに、基本パラメータセットとフィルタリング方式との間の第２の対応関係を含み、それにより前記第１の端末機器が前記基本パラメータセットとフィルタリング方式との間の前記第２の対応関係に基づき、前記データを処理するためのフィルタリング方式を決定し、前記ネットワーク機器が前記設定情報をブロードキャストする前に、前記方法はさらに、前記ネットワーク機器が基本パラメータセットとフィルタリング方式との間の前記第２の対応関係を決定するステップを含む。
別の実施例として、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
別の実施例として、前記指示情報は、複数の伝送帯域における前記伝送帯域の対応位置の情報を指示し、或いは前記伝送帯域の開始位置および終止位置を指示するために用いられる。
すなわち、ネットワーク機器は、当該伝送帯域の開始位置および終止位置を直接指示してもよく、端末機器のスケジューリングリソースの割り当てられた基本パラメータセット領域での対応位置を指示してもよく、全体の搬送波での位置を指示する必要がない。
別の実施例として、前記伝送帯域と前記ネットワーク機器が第２の端末機器に指示する伝送帯域との間は、保護帯域を含む。
別の実施例として、前記保護帯域の帯域幅は、前記ネットワーク機器がサポートする最小のサブキャリア間隔の整数倍である。
別の実施例として、前記基本パラメータセットは、サブキャリア間隔を含む。
別の実施例として、前記ネットワーク機器が前記データ伝送用の伝送帯域を決定するステップは、前記ネットワーク機器が所定の複数の基本パラメータセットから前記データ伝送用の前記基本パラメータセットを決定するステップを含む。
【０００８】
第５の態様に係るネットワーク機器は、前述した第４の態様および各種の実現方式における、データ伝送用の方法でのネットワーク機器により実行される各過程を実行するために用いることができる。当該ネットワーク機器は、前記データ伝送用の伝送帯域を決定するための決定モジュールと、前記決定モジュールが決定した前記伝送帯域を指示することにより、前記第１の端末機器が前記伝送帯域に基づき、前記データ伝送用の基本パラメータセットを決定するための指示情報を第１の端末機器に送信するための伝送モジュールと、を含み、前記伝送モジュールはさらに、前記決定モジュールが決定した前記伝送帯域で前記第１の端末機器が送信した前記データを受信し、或いは前記第１の端末機器へ前記データを送信するために用いられる。
【０００９】
第６の態様に係るネットワーク機器は、前述した第４の態様および各種の実現方式における、データ伝送用の方法での端末機器により実行される各過程を実行するために用いることができる。当該ネットワーク機器は、前記データ伝送用の伝送帯域を決定するためのプロセッサと、前記決定モジュールが決定した前記伝送帯域を指示することにより、前記第１の端末機器が前記伝送帯域に基づき、前記データ伝送用の基本パラメータセットを決定するための指示情報を第１の端末機器に送信するための送受信機と、を含み、前記送受信機はさらに、前記決定モジュールが決定した前記伝送帯域で前記第１の端末機器が送信した前記データを受信し、或いは前記第１の端末機器へ前記データを送信するために用いられる。
【００１０】
第７の態様に係るデータの伝送方法は、ネットワーク機器が使用可能な帯域リソースを少なくとも１つの伝送帯域に区切るステップと、前記ネットワーク機器が前記少なくとも１つの伝送帯域と少なくとも１つの基本パラメータセットとの間の対応関係を決定するステップと、前記ネットワーク機器が前記対応関係を含む設定情報をブロードキャストするステップと、を含む。
従って、異なる伝送帯域に基づくデータ伝送に対して異なる基本パラメータセットを用いてスケジューリングすることを実現でき、制御シグナリング設計の柔軟性を増加させる。
また、ネットワーク機器がブロードキャストした帯域リソースの区分状況、および区切った後の伝送帯域でデータを伝送する際に使用される基本パラメータセットにより、端末機器は、ネットワーク機器が送信した、現在のデータ伝送に使用される基本パラメータセットを受信する必要がなく、ダウンリンクシグナリングのオーバーヘッドを省くことができる。
具体的には、ネットワーク機器は、そのカバレッジ範囲内の端末機器の数量、これらの端末機器のカバレッジ状況、搬送波における重要な周波数帯域の情報、現在実行されているサービス種類または伝送されるデータのタイプ等の情報に基づき、使用可能な帯域リソースを、データ伝送用の少なくとも１つの伝送帯域に区分でき、各伝送帯域がいずれも１つの基本パラメータセットに対応し、これらの帯域で伝送されるデータが使用する基本パラメータセットが当該伝送帯域に対応する基本パラメータセットである。これらの帯域で伝送されるデータが使用する基本パラメータセットは、同一でもよく、異なっていてもよく、これらの伝送帯域の間は、隣接してもよく、隣接しなくてもよい。
任意選択的に、ネットワーク機器は、物理ダウンリンク制御チャネルＰＤＣＣＨで当該設定情報をブロードキャストすることができる。
別の実施例として、前記指示情報は、複数の伝送帯域における前記伝送帯域の対応位置の情報を指示し、或いは前記伝送帯域の開始位置および終止位置を指示するために用いられる。
別の実施例として、前記設定情報はさらに、前記設定情報の持続時間を含む。
任意選択的に、ネットワーク機器は、所定の時間周期に従って前記設定情報をブロードキャストでき、各時間周期内にブロードキャストした設定情報に含まれる伝送帯域と基本パラメータセットとの間の対応関係は、異なってもよい。
別の実施例として、前記少なくとも１つの伝送帯域は、アップリンクデータおよび／またはダウンリンクデータを伝送するために用いられる。
別の実施例として、前記設定情報はさらに、前記少なくとも１つの基本パラメータセットと少なくとも１種のフィルタリング方式との間の対応関係を含む。
別の実施例として、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
別の実施例として、前記少なくとも１つの伝送帯域の間は、保護帯域を含む。
ただし、当該保護帯域の高周波数側および低周波数側は、異なる基本パラメータセットに基づいて伝送されるデータが使用する伝送帯域とそれぞれ隣接し、当該端末機器は、当該保護帯域で前記データを送信および受信しない。
従って、保護帯域を設定することにより、異なる基本パラメータセットに基づくデータ伝送の間に生じる相互干渉を回避する。
別の実施例として、前記保護帯域の帯域幅は、前記ネットワーク機器がサポートする最小のサブキャリア間隔の整数倍である。
別の実施例として、前記基本パラメータセットは、サブキャリア間隔を含む。
【００１１】
第８の態様に係るネットワーク機器は、前述した第７の態様および各種の実現方式における、データ伝送用の方法でのネットワーク機器により実行される各過程を実行するために用いることができる。当該ネットワーク機器は、前記データ伝送用の伝送帯域を決定するための決定モジュールと、前記決定モジュールが決定した前記伝送帯域を指示することにより、前記第１の端末機器が前記伝送帯域に基づき、前記データ伝送用の基本パラメータセットを決定するための指示情報を第１の端末機器に送信するための伝送モジュールと、を含み、前記伝送モジュールはさらに、前記決定モジュールが決定した前記伝送帯域で前記第１の端末機器が送信した前記データを受信し、或いは前記第１の端末機器へ前記データを送信するために用いられる。
【００１２】
第９の態様に係るネットワーク機器は、前述した第７の態様および各種の実現方式における、データ伝送用の方法での端末機器により実行される各過程を実行するために用いることができる。当該ネットワーク機器は、前記データ伝送用の伝送帯域を決定するためのプロセッサと、前記決定モジュールが決定した前記伝送帯域を指示することにより、前記第１の端末機器が前記伝送帯域に基づき、前記データ伝送用の基本パラメータセットを決定するための指示情報を第１の端末機器に送信するための送受信機と、を含み、前記送受信機はさらに、前記決定モジュールが決定した前記伝送帯域で前記第１の端末機器が送信した前記データを受信し、或いは前記第１の端末機器へ前記データを送信するために用いられる。
【００１３】
第１０の態様に係るコンピュータ読み取り可能な記憶媒体は、ネットワーク機器に上記第１の態様、およびその各種の実現方式における任意の１種のデータ伝送用方法を実行させるプログラムが記憶されている。
【００１４】
第１１の態様に係るコンピュータ読み取り可能な記憶媒体は、端末機器に上記第４の態様、およびその各種の実現方式における任意の１種のデータ伝送用方法を実行させるプログラムが記憶されている。
【００１５】
第１２の態様に係るコンピュータ読み取り可能な記憶媒体は、ネットワーク機器に上記第７の態様、およびその各種の実現方式における任意の１種のデータ伝送用方法を実行させるプログラムが記憶されている。
【図面の簡単な説明】
【００１６】
本発明の実施例の技術的解決手段をより明確にするために、以下、本発明の実施例の説明に用いる必要な図面を簡単に紹介し、当然ながら、以下で説明する図面は本発明の幾つかの実施例に過ぎず、当業者であれば、創造的な努力を行わなくても、これらの図面に基づき他の図面を得ることができる。
【図１】本発明の適用シナリオの概略図である。
【図２】本発明の実施例によるデータの伝送方法のフローインタラクション図である。
【図３】保護帯域がない場合および保護帯域が存在する場合に異なる基本パラメータセットに基づくデータ伝送の概略図である。
【図４】本発明の別の実施例によるデータの伝送方法のフローインタラクション図である。
【図５】本発明の実施例によるデータの伝送方法のフローインタラクション図である。
【図６】本発明の実施例によるデータの伝送方法のフローインタラクション図である。
【図７】本発明の別の実施例によるデータの伝送方法の概略フローチャートである。
【図８】本発明の実施例による端末機器のブロック構成図である。
【図９】本発明の実施例による端末機器のブロック構成図である。
【図１０】本発明の実施例によるシステムチップの概略構成図である。
【図１１】本発明の実施例によるネットワーク機器のブロック構成図である。
【図１２】本発明の実施例によるネットワーク機器のブロック構成図である。
【図１３】本発明の実施例によるシステムチップの概略構成図である。
【図１４】本発明の別の実施例によるネットワーク機器のブロック構成図である。
【図１５】本発明の別の実施例によるネットワーク機器のブロック構成図である。
【図１６】本発明の別の実施例によるシステムチップの概略構成図である。
【発明を実施するための形態】
【００１７】
以下、本発明の実施例の図面を参照しながら、本発明の実施例の技術的解決手段について明確に、完全に説明する。当然ながら、記載する実施例は本発明の一部の実施例に過ぎず、すべての実施例ではない。本発明の実施例に基づき、当業者であれば創造的な労力を要さずに想到し得る他の実施例は、いずれも本発明の技術的範囲に属する。
【００１８】
なお、本発明の実施例の技術的解決手段は、各種の通信システム、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）システム、符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）、等の現在の通信システム、特に未来の５Ｇシステムに適用されうる。
【００１９】
本発明の実施例の端末機器は、ユーザ機器（Ｕｓｅｒ  Ｅｑｕｉｐｍｅｎｔ、略称ＵＥ）、アクセス端末、ユーザ要素、加入者局、移動局、移動台、遠隔局、遠隔端末、移動機器、ユーザ端末、端末、無線通信機器、ユーザエージェントまたはユーザ装置を指してもよい。アクセス端末は、セルラ電話、コードレス電話、セッション開始プロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、携帯情報端末（Ｐｅｒｓｏｎａｌ  Ｄｉｇｉｔａｌ  Ａｓｓｉｓｔａｎｔ、略称ＰＤＡ）、無線接続機能を有する手持ち式デバイス、コンピューティングデバイスまたは無線モデムに接続されたその他の処理デバイス、車載用デバイス、ウェアラブルデバイス、未来の５Ｇネットワークにおける端末機器または未来進化型の公衆携帯電話網（Ｐｕｂｌｉｃ  Ｌａｎｄ  Ｍｏｂｉｌｅ  Ｎｅｔｗｏｒｋ、略称ＰＬＭＮ）における端末機器等であってもよい。
【００２０】
本発明の実施例のネットワーク機器は、端末機器と通信するための機器であってもよく、当該ネットワーク機器は、ＧＳＭまたはＣＤＭＡにおける基地局（Ｂａｓｅ  Ｔｒａｎｓｃｅｉｖｅｒ  Ｓｔａｔｉｏｎ、略称ＢＴＳ）であってもよく、ＷＣＤＭＡシステムにおける基地局（ＮｏｄｅＢ、略称ＮＢ）であってもよく、ＬＴＥシステムにおける進化型基地局（Ｅｖｏｌｕｔｉｏｎａｌ  ＮｏｄｅＢ、略称ｅＮＢまたはｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、略称ＣＲＡＮ）のシーンでの無線コントローラであってもよく、または当該ネットワーク機器は、中継局、アクセスポイント、車載用デバイス、ウェアラブルデバイスおよび未来の５Ｇネットワークにおけるネットワーク機器または未来進化型のＰＬＭＮネットワークにおけるネットワーク機器等であってもよい。
【００２１】
図１は本発明の適用シナリオの概略図である。図１における通信システムは、ネットワーク機器１０と、端末機器２０とを含んでもよい。ネットワーク機器１０は、端末機器２０に通信サービスを提供し且つコアネットワークにアクセスし、端末機器２０は、ネットワーク機器１０が送信するシンクロナス信号、ブロードキャスト信号等を検索することによってネットワークにアクセスし、それによりネットワークとの通信を行う。図１に示される矢印は、端末機器２０とネットワーク機器１０との間のセルラーリンクを介して行うアップリンク／ダウンリンク伝送を示すことができる。本発明の実施例は、異なるＤＣＩフォーマットを使用して異なる基本パラメータセットに基づくデータ伝送をスケジューリングし、制御シグナリング設計の柔軟性を向上させることができる。
【００２２】
図２に本発明の実施例によるデータの伝送方法のフローインタラクション図を示す。図２にネットワーク機器１０および端末機器２０を示す。図２に示すように、当該データ伝送の具体的なフローは、以下を含む。
【００２３】
２１０、ネットワーク機器１０が前記データ伝送用の伝送帯域を決定する。
【００２４】
具体的には、ネットワーク機器１０は、複数の伝送帯域において、端末機器２０に端末機器２０のデータ伝送用の伝送帯域を割り当てる。例えば、ネットワーク機器１０は、そのカバレッジ範囲内の端末機器の数量、これらの端末機器のカバレッジ状況、搬送波における重要な周波数帯域の情報、現在実行されているサービス種類または伝送されるデータのタイプ等の情報に基づき、使用可能な帯域リソースを、データ伝送用の少なくとも１つの伝送帯域に区分でき、各伝送帯域がいずれも１つの基本パラメータセットに対応し、これらの帯域で伝送されるデータが使用する基本パラメータセットが当該伝送帯域に対応する基本パラメータセットである。これらの帯域で伝送されるデータが使用する基本パラメータセットは、同一でもよく、異なっていてもよく、これらの伝送帯域の間は、隣接してもよく、隣接しなくてもよい。ネットワーク機器１０が端末機器２０に前記データ伝送用の伝送帯域を割り当てた後、端末機器２０は、当該伝送帯域に基づき、当該データ伝送用の基本パラメータセットを決定することができる。
【００２５】
従って、異なる伝送帯域に基づくデータ伝送に対して異なる基本パラメータセットを用いてスケジューリングすることを実現でき、制御シグナリング設計の柔軟性を増加させる。
【００２６】
また、端末機器は、ネットワーク機器が送信した、現在のデータ伝送に使用される当該基本パラメータセットを指示する情報を受信する必要がないため、ダウンリンクシグナリングのオーバーヘッドを省くことができる。
【００２７】
任意選択的に、当該伝送帯域とネットワーク機器１０が他の端末機器例えば端末機器３０に指示する伝送帯域との間は、保護帯域を含み、端末機器２０は、当該保護帯域で当該データを伝送しない。当該保護帯域の高周波数側および低周波数側は、異なる基本パラメータセットに基づいて伝送されるデータが使用する伝送帯域とそれぞれ隣接し、端末機器２０は、現在この帯域領域内で当該５Ｇ信号を送信および受信しない。
【００２８】
特にネットワーク機器１０が端末機器２０に割り当てる伝送帯域に対応する基本パラメータセットは、ネットワーク機器１０が端末機器３０に割り当てる伝送帯域に対応する基本パラメータセットと異なる場合、この２つの帯域の間に１つの保護帯域を挿入でき、端末機器は、当該保護帯域でデータを伝送しない。それにより、この２つの帯域における異なる基本パラメータセットを使用するデータが伝送過程に生じた干渉を回避することができる。
【００２９】
例えば、図３に保護帯域がない場合および保護帯域が存在する場合に異なる基本パラメータセットに基づくデータ伝送の概略図を示す。図３を例として、保護帯域がない場合、異なる基本パラメータセットを使用するデータは、隣接した帯域で伝送される際、相互干渉を発生させやすく、図３に示すように、２つの隣接した帯域でデータ伝送を行う際に使用されるサブキャリア間隔（ｓｕｂｃａｒｒｉｅｒ  ｓｐａｃｉｎｇ）は、それぞれ３０ｋＨｚおよび１５ｋＨｚであれば、この２つの隣接した帯域でそれぞれこの２種のサブキャリア間隔を使用するデータ伝送過程に、隣接した２つの帯域で異なるサブキャリア間隔でデータを伝送する際に干渉を発生させる。しかしながら、保護帯域が存在する場合、図３に示すように、２つの異なる帯域で伝送されるデータが使用するサブキャリア間隔は、それぞれ３０ｋＨｚおよび１５ｋＨｚであり、この２つの帯域でそれぞれこの２種のサブキャリア間隔を使用するデータ伝送過程に、異なる基本パラメータセットで伝送されるデータが占有するこの２つの帯域は、保護帯域に隔てられ、当該保護帯域でデータ伝送を行わず、それにより異なるサブキャリア間隔の間の相互干渉を発生させず、図３（ｂ）に示される保護帯域の帯域幅は６０ｋＨｚである。
【００３０】
従って、保護帯域を設定することにより、異なる基本パラメータセットに基づくデータ伝送の間に生じる相互干渉を回避する。
【００３１】
任意選択的に、前記保護帯域の帯域幅は、ネットワーク機器１０がサポートする最小のサブキャリア間隔の整数倍である。
【００３２】
具体的には、５Ｇシステムにおいて同じ搬送波が異なる基本パラメータセットをサポートできるため、当該保護帯域の帯域幅は、異なる基本パラメータセットに基づくデータ伝送に使用される帯域をカバレッジできるものとする。従ってネットワーク機器１０は、当該保護帯域の帯域幅を決定する場合、ネットワーク機器１０がサポートする最小の搬送波間隔を単位とする。図２に示すように、当該通信システムは、１５ｋＨｚと３０ｋＨｚの２種のサブキャリア間隔をサポートし、ネットワーク機器１０は、当該保護帯域の帯域幅を決定する場合、１５ｋＨｚを基本単位として、つまり、当該保護帯域の帯域幅は、１５ｋＨｚの整数倍であり且つターゲット帯域の帯域幅より小さい。当該保護帯域が同時にターゲット帯域の低周波数側および高周波数側にあれば、低周波数側に位置する部分の保護帯域の開始終止位置および高周波数側に位置する部分の保護帯域の帯域幅は、いずれも１５ｋＨｚの整数倍である。
【００３３】
任意選択的に、前記基本パラメータセットは、サブキャリア間隔を含む。
【００３４】
ただし、サブキャリア間隔とは、隣接したサブキャリアの間の周波数間隔であり、例えば１５ｋＨｚ、６０ｋＨｚ等である。当該基本パラメータセットにおけるパラメータは、ここでサブキャリア間隔を含むがそれに限定されるものではなく、例えば、ネットワーク機器１０が端末機器２０へ送信する設定情報に含まれる基本パラメータセットにおいて、他のパラメータを含んでもよく、例えば、特定の帯域幅でのサブキャリア数、物理リソースブロック（Ｐｈｙｓｉｃａｌ  ＲｅｓｏｕｒｃｅＢｌｏｃｋ、略称ＰＲＢ）内のサブキャリア数、直交周波数分割多重（Ｏｒｔｈｏｇｏｎａｌ  ＦｒｅｑｕｅｎｃｙＤｉｖｉｓｉｏｎ  Ｍｕｌｔｉｐｌｅｘｉｎｇ、略称ＯＦＤＭ）シンボルの長さ、ＯＦＤＭ信号を生成するためのフーリエ変換例えば高速フーリエ変換（Ｆａｓｔ  Ｆｏｕｒｉｅｒ  Ｔｒａｎｓｆｏｒｍ、略称ＦＦＴ）または逆フーリエ変換例えば逆高速フーリエ変換（Ｉｎｖｅｒｓｅ  Ｆａｓｔ  Ｆｏｕｒｉｅｒ  Ｔｒａｎｓｆｏｒｍ、略称ＩＦＦＴ）の点数、伝送時間間隔ＴＴＩにおけるＯＦＤＭシンボル数、特定の時間長さ内に含まれるＴＴＩの個数および信号プレフィックスの長さ等である。
【００３５】
２２０、ネットワーク機器１０は、端末機器２０に指示情報を送信する。
【００３６】
ただし、当該指示情報は、ネットワーク機器１０が端末機器２０に決定した当該伝送帯域を指示することにより、端末機器２０が当該伝送帯域に基づいて当該データ伝送用の基本パラメータセットを決定するために用いられる。
【００３７】
なお、ネットワーク機器１０は、端末機器２０に当該伝送帯域を指示する場合、当該伝送帯域の開始位置および終止位置を直接指示してもよく、当該伝送帯域の所在の対応位置、すなわち当該伝送帯域の区分された複数の帯域での対応位置を指示してもよく、つまり、ネットワーク機器１０が端末機器２０をスケジューリングしてデータを送信または受信する場合、ネットワーク機器１０は、端末機器２０のスケジューリングリソースの割り当てられた基本パラメータセット領域での対応位置を指示するだけでよく、全体の搬送波での位置を指示する必要がない。
【００３８】
例えば、ネットワーク機器１０は、割り当て対象の基本パラメータセットの領域に対して複数の伝送帯域を区分でき、且つ区分された後の複数の伝送帯域に対して番号を付け、次に端末機器２０が何番目の伝送帯域で対応する基本パラメータセットを用いてデータを伝送することを直接指示する。番号が異なる伝送帯域は、占有する帯域幅および位置も異なり、ネットワーク機器１０は、端末機器２０に事前に知らせることができ、例えば、ブロードキャストの方式により、帯域リソースの区分状況および区分後の異なる番号の伝送帯域の所在位置をブロードキャストする。または、例えば、ネットワーク機器１０は、割り当て対象の基本パラメータセットの領域を３つの帯域、すなわち第１の帯域、第２の帯域および第３の帯域に区切ると、この３つの帯域の開始位置および終止位置は、同じではなく、且つ各帯域に対応するデータ伝送用のサブキャリア間隔が異なり、第１の帯域の位置は他の２つの帯域の位置に比べて低周波数帯域にあり、第３の帯域の位置は他の２つの帯域の位置に比べて高周波数帯域にあり、第２の帯域は第１の帯域と第３の帯域の間にあり、当該指示情報は端末機器２０が高周波帯域でデータを送信することを指示すると、端末機器２０は、対応して高い帯域位置すなわち第３の帯域にあり、第３の帯域に対応するサブキャリア間隔で当該データを伝送する。
【００３９】
２３０、端末機器２０は、ネットワーク機器１０が送信した指示情報を受信する。
【００４０】
具体的には、端末機器２０は、ネットワーク機器１０が送信した当該指示情報を受信し、それによりネットワーク機器１０が端末機器２０に割り当てる当該データ伝送用の伝送帯域を知る。
【００４１】
２４０、端末機器２０は、当該指示情報に基づき、当該データ伝送用の基本パラメータセットを決定する。
【００４２】
具体的には、ネットワーク機器１０が端末機器２０に割り当てる当該伝送帯域で伝送されるデータが使用する基本パラメータセットは、他の伝送帯域で伝送されるデータが使用する基本パラメータセットと異なる可能性があるため、端末機器２０は、ネットワーク機器１０が端末機器２０に割り当てる伝送帯域に基づき、端末機器２０が当該伝送帯域で伝送されるデータが使用する基本パラメータセットを決定できる。それにより端末機器２０は、当該基本パラメータセットに基づき、当該伝送帯域でネットワーク機器１０へ当該データを送信し、或いはネットワーク機器１０が送信した当該データを受信することができる。
【００４３】
例えば、ネットワーク機器１０は、端末機器２０に前記データ伝送用の伝送帯域を割り当てた後、当該伝送帯域を指示する指示情報を端末機器２０に送信し、端末機器２０は、当該指示情報を受信した後、当該伝送帯域、および伝送帯域と基本パラメータセットとの間の対応関係に基づき、当該データ伝送用の基本パラメータセットを決定することができる。
【００４４】
任意選択的に、端末機器２０が前記伝送帯域に基づき、前記データ伝送用の基本パラメータセットを決定する前、すなわち２２０の前に、前記方法はさらに、２５０から２７０を含む。図４は本発明の別の実施例によるデータの伝送方法のフローインタラクション図である。図４に示すように、２２０の前に、前記方法はさらに、２５０から２７０を含む。
【００４５】
２５０、ネットワーク機器１０は、伝送帯域と基本パラメータセットとの対応関係を決定する。
【００４６】
具体的には、ネットワーク機器１０は、使用可能な帯域リソースを、データ伝送用の少なくとも１つの伝送帯域に区切った後、各伝送帯域に対応する基本パラメータセットを割り当てる。これらの伝送帯域で伝送されるデータが使用する基本パラメータセットは、同一でもよく、異なっていてもよく、これらの伝送帯域の間が隣接してもよく、隣接しなくてもよい。つまり、複数の伝送帯域において、各伝送帯域は、いずれも１つの基本パラメータセットに対応し、ここで任意の２つの伝送帯域に対応する基本パラメータセットは、異なる基本パラメータセットであってもよく、同じ基本パラメータセットであってもよい。
【００４７】
任意選択的に、伝送帯域と伝送帯域との間はさらに、保護帯域を含んでもよく、端末機器２０は、当該保護帯域で当該データを伝送しない。特に当該複数の伝送帯域における元の隣接した２つの伝送帯域でデータを伝送するために使用される基本パラメータセットが異なる場合、この２つの帯域の間に１つの保護帯域を挿入でき、端末機器は、当該保護帯域で当該データの伝送を行わず、それによりこの２つの帯域で使用される異なる基本パラメータセットのデータの伝送過程に生じる干渉を回避することができる。
【００４８】
なお、基本パラメータセットと伝送帯域との間の当該対応関係は、ネットワーク機器１０により決定されてもよく、ネットワーク機器１０と端末機器２０との間で予め定められてもよい。
【００４９】
２６０、ネットワーク機器１０は、設定情報をブロードキャストする。
【００５０】
ただし、前記設定情報は、伝送帯域と基本パラメータセットとの間の前記対応関係を含み、それにより端末機器２０は、前記伝送帯域および前記対応関係に基づいて前記データ伝送用の前記基本パラメータセットを決定する。
【００５１】
具体的には、ネットワーク機器１０は、伝送帯域と基本パラメータセットとも対応関係を決定した後、当該対応関係を含む設定情報をブロードキャストでき、それにより端末機器２０は、当該対応関係および２２０で指示した伝送帯域に基づき、当該伝送帯域に対応する基本パラメータセットを決定することにより、当該基本パラメータセットを用いて当該帯域でネットワーク機器１０とデータ伝送を行う。
【００５２】
任意選択的に、ネットワーク機器１０は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、略称ＰＤＣＣＨ）で当該設定情報をブロードキャストすることができる。
【００５３】
任意選択的に、ネットワーク機器１０は、所定の時間周期に従って前記設定情報をブロードキャストし、各時間周期内にブロードキャストした設定情報に含まれる伝送帯域と基本パラメータセットとの間の対応関係は、異なってもよい。
【００５４】
具体的には、ネットワーク機器１０は、使用可能な帯域を複数の伝送帯域に区切り、且つ各伝送帯域は、１つの基本パラメータセットに対応し、各伝送帯域に対応する基本パラメータセットは、同一でもよく、異なっていてもよく、伝送帯域と伝送帯域との間は、隣接してもよく、または保護帯域に隔てられてもよい。このような区分および対応関係の決定は、所定の周期に従って調整できる。つまり、現在の時間周期内の複数の伝送帯域の区分状況および各伝送帯域に対応する基本パラメータセットは、前の時間周期内の複数の伝送帯域の区分状況および各伝送帯域に対応する基本パラメータセットと、異なってもよい。
【００５５】
例えば、前一つの時間周期内に、ネットワーク機器１０は、そのカバレッジ範囲内の端末機器の数量、これらの端末機器のカバレッジ状況、現在実行されているサービス種類または伝送のデータタイプ等の情報に基づき、使用可能な帯域リソースをデータ伝送用の４段の伝送帯域に区切ると仮定し、すべての隣接した伝送帯域に対応する基本パラメータセットがいずれも異なり、すべての隣接した伝送帯域の間がいずれも保護帯域を含むと仮定する。しかしながら、現在の時間周期内に、ネットワーク機器１０のカバレッジ範囲内の端末機器の数量、カバレッジ状況および行われたサービス種類が変化するため、この時ネットワーク機器１０は、帯域リソースを改めて区分でき、例えば、５段の伝送帯域に区切り、ここで、各段の伝送帯域に対応する基本パラメータセットを改めて決定することができる。
【００５６】
任意選択的に、前記設定情報はさらに、前記設定情報の持続時間を含む。
【００５７】
具体的には、ネットワーク機器１０による帯域リソースに対する区分状況および各伝送帯域に対応する基本パラメータセットは、現在のネットワーク状況に応じて間断なく調整および変更可能であり、例えば一定時間周期に応じて変化し、つまり、異なる周期内に、帯域リソースに対する区分および各帯域に割り当てる対応する基本パラメータセットは、異なってもよい。このように、ネットワーク機器１０は、現在の具体的な状況に応じて、例えば、ダウンリンクコントロールチャネルで、設定情報を介して、現在状況に適合する帯域リソースの区分状況および各伝送帯域に割り当てる対応する基本パラメータセットをブロードキャストすることができる。
【００５８】
ネットワーク機器による帯域リソースに対する区分状況、および区切った後の伝送帯域と基本パラメータセットとの間の対応関係が非常に重要なシステム情報であるため、ネットワーク機器１０は、現在時間周期内に当該設定情報を繰り返して送信でき、毎回当該設定情報をブロードキャストする場合、いずれも当該設定情報の持続時間を更新することができる。
【００５９】
例えば、ネットワーク機器１０は、現在期間内例えば１４：００〜１４：３０の間にブロードキャストする当該設定情報を決定し、且つ当該設定情報をブロードキャストする周波数を５分間おきに１回ブロードキャストするように決定し、それでネットワーク機器１０が１４：００に当該設定情報をブロードキャストする場合、当該設定情報において、帯域リソースを区切った後の複数の伝送帯域の位置と各伝送帯域に対応する基本パラメータセット、および当該設定情報の持続時間（または有効な時間と呼ばれ、ここで３０分間）を含む。５分間後に、ネットワーク機器１０が再び当該設定情報をブロードキャストし、すなわちネットワーク機器１０が１４：０５に当該設定情報をブロードキャストする場合、当該設定情報に含まれる有効な時間は、２５分間になる。再び５分間後に、ネットワーク機器１０が当該設定情報を再びブロードキャストし、すなわちネットワーク機器１０が１４：１０に該設定情報をブロードキャストする場合、当該設定情報に含まれる有効な時間は、２０分間になり、このように循環し、１４：３０まで続け、ネットワーク機器１０は、当該設定情報における帯域の区切り状況および対応する基本パラメータセットを更新でき、且つ更新した後の設定情報の１４：３０〜１５：００の有効な時間を改めて計算する。
【００６０】
ネットワーク機器１０による設定情報における帯域の区切り状況および対応する基本パラメータセットの時間に対する更新は、所定の時間周期に応じて行ってもよく、具体的な状況に応じて異なる時間長さ範囲内で更新してもよい。例えば、深夜、または都市の近郊地区等の場合に、ネットワークの使用状況が安定し、ネットワーク機器１０は、当該設定情報における帯域の区切り状況および対応する基本パラメータセットを頻繁に更新しなくてもよく、昼間、または都市の中心領域等の状況で、ネットワークの使用状況に変化が多く、ネットワーク機器１０は、所定の時間周期例えば３０分間に、当該設定情報における帯域の区切り状況および対応する基本パラメータセットを更新し、それにより周波数領域リソースの効果的な利用を達成する。
【００６１】
端末機器２０は、ネットワーク機器１０によりスケジューリングされる場合、受信した設定情報に基づき、データ伝送用の複数の伝送帯域の情報、および複数の伝送帯域における各伝送帯域に対応する基本パラメータセットを取得できる。端末機器２０は、ネットワーク機器１０が送信した、当該端末機器２０のデータ伝送に使用される伝送帯域を指示するのを受信する場合、端末機器２０は、現在の時間周期における帯域リソースの区分状況および区分後の伝送帯域と基本パラメータセットとの対応関係に基づき、現在のデータ伝送用の基本パラメータセットを決定でき、それにより当該基本パラメータセットを用いてネットワーク機器１０が指示する伝送帯域で、ネットワーク機器１０とデータ伝送を行う。
【００６２】
２７０、端末機器２０は、当該設定情報を受信する。
【００６３】
具体的には、端末機器２０は、ネットワーク機器１０がブロードキャストする当該設定情報を受信し、それにより伝送帯域と基本パラメータセットとの間の対応関係を知る。
【００６４】
この時、２４０において、端末機器２０が当該指示情報に基づき、当該データ伝送用の基本パラメータセットを決定することは、端末機器２０が当該指示情報および当該設定情報に基づき、当該データ伝送用の基本パラメータセットを決定するステップを含む。
【００６５】
具体的には、端末機器は、設定情報を受信した後、２３０で受信した当該指示情報および当該設定情報に基づき、当該データ伝送用の基本パラメータセットを決定できる。表１に示される伝送帯域と基本パラメータセットとの間の対応関係を例として説明する。
【００６６】
【表１】
2019530991.tif 000003
【００６７】
基本パラメータセットにサブキャリア間隔を含むと仮定し、現在ネットワーク機器１０は、端末機器２０が第１の帯域、すなわち１００ｋＨ〜１６０ｋＨｚの帯域でデータを伝送し、端末機器３０が第２の帯域、すなわち１６０ｋＨ〜２２０ｋＨｚの帯域でデータを伝送し、端末機器４０が第３の帯域、すなわち２５０ｋＨ〜３１０ｋＨｚの帯域でデータを伝送するように指示すると仮定する。ここで、第１の帯域に対応するサブキャリア間隔は１５ｋＨｚであり、第２の帯域に対応するサブキャリア間隔は１５ｋＨｚであり、第３の帯域に対応するサブキャリア間隔は３０ｋＨｚであり、第４の帯域に対応するサブキャリア間隔は６０ｋＨｚである。
【００６８】
端末機器２０は、ネットワーク機器１０が送信する第１の帯域を指示する指示情報を受信した後、当該対応関係に基づき、当該データ伝送用の基本パラメータセットを決定でき、すなわち当該データ伝送用のサブキャリア間隔が１５ｋＨｚであることを決定でき、それにより第１の帯域で１５ｋＨｚのサブキャリア間隔でネットワーク機器１０と当該データの伝送を行い、端末機器３０は、ネットワーク機器１０が送信する第２の帯域を指示する指示情報を受信した後、当該対応関係に基づき、当該データ伝送用のサブキャリア間隔が１５ｋＨｚであることを決定し、それにより第２の帯域で１５ｋＨｚのサブキャリア間隔でネットワーク機器１０とデータ伝送を行い、端末機器４０は、ネットワーク機器１０が送信する第３の帯域を指示する指示情報を受信した後、当該対応関係に基づき、当該データ伝送用のサブキャリア間隔が３０ｋＨｚであることを決定でき、それにより第３の帯域で３０ｋＨｚのサブキャリア間隔でネットワーク機器１０とデータ伝送を行う。
【００６９】
表１から分かるように、第１の帯域と第２の帯域に対応するサブキャリア間隔がいずれも１５ｋＨｚであるため、第１の帯域と第２の帯域との間に保護帯域を割り当てなくてもよい。第２の帯域に対応するサブキャリア間隔がいずれも１５ｋＨｚであり、第３の帯域に対応する３０ｋＨｚのサブキャリア間隔と異なるため、第２の帯域と第３の帯域との間に保護帯域が割り当てられ、当該保護帯域の帯域幅が３０ｋＨｚであり、それにより第２の帯域および第３の帯域でデータを伝送する過程に異なる基本パラメータセットを用いて生じる干渉を回避する。同様に、第３の帯域に対応するサブキャリア間隔がいずれも３０ｋＨｚであり、第４の帯域に対応する６０ｋＨｚのサブキャリア間隔と異なるため、第３の帯域と第４の帯域の間に保護帯域が割り当てられ、当該保護帯域の帯域幅が６０ｋＨｚであり、それにより第３の帯域および第４の帯域でデータを伝送する過程に異なる基本パラメータセットを用いて生じる干渉を回避する。
【００７０】
なお、ネットワーク機器１０による帯域リソースに対する区分を簡略化するために、第１の帯域と第２の帯域との間にも保護帯域を設定してもよく、ここで限定されない。さらに、ネットワーク機器１０に割り当てるこれらの保護帯域の帯域幅は、同一でもよく、異なっていてもよく、ここで限定されない。
【００７１】
従って、伝送帯域と基本パラメータセットとの間の当該対応関係に基づき、端末機器２０は当該データ伝送用の伝送帯域を知るだけで、当該伝送帯域に基づき、当該データ伝送用の基本パラメータセットを決定でき、且つ当該データを伝送する過程に干渉を発生させることがない。
【００７２】
任意選択的に、伝送帯域と基本パラメータセットとの間の前記対応関係は、アップリンクデータ伝送用の伝送帯域と基本パラメータセットとの間の対応関係、および／またはダウンリンクデータ伝送用の伝送帯域と基本パラメータセットとの間の対応関係を含んでもよい。
【００７３】
つまり、端末機器２０とネットワーク機器１０との間に伝送される当該データは、アップリンクデータまたはダウンリンクデータを含んでもよく、アップリンクデータが使用する基本パラメータセットは、ダウンリンクデータが使用する基本パラメータセットと同じではない可能性がある。伝送される当該データがダウンリンクデータであると、ネットワーク機器１０は、端末機器２０へ当該データを送信し、当該設定情報は、ダウンリンクデータをスケジューリングするための設定情報であり、ネットワーク機器１０が端末機器２０へ当該ダウンリンクデータを送信した後、端末機器２０は、当該設定情報に基づき、ネットワーク機器１０が送信する当該ダウンリンクデータを正確に受信し、伝送される当該データがアップリンクデータであると、端末機器２０は、ネットワーク機器３０へ当該データを送信し、当該設定情報は、アップリンクデータをスケジューリングするための設定情報であり、端末機器２０は、当該設定情報に基づき、ネットワーク機器１０へ当該アップリンクデータを送信し、ネットワーク機器１０は、端末機器２０が送信する当該アップリンクデータを受信する。ネットワーク機器１０はさらに、当該設定情報において同時にアップリンクデータを伝送するための伝送帯域と基本パラメータセットとの間の対応関係、およびダウンリンクデータを伝送するための伝送帯域と基本パラメータセットとの間の対応関係を含んでもよく、端末機器２０は、当該設定情報を受信した後、自らが伝送しようとするものがアップリンクデータであるかまたはダウンリンクデータであるかに基づき、対応する伝送帯域で当該データを伝送するための伝送帯域を決定し、且つ当該帯域に対応する基本パラメータセットに基づいて当該データを伝送する。
【００７４】
任意選択的に、２６０において、ネットワーク機器１０が送信する前記設定情報はさらに、基本パラメータセットとフィルタリング方式との対応関係を含んでもよい。
【００７５】
当該設定情報がさらに基本パラメータセットとフィルタリング方式との間の対応関係を含む場合、ネットワーク機器１０が当該設定情報をブロードキャストし、すなわち２６０を実行する前に、当該方法はさらに、ネットワーク機器１０が基本パラメータセットとフィルタリング方式との間の当該対応関係を決定するステップを含む。端末機器２０が当該設定情報を受信した後、すなわち２７０を実行した後、当該方法はさらに、端末機器２０が基本パラメータセットに基づいて前記データを処理するためのフィルタリング方式を決定するステップを含む。
【００７６】
任意選択的に、当該フィルタリング方式は、ベースバンドフィルタのタイプ、前記ベースバンドフィルタのパラメータ、使用したフィルタリング波形および前記フィルタリング波形のパラメータのうちの少なくとも１種を含んでもよい。
【００７７】
５Ｇシステムにおいて、異なる基本パラメータセットに基づいて伝送するデータは、ベースバンド処理過程に、異なる波形またはフィルタと組み合わせて使用する可能性がある。例えば、一般的に直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略称ＯＦＤＭ）信号と組み合わせて使用する波形として、ｗ−ＯＦＤＭ（ｗｉｎｄｏｗｉｎｇ  ＯＦＤＭ）、ｆ−ＯＦＤＭ（ｆｉｌｔｅｒｅｄ  ＯＦＤＭ）が挙げられる。ｗ−ＯＦＤＭを例として、ＯＦＤＭ信号が生じた後に時間領域では１つの窓関数に乗じる必要があり、例えば、常用のレイズドコサインウィンドウｗ（ｎ）＝０．５｛１−ｃｏｓ［２＊ｐｉ＊ｎ／（Ｎ−１）］｝であり、ここで、ｎは時間領域サンプリング時間であり、Ｎは割り当て可能なパラメータであり、以上に挙げた窓関数は１つの時間領域のフィルタであると捉えられ、Ｎはフィルタパラメータである。
【００７８】
例えば、ネットワーク機器１０が端末機器２０に指示するアップリンクデータ伝送用の伝送帯域が１８００ｋＨｚ〜１８３０ｋＨｚであり、端末機器２０は、伝送帯域と基本パラメータセットとの間の対応関係に基づき、データ伝送用のサブキャリア間隔が３０ｋＨｚであることを決定し、且つ当該サブキャリア間隔とフィルタリング波形との間の対応関係に基づき、当該データ処理用の波形がｗ−ＯＦＤＭであることを決定し、それにより端末機器２０は、ｗ−ＯＦＤＭ波形に基づいて送信対象のアップリンクデータを処理し、且つ３０ｋＨｚのサブキャリア間隔で、帯域１８００ｋＨｚ〜１８３０ｋＨｚでネットワーク機器１０へ当該アップリンクデータを送信する。ネットワーク機器１０が端末機器３０に指示するダウンリンクデータ伝送用の伝送帯域が１９２０ｋＨｚ〜２０００ｋＨであり、端末機器３０は、伝送帯域と基本パラメータセットとの間の対応関係に基づき、データ伝送用のサブキャリア間隔が６０ｋＨｚであることを決定し、且つ当該サブキャリア間隔とフィルタリング波形との間の対応関係に基づき、当該データ処理用の波形がｆ−ＯＦＤＭであることを決定し、それにより端末機器３０は、６０ｋＨｚのサブキャリア間隔に基づき、帯域１９２０ｋＨｚ〜２０００ｋＨｚでネットワーク機器１０が送信する当該ダウンリンクデータを受信し、且つｆ−ＯＦＤＭ波形に基づいて受信した当該データを処理する。
【００７９】
任意選択的に、図２および図４に示されるデータの伝送方法、図５に示される本発明の別の実施例によるデータの伝送方法に基づき、２３０または３３０の後に、当該方法はさらに、４１１と、４２１とを含む。
【００８０】
４１１では、ネットワーク機器１０は、当該設定情報に基づき、端末機器２０へ当該データを送信する。
【００８１】
具体的には、ネットワーク機器１０は、当該基本パラメータセットにおけるパラメータに基づき、ネットワーク機器１０が端末機器２０に割り当てる当該データ伝送用の伝送帯域で、端末機器２０へ当該データを送信する。
【００８２】
４２１、端末機器２０は、当該設定情報に基づき、ネットワーク機器１０が送信する当該データを受信する。
【００８３】
具体的には、端末機器２０は、当該基本パラメータセットにおけるパラメータに基づき、ネットワーク機器１０が端末機器２０に割り当てる当該データ伝送用の伝送帯域で、ネットワーク機器１０が送信する当該データを受信する。
【００８４】
当該設定情報がさらに基本パラメータセットとフィルタリング方式との対応関係を含むと、４２１の後に、当該方法はさらに、端末機器２０が当該フィルタリング方式に基づいて受信した当該データを処理するステップを含む。
【００８５】
具体的には、端末機器２０は、ネットワーク機器１０が送信する設定情報に指示されるフィルタリング方式例えば適切なベースバンドフィルタタイプまたはフィルタリング波形に基づき、受信した当該データに対してフィルタリング処理を行う。
【００８６】
任意選択的に、４１１および４２１はさらに、それぞれ図５に示される４１２および４２２によって代替されてもよく、図５は本発明の実施例によるデータの伝送方法のフローインタラクション図である。
【００８７】
４１２、端末機器２０は、当該設定情報に基づき、ネットワーク機器１０へ当該データを送信する。
【００８８】
具体的には、端末機器２０は、当該基本パラメータセットにおけるパラメータに基づき、ネットワーク機器１０が端末機器２０に割り当てる当該データ伝送用の伝送帯域で、ネットワーク機器１０へ当該データを送信することができる。
【００８９】
４２２、ネットワーク機器１０は、当該設定情報に基づき、端末機器２０が送信する当該データを受信する。
【００９０】
具体的には、ネットワーク機器１０は、当該基本パラメータセットにおけるパラメータに基づき、ネットワーク機器１０が端末機器２０に割り当てる当該データ伝送用の伝送帯域で、端末機器２０が送信する当該データを受信する。
【００９１】
当該設定情報がさらに基本パラメータセットとフィルタリング方式との対応関係を含むと、４２１の前に、当該方法はさらに、端末機器２０が当該フィルタリング方式に基づいて送信対象の当該データを処理するステップを含む。
【００９２】
具体的には、端末機器２０は、ネットワーク機器１０が送信する設定情報に指示されるフィルタリング方式例えば適切なベースバンドフィルタタイプまたはフィルタリング波形に基づき、送信対象の当該データに対してフィルタリング処理を行い、且つネットワーク機器へ処理済みの当該データを送信する。
【００９３】
なお、本発明の実施例におけるネットワーク機器１０と端末機器２０との間の当該データ伝送は、サービスデータの伝送を含んでもよく、制御シグナリングの伝送を含んでもよく、ここで限定されない。
【００９４】
従って、本発明の実施例に記載の方法によれば、端末機器は、ネットワーク機器が指示する伝送帯域に基づいてデータ伝送用の基本パラメータセットを知ることができ、ネットワーク機器が送信した現在実行しようとするデータ伝送に使用される当該基本パラメータセットを受信する必要がなく、ダウンリンクシグナリングのオーバーヘッドを省くことができる。
【００９５】
図７に本発明の別の実施例によるデータの伝送方法の概略フローチャートを示す。図７に示される方法は、ネットワーク機器１０によって実行されてもよく、以下を含む。
【００９６】
７０１、ネットワーク機器１０が現在のネットワーク状況に応じて、使用可能な帯域リソースを少なくとも１つの伝送帯域に区切る。
【００９７】
７０２、ネットワーク機器１０が前記少なくとも１つの伝送帯域と少なくとも１つの基本パラメータセットとの間の対応関係を決定する。
【００９８】
７０３、ネットワーク機器１０が前記対応関係を含む設定情報をブロードキャストする。
【００９９】
具体的には、ネットワーク機器１０は、そのカバレッジ範囲内の端末機器の数量、これらの端末機器のカバレッジ状況、搬送波における重要な周波数帯域の情報、現在実行されているサービス種類または伝送されるデータのタイプ等の情報に基づき、使用可能な帯域リソースを、データ伝送用の少なくとも１つの伝送帯域に区分でき、各伝送帯域がいずれも１つの基本パラメータセットに対応し、これらの帯域で伝送されるデータが使用する基本パラメータセットが当該伝送帯域に対応する基本パラメータセットである。これらの伝送帯域で伝送されるデータが使用する基本パラメータセットは、同一でもよく、異なっていてもよく、これらの伝送帯域の間は、隣接してもよく、隣接しなくてもよい。ネットワーク機器１０は、当該少なくとも１つの伝送帯域と少なくとも１つの基本パラメータセットとの間の対応関係を決定した後、ブロードキャストの方式により、当該対応関係をブロードキャストでき、それによりそのカバレッジ内の端末機器は、いずれも当該少なくとも１つの伝送帯域と少なくとも１つの基本パラメータセットとの間の対応関係を知ることができる。
【０１００】
例えば、表１に示すように、ネットワーク機器１０は、使用可能な帯域リソースをデータ伝送用の４つの伝送帯域に区切ると仮定し、各伝送帯域が１種の基本パラメータセットに対応する。当該基本パラメータセットがサブキャリア間隔を含むと仮定する。ネットワーク機器１０は第１の帯域、すなわち１００ｋＨ〜１６０ｋＨｚの帯域で伝送されるデータが使用するサブキャリア間隔が１５ｋＨであり、第２の帯域、すなわち１６０ｋＨ〜２２０ｋＨｚの帯域で伝送されるデータが使用するサブキャリア間隔が１５ｋＨであり、第３の帯域、すなわち２５０ｋＨ〜３１０ｋＨｚの帯域で伝送されるデータが使用するサブキャリア間隔が３０ｋＨであり、第４の帯域、すなわち３７０ｋＨ〜４９０ｋＨｚの帯域で伝送されるデータが使用するサブキャリア間隔が６０ｋＨであることを決定することができる。
【０１０１】
従って、異なる伝送帯域に基づくデータ伝送に対して異なる基本パラメータセットを用いてスケジューリングすることを実現でき、制御シグナリング設計の柔軟性を増加させる。
【０１０２】
また、ネットワーク機器がブロードキャストした帯域リソースの区分状況、および区切った後の伝送帯域でデータを伝送する際に使用される基本パラメータセットにより、端末機器は、ネットワーク機器が送信した、現在のデータ伝送に使用される基本パラメータセットを受信する必要がなく、ダウンリンクシグナリングのオーバーヘッドを省くことができる。
【０１０３】
なお、基本パラメータセットと伝送帯域との間の当該対応関係は、ネットワーク機器１０により決定されてもよく、ネットワーク機器１０と端末機器２０との間で予め定められてもよい。
【０１０４】
任意選択的に、前記設定情報はさらに、前記設定情報の持続時間を含む。
【０１０５】
具体的には、ネットワーク機器１０による帯域リソースに対する区分状況、および区切った後の伝送帯域と基本パラメータセットとの間の対応関係が非常に重要なシステム情報であるため、ネットワーク機器１０は、現在時間周期内に当該設定情報を繰り返して送信でき、毎回当該設定情報をブロードキャストする場合、いずれも当該設定情報の持続時間を更新でき、この時、当該設定情報がさらに当該設定情報の持続時間を含んでもよい。
【０１０６】
任意選択的に、前記少なくとも１つの伝送帯域は、アップリンクデータおよび／またはダウンリンクデータを伝送するために用いることができる。
【０１０７】
具体的には、当該少なくとも１つの伝送帯域と少なくとも１つの基本パラメータセットとの間の当該対応関係は、アップリンクデータ伝送用の伝送帯域と基本パラメータセットとの間の対応関係、および／またはダウンリンクデータ伝送用の伝送帯域と基本パラメータセットとの間の対応関係を含んでもよい。伝送される当該データがダウンリンクデータであれば、当該設定情報は、ダウンリンクデータをスケジューリングするための設定情報であり、ネットワーク機器１０が端末機器２０へ当該ダウンリンクデータを送信した後、端末機器２０は、伝送帯域位置を指示する指示情報および当該設定情報に基づき、指示した伝送帯域で適切な基本パラメータセットを用いてネットワーク機器１０が送信する当該ダウンリンクデータを正確に受信し、伝送される当該データがアップリンクデータであれば、当該設定情報は、アップリンクデータをスケジューリングするための設定情報であり、端末機器２０は、伝送帯域を指示する指示情報および当該設定情報に基づき、指示した伝送帯域で適切な基本パラメータセットを用いてネットワーク機器１０へ当該アップリンクデータを送信し、ネットワーク機器１０は、端末機器２０が送信する当該アップリンクデータを受信する。
【０１０８】
任意選択的に、前記設定情報はさらに、前記少なくとも１つの基本パラメータセットと少なくとも１種のフィルタリング方式との間の対応関係を含む。
【０１０９】
任意選択的に、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１１０】
任意選択的に、前記少なくとも１つの伝送帯域の間は、保護帯域を含む。当該保護帯域の高周波数側および低周波数側は、異なる基本パラメータセットに基づいて伝送されるデータが使用する伝送帯域とそれぞれ隣接し、端末機器２０は、当該保護帯域内で当該データを送信または受信しない。
【０１１１】
任意選択的に、前記保護帯域の帯域幅は、前記ネットワーク機器がサポートする最小のサブキャリア間隔の整数倍である。
【０１１２】
当該設定情報に関する詳細な説明は、図４における２５０および２６０の設定情報に対する説明を参照でき、簡潔にするために、ここでは説明を省略する。
【０１１３】
なお、本発明の各種の実施例によれば、上記各過程の番号の大小は、実行順序の前後を意味せず、各過程の実行順序がその機能およびロジックにより決定され、本発明の実施例の実施過程を限定するものではない。
【０１１４】
以上は、本発明の実施例によるデータの伝送方法を詳細に説明し、以下は、本発明の実施例によるネットワーク機器および端末機器を説明する。なお、本発明の実施例によるネットワーク機器および端末機器は、前述した本発明の実施例の各種の方法を実行でき、すなわち以下の各種の機器の具体的な動作過程は、前述した方法の実施例の対応過程を参照することができる。
【０１１５】
図８は本発明の実施例による端末機器８００の概略ブロック図である。図８に示すように、端末機器８００は、伝送モジュール８０１と、決定モジュール８０２とを含む。
伝送モジュール８０１は、前記データ伝送用の伝送帯域を指示するための、ネットワーク機器により送信された指示情報を受信するために用いられ、
決定モジュール８０２は、伝送モジュール８０１が決定した前記伝送帯域に基づき、前記データ伝送用の基本パラメータセットを決定するために用いられ、
伝送モジュール８０１はさらに、決定モジュール８０２が決定した前記基本パラメータセットに基づき、前記伝送帯域で前記ネットワーク機器へ前記データを送信し、或いは前記ネットワーク機器が送信した前記データを受信するために用いられる。
【０１１６】
従って、端末機器は、ネットワーク機器が指示する伝送帯域に基づいてデータ伝送用の基本パラメータセットを知ることができ、ネットワーク機器が送信した現在実行しようとするデータ伝送に使用される当該基本パラメータセットを受信する必要がなく、ダウンリンクシグナリングのオーバーヘッドを省くことができる。
【０１１７】
任意選択的に、決定モジュール８０２が前記伝送帯域に基づき、前記データ伝送用の基本パラメータセットを決定する前に、伝送モジュール８０１はさらに、前記ネットワーク機器がブロードキャストした伝送帯域と基本パラメータセットとの間の第１の対応関係を含む設定情報を受信するために用いられ、決定モジュール８０２は具体的には、前記伝送帯域、および伝送帯域と基本パラメータセットとの間の前記第１の対応関係に基づき、前記データ伝送用の基本パラメータセットを決定するために用いられる。
【０１１８】
任意選択的に、前記設定情報はさらに、前記設定情報の持続時間を含む。
【０１１９】
任意選択的に、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
【０１２０】
任意選択的に、前記設定情報はさらに、基本パラメータセットとフィルタリング方式との間の第２の対応関係を含み、決定モジュール８０２が前記伝送帯域に基づき、前記データ伝送用の基本パラメータセットを決定した後、決定モジュール８０２はさらに、前記基本パラメータセット、および基本パラメータセットとフィルタリング方式との間の前記第２の対応関係に基づき、前記基本パラメータセットに対応するフィルタリング方式を決定するために用いられ、伝送モジュール８０１は具体的には、前記フィルタリング方式に基づいて前記データを処理し、且つ前記基本パラメータセットに基づき、前記伝送帯域で前記ネットワーク機器へ処理済みの前記データを送信し、または前記基本パラメータセットに基づき、前記伝送帯域で前記ネットワーク機器が送信した前記データを受信し、且つ前記フィルタリング方式に基づいて受信した前記データを処理するために用いられる。
【０１２１】
任意選択的に、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１２２】
任意選択的に、前記指示情報は、複数の伝送帯域における前記伝送帯域の対応位置の情報を指示し、或いは前記伝送帯域の開始位置および終止位置を指示するために用いられる。
【０１２３】
任意選択的に、前記伝送帯域と前記ネットワーク機器が第２の端末機器に指示する伝送帯域との間は、保護帯域を含む。
【０１２４】
任意選択的に、前記保護帯域の帯域幅は、前記ネットワーク機器がサポートする最小のサブキャリア間隔の整数倍である。
【０１２５】
任意選択的に、前記基本パラメータセットは、サブキャリア間隔を含む。
【０１２６】
なお、本発明の実施例において、伝送モジュール８０１は、送受信機によって実現することができる。図９に示すように、端末機器９００はプロセッサ９１０と、送受信機９２０と、メモリ９３０とを含んでもよい。ただし、送受信機９２０は、受信機９２１と、送信機９２２とを含んでもよく、メモリ９３０は、基本パラメータセットおよびフィルタリング方式等の相関情報を記憶するために用いられ、さらにプロセッサ９１０が実行するコード等を記憶するために用いられる。端末機器９００における各ユニットは、バスシステム９４０を介して結合され、ただし、バスシステム９４０は、データバスを含む以外に、さらに電源バス、コントロールバスおよび状態信号バス等を含む。
【０１２７】
ただし、送受信機９２０は、前記データ伝送用の伝送帯域を指示するための、ネットワーク機器により送信された指示情報を受信するために用いられ、プロセッサ９１０は、前記伝送帯域に基づき、前記データ伝送用の基本パラメータセットを決定するために用いられ、送受信機９２０はさらに、前記基本パラメータセットに基づき、前記伝送帯域で前記ネットワーク機器へ前記データを送信し、或いは前記ネットワーク機器が送信した前記データを受信するために用いられる。
【０１２８】
任意選択的に、プロセッサ９１０が前記伝送帯域に基づき、前記データ伝送用の基本パラメータセットを決定する前に、送受信機９２０はさらに、前記ネットワーク機器がブロードキャストする伝送帯域と基本パラメータセットとの間の第１の対応関係を含む設定情報を受信するために用いられ、プロセッサ９１０は具体的には、前記伝送帯域、および伝送帯域と基本パラメータセットとの間の前記第１の対応関係に基づき、前記データ伝送用の基本パラメータセットを決定するために用いられる。
【０１２９】
任意選択的に、前記設定情報はさらに、前記設定情報の持続時間を含む。
【０１３０】
任意選択的に、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
【０１３１】
任意選択的に、前記設定情報はさらに、基本パラメータセットとフィルタリング方式との間の第２の対応関係を含み、プロセッサ９１０が前記伝送帯域に基づき、前記データ伝送用の基本パラメータセットを決定した後、プロセッサ９１０はさらに、前記基本パラメータセット、および基本パラメータセットとフィルタリング方式との間の前記第２の対応関係に基づき、前記基本パラメータセットに対応するフィルタリング方式を決定するために用いられ、送受信機９２０は具体的には、前記フィルタリング方式に基づいて前記データを処理し、且つ前記基本パラメータセットに基づき、前記伝送帯域で前記ネットワーク機器へ処理済みの前記データを送信するために用いられ、または前記基本パラメータセットに基づき、前記伝送帯域で前記ネットワーク機器が送信した前記データを受信し、且つ前記フィルタリング方式に基づいて受信した前記データを処理するために用いられる。
【０１３２】
任意選択的に、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１３３】
任意選択的に、前記指示情報は、複数の伝送帯域における前記伝送帯域の対応位置の情報を指示し、或いは前記伝送帯域の開始位置および終止位置を指示するために用いられる。
【０１３４】
任意選択的に、前記伝送帯域と前記ネットワーク機器が第２の端末機器に指示する伝送帯域との間は、保護帯域を含む。
【０１３５】
任意選択的に、前記保護帯域の帯域幅は、前記ネットワーク機器がサポートする最小のサブキャリア間隔の整数倍である。
【０１３６】
任意選択的に、前記基本パラメータセットは、サブキャリア間隔を含む。
【０１３７】
図１０は本発明の実施例によるシステムチップの概略構成図である。図１０のシステムチップ１０００は、入力インターフェース１００１と、出力インターフェース１００２と、少なくとも１つのプロセッサ１００３と、メモリ１００４とを含み、入力インターフェース１００１、出力インターフェース１００２、プロセッサ１００３およびメモリ１００４の間は、バス１００５を介して接続され、プロセッサ１００３は、メモリ１００４におけるコードを実行するために用いられ、前記コードが実行される場合、プロセッサ１００３は、図２から図６における端末機器２０に実行される方法を実現する。
【０１３８】
図８に示される端末機器８００または図９に示される端末機器９００または図１０に示されるシステムチップ１０００は、前述した図２から図６の方法例における端末機器２０により実現される各過程を実現でき、重複を避けるために、ここでは説明を省略する。
【０１３９】
図１１に本発明の実施例によるネットワーク機器１１００の概略ブロック図を示す。図１１に示すように、ネットワーク機器１１００は、決定モジュール１１０１と、伝送モジュール１１０２とを含む。
決定モジュール１１０１は、前記データ伝送用の伝送帯域を決定するために用いられ、
伝送モジュール１１０２は、決定モジュール１１０１が決定した前記伝送帯域を指示することにより、前記第１の端末機器が前記伝送帯域に基づき、前記データ伝送用の基本パラメータセットを決定するための指示情報を第１の端末機器に送信するために用いられ、
伝送モジュール１１０２はさらに、決定モジュール１１０１が決定した前記伝送帯域で前記第１の端末機器が送信した前記データを受信し、或いは前記第１の端末機器へ前記データを送信するために用いられる。
【０１４０】
従って、端末機器は、ネットワーク機器が指示する伝送帯域に基づいてデータ伝送用の基本パラメータセットを知ることができ、端末機器へ現在実行しようとするデータ伝送に使用される当該基本パラメータセットを送信する必要がなく、ダウンリンクシグナリングのオーバーヘッドを省くことができる。
【０１４１】
任意選択的に、伝送モジュール１１０２が第１の端末機器に指示情報を送信する前に、決定モジュール１１０１はさらに、伝送帯域と基本パラメータセットとの間の第１の対応関係を決定するために用いられ、伝送モジュール１１０２はさらに、前記第１の対応関係を含む設定情報をブロードキャストすることにより、前記第１の端末機器が前記伝送帯域と前記第１の対応関係に基づいて前記データ伝送用の基本パラメータセットを決定するために用いられる。
【０１４２】
任意選択的に、前記設定情報はさらに、前記設定情報の持続時間を含む。
【０１４３】
任意選択的に、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
【０１４４】
任意選択的に、前記設定情報はさらに、基本パラメータセットとフィルタリング方式との間の第２の対応関係を含み、それにより前記第１の端末機器は、前記基本パラメータセットとフィルタリング方式との間の前記第２の対応関係に基づき、前記データを処理するためのフィルタリング方式を決定し、伝送モジュール１１０２が前記設定情報をブロードキャストする前に、決定モジュール１１０１はさらに、基本パラメータセットとフィルタリング方式との間の前記第２の対応関係を決定するために用いられる。
【０１４５】
任意選択的に、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１４６】
任意選択的に、前記指示情報は、複数の伝送帯域における前記伝送帯域の対応位置の情報を指示し、或いは前記伝送帯域の開始位置および終止位置を指示するために用いられる。
【０１４７】
任意選択的に、前記伝送帯域と前記ネットワーク機器が第２の端末機器に指示する伝送帯域との間は、保護帯域を含む。
【０１４８】
任意選択的に、前記保護帯域の帯域幅は、前記ネットワーク機器がサポートする最小のサブキャリア間隔の整数倍である。
【０１４９】
任意選択的に、前記基本パラメータセットは、サブキャリア間隔を含む。
【０１５０】
任意選択的に、前記決定モジュール１１０１は具体的には、所定の複数の基本パラメータセットから前記データ伝送用の前記基本パラメータセットを決定するために用いられることを特徴とする。
【０１５１】
なお、本発明の実施例において、決定モジュール１１０１は、プロセッサにより実現することができ、伝送モジュール１１０２は、送受信機により実現することができる。図１２に示すように、ネットワーク機器１２００は、プロセッサ１２１０と、送受信機１２２０と、メモリ１２３０とを含んでもよい。ただし、送受信機１２２０は、受信機１２２１と、送信機１２２２とを含んでもよく、メモリ１２３０は、基本パラメータセット、保護帯域およびフィルタリング方式等の相関情報を記憶するために用いられ、さらにプロセッサ１２１０が実行するコード等を記憶するために用いられる。ネットワーク機器１２００における各ユニットは、バスシステム１２４０を介して結合され、ただし、バスシステム１２４０は、データバスを含む以外に、さらに電源バス、制御バスおよび状態信号バス等を含む。
【０１５２】
ただし、プロセッサ１２１０は具体的には、前記データ伝送用の伝送帯域を決定するために用いられ、送受信機１２２０は、前記伝送帯域を指示することにより、前記第１の端末機器が前記伝送帯域に基づき、前記データ伝送用の基本パラメータセットを決定するための指示情報を第１の端末機器に送信し、前記伝送帯域で前記第１の端末機器が送信した前記データを受信し、或いは前記第１の端末機器へ前記データを送信するために用いられる。
【０１５３】
任意選択的に、送受信機１２２０が第１の端末機器に指示情報を送信する前に、プロセッサ１２１０はさらに、伝送帯域と基本パラメータセットとの間の第１の対応関係を決定するために用いられ、送受信機１２２０はさらに、前記第１の対応関係を含む設定情報をブロードキャストすることにより、前記第１の端末機器が前記伝送帯域と前記第１の対応関係に基づいて前記データ伝送用の基本パラメータセットを決定するために用いられる。
【０１５４】
任意選択的に、前記設定情報はさらに、前記設定情報の持続時間を含む。
【０１５５】
任意選択的に、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
【０１５６】
任意選択的に、前記設定情報はさらに、基本パラメータセットとフィルタリング方式との間の第２の対応関係を含み、それにより前記第１の端末機器は、前記基本パラメータセットとフィルタリング方式との間の前記第２の対応関係に基づき、前記データを処理するためのフィルタリング方式を決定し、送受信機１２２０が前記設定情報をブロードキャストする前に、プロセッサ１２１０はさらに、基本パラメータセットとフィルタリング方式との間の前記第２の対応関係を決定するために用いられる。
【０１５７】
任意選択的に、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１５８】
任意選択的に、前記指示情報は、複数の伝送帯域における前記伝送帯域の対応位置の情報を指示し、或いは前記伝送帯域の開始位置および終止位置を指示するために用いられる。
【０１５９】
任意選択的に、前記伝送帯域と前記ネットワーク機器が第２の端末機器に指示する伝送帯域との間は、保護帯域を含む。
【０１６０】
任意選択的に、前記保護帯域の帯域幅は、前記ネットワーク機器がサポートする最小のサブキャリア間隔の整数倍である。
【０１６１】
任意選択的に、前記基本パラメータセットは、サブキャリア間隔を含む。
【０１６２】
任意選択的に、プロセッサ１２１０は具体的には、所定の複数の基本パラメータセットから前記データ伝送用の前記基本パラメータセットを決定するために用いられることを特徴とする。
【０１６３】
図１３は本発明の実施例によるシステムチップの概略構成図である。図１３のシステムチップ１３００は、入力インターフェース１３０１と、出力インターフェース１３０２と、少なくとも１つのプロセッサ１３０３と、メモリ１３０４とを含み、入力インターフェース１３０１、出力インターフェース１３０２、プロセッサ１３０３およびメモリ１３０４の間は、バス１３０５を介して接続され、プロセッサ１３０３は、メモリ１３０４におけるコードを実行するために用いられ、前記コードが実行される場合、プロセッサ１３０３は、図２から図６におけるネットワーク機器１０に実行される方法を実現する。
【０１６４】
図１０に示されるネットワーク機器１０００または図１１に示されるネットワーク機器１１００または図１２に示されるシステムチップ１２００は、前述した図２から図６の方法例におけるネットワーク機器１０により実現される各過程を実現でき、重複を避けるために、ここでは説明を省略する。
【０１６５】
図１４は本発明の別の実施例によるネットワーク機器１４００の概略ブロック図である。図１４に示すように、ネットワーク機器１４００は、区切りモジュール１４０１と、決定モジュール１４０２と、伝送モジュール１４０３とを含む。
区切りモジュール１４０１が使用可能な帯域リソースを少なくとも１つの伝送帯域に区切るために用いられ、
決定モジュール１４０２が前記少なくとも１つの伝送帯域と少なくとも１つの基本パラメータセットとの間の対応関係を決定するために用いられ、
伝送モジュール１４０３が前記対応関係を含む設定情報をブロードキャストするために用いられる。
【０１６６】
従って、本発明の実施例によるネットワーク機器は、異なる伝送帯域に基づくデータ伝送に対して異なる基本パラメータセットを用いてスケジューリングすることを実現でき、制御シグナリング設計の柔軟性を増加させる。
【０１６７】
また、ネットワーク機器がブロードキャストした帯域リソースの区分状況、および区切った後の伝送帯域でデータを伝送する際に使用される基本パラメータセットにより、端末機器は、ネットワーク機器が送信した、現在のデータ伝送に使用される基本パラメータセットを受信する必要がなく、ダウンリンクシグナリングのオーバーヘッドを省くことができる。
【０１６８】
任意選択的に、前記指示情報は、複数の伝送帯域における前記伝送帯域の対応位置の情報を指示し、或いは前記伝送帯域の開始位置および終止位置を指示するために用いられる。
【０１６９】
任意選択的に、前記設定情報はさらに、前記設定情報の持続時間を含む。
【０１７０】
任意選択的に、前記少なくとも１つの伝送帯域は、アップリンクデータおよび／またはダウンリンクデータを伝送するために用いられる。
【０１７１】
任意選択的に、前記設定情報はさらに、前記少なくとも１つの基本パラメータセットと少なくとも１種のフィルタリング方式との間の対応関係を含む。
【０１７２】
任意選択的に、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１７３】
任意選択的に、前記少なくとも１つの伝送帯域の間は、保護帯域を含む。
【０１７４】
任意選択的に、前記保護帯域の帯域幅は、前記ネットワーク機器がサポートする最小のサブキャリア間隔の整数倍である。
【０１７５】
任意選択的に、前記基本パラメータセットは、サブキャリア間隔を含む。
【０１７６】
なお、本発明の実施例において、区切りモジュール１４０１および決定モジュール１４０２は、プロセッサにより実現することができ、伝送モジュール１４０３は、送受信機により実現することができる。図１５に示すように、ネットワーク機器１２００は、プロセッサ１５１０と、送受信機１５２０と、メモリ１５３０とを含んでもよい。ただし、送受信機１５２０は、受信機１５２１と、送信機１５２２とを含んでもよく、メモリ１５３０は、基本パラメータセット、保護帯域およびフィルタリング方式等の相関情報を記憶するために用いられ、さらにプロセッサ１５１０が実行するコード等を記憶するために用いられる。ネットワーク機器１５００における各ユニットは、バスシステム１５４０を介して結合され、ただし、バスシステム１５４０は、データバスを含む以外に、さらに電源バス、制御バスおよび状態信号バス等を含む。
【０１７７】
ただし、プロセッサ１５１０は、使用可能な帯域リソースを少なくとも１つの伝送帯域に区切り、前記少なくとも１つの伝送帯域と少なくとも１つの基本パラメータセットとの間の対応関係を決定するために用いられ、送受信機１５２０は、前記対応関係を含む設定情報をブロードキャストするために用いられる。
【０１７８】
任意選択的に、前記指示情報は、複数の伝送帯域における前記伝送帯域の対応位置の情報を指示し、或いは前記伝送帯域の開始位置および終止位置を指示するために用いられる。
【０１７９】
任意選択的に、前記設定情報はさらに、前記設定情報の持続時間を含む。
【０１８０】
任意選択的に、前記少なくとも１つの伝送帯域は、アップリンクデータおよび／またはダウンリンクデータを伝送するために用いられる。
【０１８１】
任意選択的に、前記設定情報はさらに、前記少なくとも１つの基本パラメータセットと少なくとも１種のフィルタリング方式との間の対応関係を含む。
【０１８２】
任意選択的に、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１８３】
任意選択的に、前記少なくとも１つの伝送帯域の間は、保護帯域を含む。
【０１８４】
任意選択的に、前記保護帯域の帯域幅は、前記ネットワーク機器がサポートする最小のサブキャリア間隔の整数倍である。
【０１８５】
任意選択的に、前記基本パラメータセットは、サブキャリア間隔を含む。
【０１８６】
図１６は本発明の別の実施例によるシステムチップの概略構成図である。図１６のシステムチップ１６００は、入力インターフェース１６０１と、出力インターフェース１６０２と、少なくとも１つのプロセッサ１６０３と、メモリ１６０４とを含み、入力インターフェース１６０１、出力インターフェース１６０２、プロセッサ１６０３およびメモリ１６０４の間は、バス１６０５を介して接続され、プロセッサ１６０３は、メモリ１６０４におけるコードを実行するために用いられ、前記コードが実行される場合、前記プロセッサ１６０３は、図２から図６におけるネットワーク機器１０に実行される方法を実現する。
【０１８７】
図１４に示されるネットワーク機器１４００または図１５に示されるネットワーク機器１５００または図１６に示されるシステムチップ１６００は、前述した図２から図７の方法例においてネットワーク機器１０により実現される各過程を実現でき、重複を避けるために、ここでは説明を省略する。
【０１８８】
なお、本発明の実施例におけるプロセッサは、信号の処理能力を有する集積回路チップであってもよい。実現過程に、上記方法例の各ステップは、プロセッサにおけるハードウェアの集積ロジック回路またはソフトウェア形式のコマンドを介して完了することができる。上記プロセッサは、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）または他のプログラマブル論理デバイス、離散ゲートまたはトランジスタ論理回路、離散ハードウェアコンポーネントであってもよい。本発明の実施例に開示されている各方法、ステップおよび論理ブロックを実現しまたは実行することができる。汎用プロセッサは、マイクロプロセッサーであってもよく、または当該プロセッサは、任意の通常のプロセッサ等であってもよい。本発明の実施例に開示されている方法に係るステップは、直接ハードウェアデコードプロセッサにより実行を完了してもよく、またはデコードプロセッサにおけるハードウェアおよびソフトウェアモジュールを組み合わせて実行を完了してもよい。ソフトウェアモジュールは、ランダムアクセスメモリ、フラッシュメモリ、読み出し専用メモリ、プログラマブル読み出し専用メモリまたは電子的消去可能プログラマブルメモリ、レジスタ等の本分野で成熟した記憶媒体に位置する。当該記憶媒体は、メモリにあり、プロセッサは、メモリの情報を読み取り、そのハードウェアと組み合わせて上記方法のステップを完了する。
【０１８９】
なお、本発明の実施例におけるメモリは、揮発性メモリまたは不揮発性メモリであってもよく、または揮発性メモリと不揮発性メモリの両者を含んでもよい。ただし、不揮発性メモリは、読み出し専用メモリ（Ｒｅａｄ−Ｏｎｌｙ  Ｍｅｍｏｒｙ、略称ＲＯＭ）、プログラマブル読み出し専用メモリ（Ｐｒｏｇｒａｍｍａｂｌｅ  ＲＯＭ、略称ＰＲＯＭ）、消去可能プログラマブル読み出し専用メモリ（Ｅｒａｓａｂｌｅ  ＰＲＯＭ、略称ＥＰＲＯＭ）、電子的消去可能プログラマブル読み出し専用メモリ（Ｅｌｅｃｔｒｉｃａｌｌｙ  ＥＰＲＯＭ、略称ＥＥＰＲＯＭ）またはフラッシュメモリであってもよい。揮発性メモリは、ランダムアクセスメモリ（Ｒａｎｄｏｍ  Ａｃｃｅｓｓ  Ｍｅｍｏｒｙ、略称ＲＡＭ）であってもよく、外部キャッシュとして用いられる。制限的ではなく例示的な説明により、例えばスタティックランダムアクセスメモリ（Ｓｔａｔｉｃ  ＲＡＭ、略称ＳＲＡＭ）、ダイナミックランダムアクセスメモリ（Ｄｙｎａｍｉｃ  ＲＡＭ、略称ＤＲＡＭ）、シンクロナスダイナミックランダムアクセスメモリ（Ｓｙｎｃｈｒｏｎｏｕｓ  ＤＲＡＭ、略称ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、略称ＤＤＲＳＤＲＡＭ）、進化型シンクロナスダイナミックランダムアクセスメモリ（Ｅｎｈａｎｃｅｄ  ＳＤＲＡＭ、略称ＥＳＤＲＡＭ）、シンクリンクシンクロナスダイナミックランダムアクセスメモリ（Ｓｙｎｃｈｌｉｎｋ  ＤＲＡＭ、略称ＳＬＤＲＡＭ）および直接ランバスランダムアクセスメモリ（Ｄｉｒｅｃｔ  Ｒａｍｂｕｓ  ＲＡＭ、略称ＤＲＲＡＭ）などの多くの形式のＲＡＭは使用可能である。なお、本明細書に説明したシステムおよび方法のメモリは、これらまたは任意の他の適切なタイプのメモリを含むがこれらに限定されない。
【０１９０】
さらに、本明細書における用語「システム」および「ネットワーク」は、本明細書に常に変換して使用される。本明細書における用語「および」／「または」は、関連対象の関連関係のみを説明し、３種の関係が存在できることを示し、例えば、Ａおよび／またはＢは、Ａが独立して存在する場合、ＡとＢが同時に存在する場合、Ｂが独立して存在する場合という３種の場合である。さらに、本明細書における文字「／」は、一般的に前後関連対象が「または」の関係であることを示す。
【０１９１】
なお、本発明の実施例において、「Ａに対応するＢ」は、ＢがＡに関連することを示し、Ａに基づいてＢを決定する。しかしながら、Ａに基づいてＢを決定することはＡのみに基づいてＢを決定することを意味せず、さらに、Ａおよび／または他の情報に基づいてＢを決定できる。
【０１９２】
当業者であれば理解できるように、ここにおいて開示される実施形態と関係させて説明される様々な例示的なユニット、およびアルゴリズムステップを参照し、電子ハードウェア、またはコンピュータソフトウェアと電子ハードウェアの組合せによって実装でき、これらの機能のハードウェアまたはソフトウェアによる実装は、本技術的解決手段の個別的な適用および設計上の制限となる条件に依存する。当業者は、様々な方法を使用して、説明した機能を具体的な適用ごとに実装してもよいが、その実装は本発明の範囲を超えるとは考えるべきではない。
【０１９３】
当業者であれば明確に理解できるであろうが、説明の便宜上および簡潔化のために、上記説明したシステム、装置およびユニットの具体的な動作過程は、前述した方法例の対応する過程を参照することができるため、ここでは説明を省略する。
【０１９４】
本発明によって提供される幾つかの実施例において、指摘するシステム、装置および方法は、他の形態でも実現できる。例えば、以上で説明した装置の実施例は単なる概略的なものであり、例えば、前記ユニットの区分は、単なるロジック機能の区分であって、実際に実現する際には別の区分方式が可能であり、例えば、複数のユニットまたはアセンブリは結合し、または他のシステムに集積でき、または幾つかの特徴は無視してもよく、または実行しないようにすることができる。また、表示または討論する相互間の結合、または直接結合、または通信接続は、幾つかのインターフェース、装置、またはユニットの間接結合、または通信接続によって接続でき、電気、機械、または他の形式であってもよい。
【０１９５】
分離部材として説明した前記ユニットは、物理的に分離しても、或いは分離しなくてもよく、ユニットとして表示する部材は、物理ユニットであっても、または物理ユニットでなくてもよく、すなわち同一の場所に位置することができ、または複数のネットワークユニットに配置することもできる。実際の必要に応じて、その一部または全てのユニットを選択して、本実施形態の手段の目的を実現することができる。
【０１９６】
その他、本発明の各実施例における各機能ユニットは、同一の処理ユニットに集積することができ、各ユニットは独立して物理的に実在することもでき、２つ、或いは２つ以上のユニットを１つのユニットに集積することもできる。
【０１９７】
前記機能は、ソフトウェア機能ユニットの形式で実現し、且つ独立した製品として販売または使用する際、１つのコンピュータ読み取り可能な記憶媒体に記憶させることができる。本発明の技術的解決手段は本質的に、従来技術に対する貢献部分を、または技術的解決手段の一部を、ソフトウェア製品の形式で示すことができるという理解に基づき、当該コンピュータソフトウェア製品は、１つの記憶媒体に記憶され、それは１台のコンピュータ機器（パーソナルコンピュータ、サーバ、またはネットワーク機器等）が、本発明の各実施例における方法のステップの全てまたは一部を実行するための複数のコマンドを含む。前述した記憶媒体は、ＵＳＢメモリ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクまたは光ディスク等のプロクラムコードを記憶できる種々の媒体を含む。
【０１９８】
以上に記述されたのは、本発明の具体的な実施形態だけであり、本発明の範囲はこれに限定されるものではなく、当業者であれば本発明に開示された技術的範囲内で、想到し得る変更または置換は、いずれも本発明の範囲に属する。従って、本発明の保護範囲は特許請求の保護範囲に準じるものとする。
【図１】
2019530991.tif 000004
【図２】
2019530991.tif 000005
【図３】
2019530991.tif 000006
【図４】
2019530991.tif 000007
【図５】
2019530991.tif 000008
【図６】
2019530991.tif 000009
【図７】
2019530991.tif 000010
【図８】
2019530991.tif 000011
【図９】
2019530991.tif 000012
【図１０】
2019530991.tif 000013
【図１１】
2019530991.tif 000014
【図１２】
2019530991.tif 000015
【図１３】
2019530991.tif 000016
【図１４】
2019530991.tif 000017
【図１５】
2019530991.tif 000018
【図１６】
2019530991.tif 000019
【手続補正書】
【提出日】平成31年1月30日(2019.1.30)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、詳しく言えば、データの伝送方法、端末機器およびネットワーク機器に関する。
【背景技術】
【０００２】
第五世代移動通信技術（５Ｇ）技術では、ユーザ機器（Ｕｓｅｒ  Ｅｑｕｉｐｍｅｎｔ、略称ＵＥ）は、１つの搬送波内で様々な異なる基本パラメータセット（ｎｕｍｅｒｏｌｏｇｙ）をサポートできる。これらの異なる基本パラメータセットは、周波数分割多重（Ｆｒｅｑｕｅｎｃｙ  Ｄｉｖｉｓｉｏｎ  Ｍｕｌｔｉｐｌｅｘ、略称ＦＤＭ）の方式で多重化できる。同一の伝送時間間隔（Ｔｒａｎｓｍｉｓｓｉｏｎ  Ｔｉｍｅ  Ｉｎｔｅｒｖａｌ、略称ＴＴＩ）において、異なる周波数領域リソースを異なる基本パラメータセットに基づくデータ伝送に割り当て使用できる。例えばロングタームエボリューション（Ｌｏｎｇ  Ｔｅｒｍ  Ｅｖｏｌｕｔｉｏｎ、略称ＬＴＥ）システムにとって、サブキャリア（ｓｕｂｃａｒｒｉｅｒ）の帯域幅が１５ｋＨｚであり、シンボル（ｓｙｍｂｏｌ）の幅が１／１４ｍｓである。５Ｇ通信システムと４Ｇ通信システムとの最大の違いは、５Ｇシステムが異なる基本パラメータセットに基づくデータ伝送をサポートでき、５Ｇの端末も異なる基本パラメータセットに基づくデータ伝送をサポートでき、例えば、現在の５Ｇシステムのサブキャリアの帯域幅は１５＊２ｎＨｚ（ｎは非負の整数）であってもよいことである。従って、どのように異なる基本パラメータセットに基づくデータ伝送をスケジューリングするかということは早急な解決の待たれる問題である。
【発明の概要】
【発明が解決しようとする課題】
【０００３】
本発明の実施例は、どのように異なる基本パラメータセットに基づくデータ伝送をスケジューリングするかという問題を解決するためのデータの伝送方法、端末機器およびネットワーク機器を提供する。
【課題を解決するための手段】
【０００４】
第1の態様に係るデータの伝送方法は、第１の端末機器が前記データ伝送用の伝送帯域を指示するための、ネットワーク機器により送信された指示情報を受信するステップと、前記第１の端末機器が前記伝送帯域に基づき、前記データ伝送用の基本パラメータセットを決定するステップと、前記第１の端末機器が前記基本パラメータセットに基づき、前記伝送帯域で前記ネットワーク機器へ前記データを送信し、或いは前記ネットワーク機器が送信した前記データを受信するステップと、を含む。
従って、異なる伝送帯域に基づくデータ伝送に対して異なる基本パラメータセットを用いてスケジューリングすることを実現でき、制御シグナリング設計の柔軟性を増加させる。
また、端末機器は、ネットワーク機器が送信した、現在のデータ伝送に使用される当該基本パラメータセットを指示する情報を受信する必要がないため、ダウンリンクシグナリングのオーバーヘッドを省くことができる。
別の実施例として、前記第１の端末機器が前記伝送帯域に基づき、前記データ伝送用の基本パラメータセットを決定する前に、前記方法はさらに、前記第１の端末機器が、前記ネットワーク機器がブロードキャストした伝送帯域と基本パラメータセットとの間の第１の対応関係を含む設定情報を受信するステップを含み、前記第１の端末機器が前記伝送帯域に基づき、前記データ伝送用の基本パラメータセットを決定するステップは、前記第１の端末機器が前記伝送帯域、および伝送帯域と基本パラメータセットとの間の前記第１の対応関係に基づき、前記データ伝送用の基本パラメータセットを決定するステップを含む。
一つの実施形態において、ネットワーク機器は、物理ダウンリンク制御チャネルＰＤＣＣＨで当該設定情報をブロードキャストすることができる。
なお、基本パラメータセットと伝送帯域との間の当該対応関係は、ネットワーク機器により決定されてもよく、ネットワーク機器と端末機器との間で予め定められてもよい。
別の実施例として、前記設定情報はさらに、前記設定情報の持続時間を含む。
一つの実施形態において、ネットワーク機器は、所定の時間周期に従って前記設定情報をブロードキャストでき、各時間周期内にブロードキャストした設定情報に含まれる伝送帯域と基本パラメータセットとの間の対応関係は、異なってもよい。
別の実施例として、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
別の実施例として、前記設定情報はさらに、基本パラメータセットとフィルタリング方式との間の第２の対応関係を含み、前記第１の端末機器が前記伝送帯域に基づき、前記データ伝送用の基本パラメータセットを決定した後、前記方法はさらに、前記第１の端末機器が前記基本パラメータセット、および基本パラメータセットとフィルタリング方式との間の前記第２の対応関係に基づき、前記基本パラメータセットに対応するフィルタリング方式を決定するステップを含み、前記第１の端末機器が前記基本パラメータセットに基づき、前記伝送帯域で前記ネットワーク機器へ前記データを送信し、或いは前記ネットワーク機器が送信した前記データを受信するステップは、前記第１の端末機器が前記フィルタリング方式に基づいて前記データを処理し、且つ前記基本パラメータセットに基づき、前記伝送帯域で前記ネットワーク機器へ処理済みの前記データを送信するステップ、または前記第１の端末機器が前記基本パラメータセットに基づき、前記伝送帯域で前記ネットワーク機器が送信した前記データを受信し、且つ前記フィルタリング方式に基づいて受信した前記データを処理するステップを含む。
別の実施例として、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
別の実施例として、前記指示情報は、複数の伝送帯域における前記伝送帯域の対応位置の情報を指示し、或いは前記伝送帯域の開始位置および終止位置を指示するために用いられる。
すなわち、ネットワーク機器は、当該伝送帯域の開始位置および終止位置を直接指示してもよく、端末機器のスケジューリングリソースの割り当てられた基本パラメータセット領域での対応位置を指示してもよく、スケジューリングリソースの全体の搬送波での位置を指示する必要がない。
別の実施例として、前記伝送帯域と前記ネットワーク機器が第２の端末機器に指示する伝送帯域との間は、保護帯域を含む。
ただし、当該保護帯域の高周波数側および低周波数側は、異なる基本パラメータセットに基づいて伝送されるデータが使用する伝送帯域とそれぞれ隣接し、当該端末機器は、当該保護帯域で前記データを送信および受信しない。
従って、保護帯域を設定することにより、異なる基本パラメータセットに基づくデータ伝送の間に生じる相互干渉を回避する。
別の実施例として、前記保護帯域の帯域幅は、前記ネットワーク機器がサポートする最小のサブキャリア間隔の整数倍である。
別の実施例として、前記基本パラメータセットは、サブキャリア間隔を含む。
【０００５】
第２の態様に係る端末機器は、前述した第１の態様および各種の実現方式における、データ伝送用の方法での端末機器により実行される各過程を実行するために用いることができる。当該端末機器は、前記データ伝送用の伝送帯域を指示するための、ネットワーク機器により送信された指示情報を受信するための伝送モジュールと、前記伝送帯域に基づき、前記データ伝送用の基本パラメータセットを決定するための決定モジュールと、を含み、前記伝送モジュールはさらに、前記決定モジュールが決定した前記基本パラメータセットに基づき、前記伝送帯域で前記ネットワーク機器へ前記データを送信し、或いは前記ネットワーク機器が送信した前記データを受信するために用いられる。
【０００６】
第３の態様に係る端末機器は、前述した第１の態様および各種の実現方式における、データ伝送用の方法での端末機器により実行される各過程を実行するために用いることができる。当該端末機器は、前記データ伝送用の伝送帯域を指示するための、ネットワーク機器により送信された指示情報を受信するための送受信機と、前記伝送帯域に基づき、前記データ伝送用の基本パラメータセットを決定するためのプロセッサと、を含み、前記送受信機はさらに、前記決定モジュールが決定した前記基本パラメータセットに基づき、前記伝送帯域で前記ネットワーク機器へ前記データを送信し、或いは前記ネットワーク機器が送信した前記データを受信するために用いられる。
【０００７】
第４の態様に係るデータの伝送方法は、ネットワーク機器が前記データ伝送用の伝送帯域を決定するステップと、前記ネットワーク機器が第１の端末機器に、前記伝送帯域を指示することにより、前記第１の端末機器が前記伝送帯域に基づき、前記データ伝送用の基本パラメータセットを決定するための指示情報を送信するステップと、前記ネットワーク機器が前記伝送帯域で前記第１の端末機器が送信した前記データを受信し、或いは前記第１の端末機器へ前記データを送信するステップと、を含む。
従って、端末機器は、ネットワーク機器が指示する伝送帯域に基づいてデータ伝送用の基本パラメータセットを知ることができ、ネットワーク機器が送信した現在実行しようとするデータ伝送に使用される当該基本パラメータセットを受信する必要がなく、ダウンリンクシグナリングのオーバーヘッドを省くことができる。
別の実施例として、前記ネットワーク機器が第１の端末機器に指示情報を送信する前に、前記方法はさらに、前記ネットワーク機器が伝送帯域と基本パラメータセットとの間の第１の対応関係を決定するステップと、前記ネットワーク機器が前記第１の対応関係を含む設定情報をブロードキャストすることにより、前記第１の端末機器が前記伝送帯域および前記第１の対応関係に基づいて前記データ伝送用の基本パラメータセットを決定するステップと、を含む。
一つの実施形態において、ネットワーク機器は、物理ダウンリンク制御チャネルＰＤＣＣＨで当該設定情報をブロードキャストすることができる。
なお、基本パラメータセットと伝送帯域との間の当該対応関係は、ネットワーク機器により決定されてもよく、ネットワーク機器と端末機器との間で予め定められてもよい。
別の実施例として、前記設定情報はさらに、前記設定情報の持続時間を含む。
一つの実施形態において、ネットワーク機器は、所定の時間周期に従って前記設定情報をブロードキャストでき、各時間周期内にブロードキャストした設定情報に含まれる伝送帯域と基本パラメータセットとの間の対応関係は、異なってもよい。
別の実施例として、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
別の実施例として、前記設定情報はさらに、基本パラメータセットとフィルタリング方式との間の第２の対応関係を含み、それにより前記第１の端末機器が前記基本パラメータセットとフィルタリング方式との間の前記第２の対応関係に基づき、前記データを処理するためのフィルタリング方式を決定し、前記ネットワーク機器が前記設定情報をブロードキャストする前に、前記方法はさらに、前記ネットワーク機器が基本パラメータセットとフィルタリング方式との間の前記第２の対応関係を決定するステップを含む。
別の実施例として、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
別の実施例として、前記指示情報は、複数の伝送帯域における前記伝送帯域の対応位置の情報を指示し、或いは前記伝送帯域の開始位置および終止位置を指示するために用いられる。
すなわち、ネットワーク機器は、当該伝送帯域の開始位置および終止位置を直接指示してもよく、端末機器のスケジューリングリソースの割り当てられた基本パラメータセット領域での対応位置を指示してもよく、スケジューリングリソースの全体の搬送波での位置を指示する必要がない。
別の実施例として、前記伝送帯域と前記ネットワーク機器が第２の端末機器に指示する伝送帯域との間は、保護帯域を含む。
別の実施例として、前記保護帯域の帯域幅は、前記ネットワーク機器がサポートする最小のサブキャリア間隔の整数倍である。
別の実施例として、前記基本パラメータセットは、サブキャリア間隔を含む。
別の実施例として、前記ネットワーク機器が前記データ伝送用の伝送帯域を決定するステップは、前記ネットワーク機器が所定の複数の基本パラメータセットから前記データ伝送用の前記基本パラメータセットを決定するステップを含む。
【０００８】
第５の態様に係るネットワーク機器は、前述した第４の態様および各種の実現方式における、データ伝送用の方法でのネットワーク機器により実行される各過程を実行するために用いることができる。当該ネットワーク機器は、前記データ伝送用の伝送帯域を決定するための決定モジュールと、前記決定モジュールが決定した前記伝送帯域を指示することにより、前記第１の端末機器が前記伝送帯域に基づき、前記データ伝送用の基本パラメータセットを決定するための指示情報を第１の端末機器に送信するための伝送モジュールと、を含み、前記伝送モジュールはさらに、前記決定モジュールが決定した前記伝送帯域で前記第１の端末機器が送信した前記データを受信し、或いは前記第１の端末機器へ前記データを送信するために用いられる。
【０００９】
第６の態様に係るネットワーク機器は、前述した第４の態様および各種の実現方式における、データ伝送用の方法でのネットワーク機器により実行される各過程を実行するために用いることができる。当該ネットワーク機器は、前記データ伝送用の伝送帯域を決定するためのプロセッサと、前記プロセッサが決定した前記伝送帯域を指示することにより、前記第１の端末機器が前記伝送帯域に基づき、前記データ伝送用の基本パラメータセットを決定するための指示情報を第１の端末機器に送信するための送受信機と、を含み、前記送受信機はさらに、前記プロセッサが決定した前記伝送帯域で前記第１の端末機器が送信した前記データを受信し、或いは前記第１の端末機器へ前記データを送信するために用いられる。
【００１０】
第７の態様に係るデータの伝送方法は、ネットワーク機器が使用可能な帯域リソースを少なくとも１つの伝送帯域に区切るステップと、前記ネットワーク機器が前記少なくとも１つの伝送帯域と少なくとも１つの基本パラメータセットとの間の対応関係を決定するステップと、前記ネットワーク機器が前記対応関係を含む設定情報をブロードキャストするステップと、を含む。
従って、異なる伝送帯域に基づくデータ伝送に対して異なる基本パラメータセットを用いてスケジューリングすることを実現でき、制御シグナリング設計の柔軟性を増加させる。
また、ネットワーク機器がブロードキャストした帯域リソースの区分状況、および区切った後の伝送帯域でデータを伝送する際に使用される基本パラメータセットにより、端末機器は、ネットワーク機器が送信した、現在のデータ伝送に使用される基本パラメータセットを指示する情報を受信する必要がなく、ダウンリンクシグナリングのオーバーヘッドを省くことができる。
具体的には、ネットワーク機器は、そのカバレッジ範囲内の端末機器の数量、これらの端末機器のカバレッジ状況、搬送波における重要な周波数帯域の情報、現在実行されているサービス種類または伝送されるデータのタイプ等の情報に基づき、使用可能な帯域リソースを、データ伝送用の少なくとも１つの伝送帯域に区分でき、各伝送帯域がいずれも１つの基本パラメータセットに対応し、これらの帯域で伝送されるデータが使用する基本パラメータセットが当該伝送帯域に対応する基本パラメータセットである。これらの伝送帯域で伝送されるデータが使用する基本パラメータセットは、同一でもよく、異なっていてもよく、これらの伝送帯域の間は、隣接してもよく、隣接しなくてもよい。
一つの実施形態において、ネットワーク機器は、物理ダウンリンク制御チャネルＰＤＣＣＨで当該設定情報をブロードキャストすることができる。
別の実施例として、前記指示情報は、複数の伝送帯域における前記伝送帯域の対応位置の情報を指示し、或いは前記伝送帯域の開始位置および終止位置を指示するために用いられる。
別の実施例として、前記設定情報はさらに、前記設定情報の持続時間を含む。
一つの実施形態において、ネットワーク機器は、所定の時間周期に従って前記設定情報をブロードキャストでき、各時間周期内にブロードキャストした設定情報に含まれる伝送帯域と基本パラメータセットとの間の対応関係は、異なってもよい。
別の実施例として、前記少なくとも１つの伝送帯域は、アップリンクデータおよび／またはダウンリンクデータを伝送するために用いられる。
別の実施例として、前記設定情報はさらに、前記少なくとも１つの基本パラメータセットと少なくとも１種のフィルタリング方式との間の対応関係を含む。
別の実施例として、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
別の実施例として、前記少なくとも１つの伝送帯域の間は、保護帯域を含む。
ただし、当該保護帯域の高周波数側および低周波数側は、異なる基本パラメータセットに基づいて伝送されるデータが使用する伝送帯域とそれぞれ隣接し、当該端末機器は、当該保護帯域で前記データを送信および受信しない。
従って、保護帯域を設定することにより、異なる基本パラメータセットに基づくデータ伝送の間に生じる相互干渉を回避する。
別の実施例として、前記保護帯域の帯域幅は、前記ネットワーク機器がサポートする最小のサブキャリア間隔の整数倍である。
別の実施例として、前記基本パラメータセットは、サブキャリア間隔を含む。
【００１１】
第８の態様に係るネットワーク機器は、前述した第７の態様および各種の実現方式における、データ伝送用の方法でのネットワーク機器により実行される各過程を実行するために用いることができる。当該ネットワーク機器は、前記データ伝送用の伝送帯域を決定するための決定モジュールと、前記決定モジュールが決定した前記伝送帯域を指示することにより、前記第１の端末機器が前記伝送帯域に基づき、前記データ伝送用の基本パラメータセットを決定するための指示情報を第１の端末機器に送信するための伝送モジュールと、を含み、前記伝送モジュールはさらに、前記決定モジュールが決定した前記伝送帯域で前記第１の端末機器が送信した前記データを受信し、或いは前記第１の端末機器へ前記データを送信するために用いられる。
【００１２】
第９の態様に係るネットワーク機器は、前述した第７の態様および各種の実現方式における、データ伝送用の方法でのネットワーク機器により実行される各過程を実行するために用いることができる。当該ネットワーク機器は、前記データ伝送用の伝送帯域を決定するためのプロセッサと、前記プロセッサが決定した前記伝送帯域を指示することにより、前記第１の端末機器が前記伝送帯域に基づき、前記データ伝送用の基本パラメータセットを決定するための指示情報を第１の端末機器に送信するための送受信機と、を含み、前記送受信機はさらに、前記プロセッサが決定した前記伝送帯域で前記第１の端末機器が送信した前記データを受信し、或いは前記第１の端末機器へ前記データを送信するために用いられる。
【００１３】
第１０の態様に係るコンピュータ読み取り可能な記憶媒体は、ネットワーク機器に上記第１の態様、およびその各種の実現方式における任意の１種のデータ伝送用方法を実行させるプログラムが記憶されている。
【００１４】
第１１の態様に係るコンピュータ読み取り可能な記憶媒体は、端末機器に上記第４の態様、およびその各種の実現方式における任意の１種のデータ伝送用方法を実行させるプログラムが記憶されている。
【００１５】
第１２の態様に係るコンピュータ読み取り可能な記憶媒体は、ネットワーク機器に上記第７の態様、およびその各種の実現方式における任意の１種のデータ伝送用方法を実行させるプログラムが記憶されている。
【図面の簡単な説明】
【００１６】
本発明の実施例の技術的解決手段をより明確にするために、以下、本発明の実施例の説明に用いる必要な図面を簡単に紹介し、当然ながら、以下で説明する図面は本発明の幾つかの実施例に過ぎず、当業者であれば、創造的な努力を行わなくても、これらの図面に基づき他の図面を得ることができる。
【図１】本発明の適用シナリオの概略図である。
【図２】本発明の実施例によるデータの伝送方法のフローインタラクション図である。
【図３】保護帯域がない場合および保護帯域が存在する場合に異なる基本パラメータセットに基づくデータ伝送の概略図である。
【図４】本発明の別の実施例によるデータの伝送方法のフローインタラクション図である。
【図５】本発明の実施例によるデータの伝送方法のフローインタラクション図である。
【図６】本発明の実施例によるデータの伝送方法のフローインタラクション図である。
【図７】本発明の別の実施例によるデータの伝送方法の概略フローチャートである。
【図８】本発明の実施例による端末機器のブロック構成図である。
【図９】本発明の実施例による端末機器のブロック構成図である。
【図１０】本発明の実施例によるシステムチップの概略構成図である。
【図１１】本発明の実施例によるネットワーク機器のブロック構成図である。
【図１２】本発明の実施例によるネットワーク機器のブロック構成図である。
【図１３】本発明の実施例によるシステムチップの概略構成図である。
【図１４】本発明の別の実施例によるネットワーク機器のブロック構成図である。
【図１５】本発明の別の実施例によるネットワーク機器のブロック構成図である。
【図１６】本発明の別の実施例によるシステムチップの概略構成図である。
【発明を実施するための形態】
【００１７】
以下、本発明の実施例の図面を参照しながら、本発明の実施例の技術的解決手段について明確に、完全に説明する。当然ながら、記載する実施例は本発明の一部の実施例に過ぎず、すべての実施例ではない。本発明の実施例に基づき、当業者であれば創造的な労力を要さずに想到し得る他の実施例は、いずれも本発明の技術的範囲に属する。
【００１８】
なお、本発明の実施例の技術的解決手段は、各種の通信システム、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）システム、符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）、等の現在の通信システム、特に未来の５Ｇシステムに適用されうる。
【００１９】
本発明の実施例の端末機器は、ユーザ機器（Ｕｓｅｒ  Ｅｑｕｉｐｍｅｎｔ、略称ＵＥ）、アクセス端末、ユーザ要素、加入者局、移動局、移動台、遠隔局、遠隔端末、移動機器、ユーザ端末、端末、無線通信機器、ユーザエージェントまたはユーザ装置を指してもよい。アクセス端末は、セルラ電話、コードレス電話、セッション開始プロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、携帯情報端末（Ｐｅｒｓｏｎａｌ  Ｄｉｇｉｔａｌ  Ａｓｓｉｓｔａｎｔ、略称ＰＤＡ）、無線接続機能を有する手持ち式デバイス、コンピューティングデバイスまたは無線モデムに接続されたその他の処理デバイス、車載用デバイス、ウェアラブルデバイス、未来の５Ｇネットワークにおける端末機器または未来進化型の公衆携帯電話網（Ｐｕｂｌｉｃ  Ｌａｎｄ  Ｍｏｂｉｌｅ  Ｎｅｔｗｏｒｋ、略称ＰＬＭＮ）における端末機器等であってもよい。
【００２０】
本発明の実施例のネットワーク機器は、端末機器と通信するための機器であってもよく、当該ネットワーク機器は、ＧＳＭまたはＣＤＭＡにおける基地局（Ｂａｓｅ  Ｔｒａｎｓｃｅｉｖｅｒ  Ｓｔａｔｉｏｎ、略称ＢＴＳ）であってもよく、ＷＣＤＭＡシステムにおける基地局（ＮｏｄｅＢ、略称ＮＢ）であってもよく、ＬＴＥシステムにおける進化型基地局（Ｅｖｏｌｕｔｉｏｎａｌ  ＮｏｄｅＢ、略称ｅＮＢまたはｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、略称ＣＲＡＮ）のシーンでの無線コントローラであってもよく、または当該ネットワーク機器は、中継局、アクセスポイント、車載用デバイス、ウェアラブルデバイスおよび未来の５Ｇネットワークにおけるネットワーク機器または未来進化型のＰＬＭＮネットワークにおけるネットワーク機器等であってもよい。
【００２１】
図１は本発明の適用シナリオの概略図である。図１における通信システムは、ネットワーク機器１０と、端末機器２０とを含んでもよい。ネットワーク機器１０は、端末機器２０に通信サービスを提供し且つコアネットワークにアクセスし、端末機器２０は、ネットワーク機器１０が送信するシンクロナス信号、ブロードキャスト信号等を検索することによってネットワークにアクセスし、それによりネットワークとの通信を行う。図１に示される矢印は、端末機器２０とネットワーク機器１０との間のセルラーリンクを介して行うアップリンク／ダウンリンク伝送を示すことができる。本発明の実施例は、異なるＤＣＩフォーマットを使用して異なる基本パラメータセットに基づくデータ伝送をスケジューリングし、制御シグナリング設計の柔軟性を向上させることができる。
【００２２】
図２に本発明の実施例によるデータの伝送方法のフローインタラクション図を示す。図２にネットワーク機器１０および端末機器２０を示す。図２に示すように、当該データ伝送の具体的なフローは、以下を含む。
【００２３】
２１０、ネットワーク機器１０が前記データ伝送用の伝送帯域を決定する。
【００２４】
具体的には、ネットワーク機器１０は、複数の伝送帯域において、端末機器２０に端末機器２０のデータ伝送用の伝送帯域を割り当てる。例えば、ネットワーク機器１０は、そのカバレッジ範囲内の端末機器の数量、これらの端末機器のカバレッジ状況、搬送波における重要な周波数帯域の情報、現在実行されているサービス種類または伝送されるデータのタイプ等の情報に基づき、使用可能な帯域リソースを、データ伝送用の少なくとも１つの伝送帯域に区分でき、各伝送帯域がいずれも１つの基本パラメータセットに対応し、これらの帯域で伝送されるデータが使用する基本パラメータセットが当該伝送帯域に対応する基本パラメータセットである。これらの伝送帯域で伝送されるデータが使用する基本パラメータセットは、同一でもよく、異なっていてもよく、これらの伝送帯域の間は、隣接してもよく、隣接しなくてもよい。ネットワーク機器１０が端末機器２０に前記データ伝送用の伝送帯域を割り当てた後、端末機器２０は、当該伝送帯域に基づき、当該データ伝送用の基本パラメータセットを決定することができる。
【００２５】
従って、異なる伝送帯域に基づくデータ伝送に対して異なる基本パラメータセットを用いてスケジューリングすることを実現でき、制御シグナリング設計の柔軟性を増加させる。
【００２６】
また、端末機器は、ネットワーク機器が送信した、現在のデータ伝送に使用される当該基本パラメータセットを指示する情報を受信する必要がないため、ダウンリンクシグナリングのオーバーヘッドを省くことができる。
【００２７】
一つの実施形態において、当該伝送帯域とネットワーク機器１０が他の端末機器例えば端末機器３０に指示する伝送帯域との間は、保護帯域を含み、端末機器２０は、当該保護帯域で当該データを伝送しない。当該保護帯域の高周波数側および低周波数側は、異なる基本パラメータセットに基づいて伝送されるデータが使用する伝送帯域とそれぞれ隣接し、端末機器２０は、現在この帯域領域内で当該５Ｇ信号を送信および受信しない。
【００２８】
特にネットワーク機器１０が端末機器２０に割り当てる伝送帯域に対応する基本パラメータセットは、ネットワーク機器１０が端末機器３０に割り当てる伝送帯域に対応する基本パラメータセットと異なる場合、この２つの伝送帯域の間に１つの保護帯域を挿入でき、端末機器は、当該保護帯域でデータを伝送しない。それにより、この２つの伝送帯域における異なる基本パラメータセットを使用するデータが伝送過程に生じた干渉を回避することができる。
【００２９】
例えば、図３に保護帯域がない場合および保護帯域が存在する場合に異なる基本パラメータセットに基づくデータ伝送の概略図を示す。図３を例として、保護帯域がない場合、異なる基本パラメータセットを使用するデータは、隣接した伝送帯域で伝送される際、相互干渉を発生させやすく、図３に示すように、２つの隣接した伝送帯域でデータ伝送を行う際に使用されるサブキャリア間隔（ｓｕｂｃａｒｒｉｅｒ  ｓｐａｃｉｎｇ）は、それぞれ３０ｋＨｚおよび１５ｋＨｚであれば、この２つの隣接した伝送帯域でそれぞれこの２種のサブキャリア間隔を使用するデータ伝送過程に、隣接した２つの伝送帯域で異なるサブキャリア間隔でデータを伝送する際に干渉を発生させる。しかしながら、保護帯域が存在する場合、図３に示すように、２つの異なる伝送帯域で伝送されるデータが使用するサブキャリア間隔は、それぞれ３０ｋＨｚおよび１５ｋＨｚであり、この２つの伝送帯域でそれぞれこの２種のサブキャリア間隔を使用するデータ伝送過程に、異なる基本パラメータセットで伝送されるデータが占有するこの２つの伝送帯域は、保護帯域に隔てられ、当該保護帯域でデータ伝送を行わず、それにより異なるサブキャリア間隔の間の相互干渉を発生させず、図３に示される保護帯域の帯域幅は６０ｋＨｚである。
【００３０】
従って、保護帯域を設定することにより、異なる基本パラメータセットに基づくデータ伝送の間に生じる相互干渉を回避する。
【００３１】
一つの実施形態において、前記保護帯域の帯域幅は、ネットワーク機器１０がサポートする最小のサブキャリア間隔の整数倍である。
【００３２】
具体的には、５Ｇシステムにおいて同じ搬送波が異なる基本パラメータセットをサポートできるため、当該保護帯域の帯域幅は、異なる基本パラメータセットに基づくデータ伝送に使用される伝送帯域をカバレッジできるものとする。従ってネットワーク機器１０は、当該保護帯域の帯域幅を決定する場合、ネットワーク機器１０がサポートする最小の搬送波間隔を単位とする。図２に示すように、当該通信システムは、１５ｋＨｚと３０ｋＨｚの２種のサブキャリア間隔をサポートし、ネットワーク機器１０は、当該保護帯域の帯域幅を決定する場合、１５ｋＨｚを基本単位として、つまり、当該保護帯域の帯域幅は、１５ｋＨｚの整数倍であり且つターゲット伝送帯域の帯域幅より小さい。当該保護帯域が同時にターゲット伝送帯域の低周波数側および高周波数側にあれば、低周波数側に位置する部分の保護帯域の開始終止位置および高周波数側に位置する部分の保護帯域の開始位置と終了位置の帯域幅は、いずれも１５ｋＨｚの整数倍である。
【００３３】
一つの実施形態において、前記基本パラメータセットは、サブキャリア間隔を含む。
【００３４】
ただし、サブキャリア間隔とは、隣接したサブキャリアの間の周波数間隔であり、例えば１５ｋＨｚ、６０ｋＨｚ等である。当該基本パラメータセットにおけるパラメータは、ここでサブキャリア間隔を含むがそれに限定されるものではなく、例えば、ネットワーク機器１０が端末機器２０へ送信する設定情報に含まれる基本パラメータセットにおいて、他のパラメータを含んでもよく、例えば、特定の帯域幅でのサブキャリア数、物理リソースブロック（Ｐｈｙｓｉｃａｌ  ＲｅｓｏｕｒｃｅＢｌｏｃｋ、略称ＰＲＢ）内のサブキャリア数、直交周波数分割多重（Ｏｒｔｈｏｇｏｎａｌ  ＦｒｅｑｕｅｎｃｙＤｉｖｉｓｉｏｎ  Ｍｕｌｔｉｐｌｅｘｉｎｇ、略称ＯＦＤＭ）シンボルの長さ、ＯＦＤＭ信号を生成するためのフーリエ変換例えば高速フーリエ変換（Ｆａｓｔ  Ｆｏｕｒｉｅｒ  Ｔｒａｎｓｆｏｒｍ、略称ＦＦＴ）または逆フーリエ変換例えば逆高速フーリエ変換（Ｉｎｖｅｒｓｅ  Ｆａｓｔ  Ｆｏｕｒｉｅｒ  Ｔｒａｎｓｆｏｒｍ、略称ＩＦＦＴ）の点数、伝送時間間隔ＴＴＩにおけるＯＦＤＭシンボル数、特定の時間長さ内に含まれるＴＴＩの個数および信号プレフィックスの長さ等である。
【００３５】
２２０、ネットワーク機器１０は、端末機器２０に指示情報を送信する。
【００３６】
ただし、当該指示情報は、ネットワーク機器１０が端末機器２０に決定した当該伝送帯域を指示することにより、端末機器２０が当該伝送帯域に基づいて当該データ伝送用の基本パラメータセットを決定するために用いられる。
【００３７】
なお、ネットワーク機器１０は、端末機器２０に当該伝送帯域を指示する場合、当該伝送帯域の開始位置および終止位置を直接指示してもよく、当該伝送帯域の所在の対応位置、すなわち当該伝送帯域の区分された複数の帯域での対応位置を指示してもよく、つまり、ネットワーク機器１０が端末機器２０をスケジューリングしてデータを送信または受信する場合、ネットワーク機器１０は、端末機器２０のスケジューリングリソースの割り当てられた基本パラメータセット領域での対応位置を指示するだけでよく、スケジューリングリソースの全体の搬送波での位置を指示する必要がない。
【００３８】
例えば、ネットワーク機器１０は、割り当て対象の基本パラメータセットの領域に対して複数の伝送帯域を区分でき、且つ区分された後の複数の伝送帯域に対して番号を付け、次に端末機器２０が何番目の伝送帯域で対応する基本パラメータセットを用いてデータを伝送することを直接指示する。番号が異なる伝送帯域は、占有する帯域幅および位置も異なり、ネットワーク機器１０は、端末機器２０に事前に知らせることができ、例えば、ブロードキャストの方式により、帯域リソースの区分状況および区分後の異なる番号の伝送帯域の所在位置をブロードキャストする。または、例えば、ネットワーク機器１０は、割り当て対象の基本パラメータセットの領域を３つの伝送帯域、すなわち第１の伝送帯域、第２の伝送帯域および第３の伝送帯域に区切ると、この３つの伝送帯域の開始位置および終止位置は、同じではなく、且つ各伝送帯域に対応するデータ伝送用のサブキャリア間隔が異なり、第１の伝送帯域の位置は他の２つの伝送帯域の位置に比べて低周波数帯域にあり、第３の伝送帯域の位置は他の２つの伝送帯域の位置に比べて高周波数帯域にあり、第２の伝送帯域は第１の伝送帯域と第３の伝送帯域の間にあり、当該指示情報は端末機器２０が高周波帯域でデータを送信することを指示すると、端末機器２０は、対応して高い伝送帯域位置すなわち第３の伝送帯域にあり、第３の伝送帯域に対応するサブキャリア間隔で当該データを伝送する。
【００３９】
２３０、端末機器２０は、ネットワーク機器１０が送信した指示情報を受信する。
【００４０】
具体的には、端末機器２０は、ネットワーク機器１０が送信した当該指示情報を受信し、それによりネットワーク機器１０が端末機器２０に割り当てる当該データ伝送用の伝送帯域を知る。
【００４１】
２４０、端末機器２０は、当該指示情報に基づき、当該データ伝送用の基本パラメータセットを決定する。
【００４２】
具体的には、ネットワーク機器１０が端末機器２０に割り当てる当該伝送帯域で伝送されるデータが使用する基本パラメータセットは、他の伝送帯域で伝送されるデータが使用する基本パラメータセットと異なる可能性があるため、端末機器２０は、ネットワーク機器１０が端末機器２０に割り当てる伝送帯域に基づき、端末機器２０が当該伝送帯域で伝送されるデータが使用する基本パラメータセットを決定できる。それにより端末機器２０は、当該基本パラメータセットに基づき、当該伝送帯域でネットワーク機器１０へ当該データを送信し、或いはネットワーク機器１０が送信した当該データを受信することができる。
【００４３】
例えば、ネットワーク機器１０は、端末機器２０に前記データ伝送用の伝送帯域を割り当てた後、当該伝送帯域を指示する指示情報を端末機器２０に送信し、端末機器２０は、当該指示情報を受信した後、当該伝送帯域、および伝送帯域と基本パラメータセットとの間の対応関係に基づき、当該データ伝送用の基本パラメータセットを決定することができる。
【００４４】
一つの実施形態において、端末機器２０が前記伝送帯域に基づき、前記データ伝送用の基本パラメータセットを決定する前、すなわち２２０の前に、前記方法はさらに、２５０から２７０を含む。図４は本発明の別の実施例によるデータの伝送方法のフローインタラクション図である。図４に示すように、２２０の前に、前記方法はさらに、２５０から２７０を含む。
【００４５】
２５０、ネットワーク機器１０は、伝送帯域と基本パラメータセットとの対応関係を決定する。
【００４６】
具体的には、ネットワーク機器１０は、使用可能な帯域リソースを、データ伝送用の少なくとも１つの伝送帯域に区切った後、各伝送帯域に対応する基本パラメータセットを割り当てる。これらの伝送帯域で伝送されるデータが使用する基本パラメータセットは、同一でもよく、異なっていてもよく、これらの伝送帯域の間が隣接してもよく、隣接しなくてもよい。つまり、複数の伝送帯域において、各伝送帯域は、いずれも１つの基本パラメータセットに対応し、ここで任意の２つの伝送帯域に対応する基本パラメータセットは、異なる基本パラメータセットであってもよく、同じ基本パラメータセットであってもよい。
【００４７】
一つの実施形態において、伝送帯域と伝送帯域との間はさらに、保護帯域を含んでもよく、端末機器２０は、当該保護帯域で当該データを伝送しない。特に当該複数の伝送帯域における元の隣接した２つの伝送帯域でデータを伝送するために使用される基本パラメータセットが異なる場合、この２つの伝送帯域の間に１つの保護帯域を挿入でき、端末機器は、当該保護帯域で当該データの伝送を行わず、それによりこの２つの伝送帯域で使用される異なる基本パラメータセットのデータの伝送過程に生じる干渉を回避することができる。
【００４８】
なお、基本パラメータセットと伝送帯域との間の当該対応関係は、ネットワーク機器１０により決定されてもよく、ネットワーク機器１０と端末機器２０との間で予め定められてもよい。
【００４９】
２６０、ネットワーク機器１０は、設定情報をブロードキャストする。
【００５０】
ただし、前記設定情報は、伝送帯域と基本パラメータセットとの間の前記対応関係を含み、それにより端末機器２０は、前記伝送帯域および前記対応関係に基づいて前記データ伝送用の前記基本パラメータセットを決定する。
【００５１】
具体的には、ネットワーク機器１０は、伝送帯域と基本パラメータセットとも対応関係を決定した後、当該対応関係を含む設定情報をブロードキャストでき、それにより端末機器２０は、当該対応関係および２２０で指示した伝送帯域に基づき、当該伝送帯域に対応する基本パラメータセットを決定することにより、当該基本パラメータセットを用いて当該伝送帯域でネットワーク機器１０とデータ伝送を行う。
【００５２】
一つの実施形態において、ネットワーク機器１０は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、略称ＰＤＣＣＨ）で当該設定情報をブロードキャストすることができる。
【００５３】
一つの実施形態において、ネットワーク機器１０は、所定の時間周期に従って前記設定情報をブロードキャストし、各時間周期内にブロードキャストした設定情報に含まれる伝送帯域と基本パラメータセットとの間の対応関係は、異なってもよい。
【００５４】
具体的には、ネットワーク機器１０は、使用可能な伝送帯域を複数の伝送帯域に区切り、且つ各伝送帯域は、１つの基本パラメータセットに対応し、各伝送帯域に対応する基本パラメータセットは、同一でもよく、異なっていてもよく、伝送帯域と伝送帯域との間は、隣接してもよく、または保護帯域に隔てられてもよい。このような区分および対応関係の決定は、所定の周期に従って調整できる。つまり、現在の時間周期内の複数の伝送帯域の区分状況および各伝送帯域に対応する基本パラメータセットは、前の時間周期内の複数の伝送帯域の区分状況および各伝送帯域に対応する基本パラメータセットと、異なってもよい。
【００５５】
例えば、前一つの時間周期内に、ネットワーク機器１０は、そのカバレッジ範囲内の端末機器の数量、これらの端末機器のカバレッジ状況、現在実行されているサービス種類または伝送のデータタイプ等の情報に基づき、使用可能な帯域リソースをデータ伝送用の４段の伝送帯域に区切ると仮定し、すべての隣接した伝送帯域に対応する基本パラメータセットがいずれも異なり、すべての隣接した伝送帯域の間がいずれも保護帯域を含むと仮定する。しかしながら、現在の時間周期内に、ネットワーク機器１０のカバレッジ範囲内の端末機器の数量、カバレッジ状況および行われたサービス種類が変化するため、この時ネットワーク機器１０は、帯域リソースを改めて区分でき、例えば、５段の伝送帯域に区切り、ここで、各段の伝送帯域に対応する基本パラメータセットを改めて決定することができる。
【００５６】
一つの実施形態において、前記設定情報はさらに、前記設定情報の持続時間を含む。
【００５７】
具体的には、ネットワーク機器１０による帯域リソースに対する区分状況および各伝送帯域に対応する基本パラメータセットは、現在のネットワーク状況に応じて間断なく調整および変更可能であり、例えば一定時間周期に応じて変化し、つまり、異なる周期内に、帯域リソースに対する区分および各伝送帯域に割り当てる対応する基本パラメータセットは、異なってもよい。このように、ネットワーク機器１０は、現在の具体的な状況に応じて、例えば、ダウンリンクコントロールチャネルで、設定情報を介して、現在状況に適合する帯域リソースの区分状況および各伝送帯域に割り当てる対応する基本パラメータセットをブロードキャストすることができる。
【００５８】
ネットワーク機器による帯域リソースに対する区分状況、および区切った後の伝送帯域と基本パラメータセットとの間の対応関係が非常に重要なシステム情報であるため、ネットワーク機器１０は、現在時間周期内に当該設定情報を繰り返して送信でき、毎回当該設定情報をブロードキャストする場合、いずれも当該設定情報の持続時間を更新することができる。
【００５９】
例えば、ネットワーク機器１０は、現在期間内例えば１４：００〜１４：３０の間にブロードキャストする当該設定情報を決定し、且つ当該設定情報をブロードキャストする周波数を５分間おきに１回ブロードキャストするように決定し、それでネットワーク機器１０が１４：００に当該設定情報をブロードキャストする場合、当該設定情報において、帯域リソースを区切った後の複数の伝送帯域の位置と各伝送帯域に対応する基本パラメータセット、および当該設定情報の持続時間（または有効な時間と呼ばれ、ここで３０分間）を含む。５分間後に、ネットワーク機器１０が再び当該設定情報をブロードキャストし、すなわちネットワーク機器１０が１４：０５に当該設定情報をブロードキャストする場合、当該設定情報に含まれる有効な時間は、２５分間になる。再び５分間後に、ネットワーク機器１０が当該設定情報を再びブロードキャストし、すなわちネットワーク機器１０が１４：１０に該設定情報をブロードキャストする場合、当該設定情報に含まれる有効な時間は、２０分間になり、このように循環し、１４：３０まで続け、ネットワーク機器１０は、当該設定情報における伝送帯域の区切り状況および対応する基本パラメータセットを更新でき、且つ更新した後の設定情報の１４：３０〜１５：００の有効な時間を改めて計算する。
【００６０】
ネットワーク機器１０による設定情報における伝送帯域の区切り状況および対応する基本パラメータセットの時間に対する更新は、所定の時間周期に応じて行ってもよく、具体的な状況に応じて異なる時間長さ範囲内で更新してもよい。例えば、深夜、または都市の近郊地区等の場合に、ネットワークの使用状況が安定し、ネットワーク機器１０は、当該設定情報における伝送帯域の区切り状況および対応する基本パラメータセットを頻繁に更新しなくてもよく、昼間、または都市の中心領域等の状況で、ネットワークの使用状況に変化が多く、ネットワーク機器１０は、所定の時間周期例えば３０分間に、当該設定情報における伝送帯域の区切り状況および対応する基本パラメータセットを更新し、それにより周波数領域リソースの効果的な利用を達成する。
【００６１】
端末機器２０は、ネットワーク機器１０によりスケジューリングされる場合、受信した設定情報に基づき、データ伝送用の複数の伝送帯域の情報、および複数の伝送帯域における各伝送帯域に対応する基本パラメータセットを取得できる。端末機器２０は、ネットワーク機器１０が送信した、当該端末機器２０のデータ伝送に使用される伝送帯域を指示する情報を受信する場合、端末機器２０は、現在の時間周期における帯域リソースの区分状況および区分後の伝送帯域と基本パラメータセットとの対応関係に基づき、現在のデータ伝送用の基本パラメータセットを決定でき、それにより当該基本パラメータセットを用いてネットワーク機器１０が指示する伝送帯域で、ネットワーク機器１０とデータ伝送を行う。
【００６２】
２７０、端末機器２０は、当該設定情報を受信する。
【００６３】
具体的には、端末機器２０は、ネットワーク機器１０がブロードキャストする当該設定情報を受信し、それにより伝送帯域と基本パラメータセットとの間の対応関係を知る。
【００６４】
この時、２４０において、端末機器２０が当該指示情報に基づき、当該データ伝送用の基本パラメータセットを決定することは、端末機器２０が当該指示情報および当該設定情報に基づき、当該データ伝送用の基本パラメータセットを決定するステップを含む。
【００６５】
具体的には、端末機器は、設定情報を受信した後、２３０で受信した当該指示情報および当該設定情報に基づき、当該データ伝送用の基本パラメータセットを決定できる。表１に示される伝送帯域と基本パラメータセットとの間の対応関係を例として説明する。
【００６６】
【表１】
2019530991.tif 000020
【００６７】
基本パラメータセットにサブキャリア間隔を含むと仮定し、現在ネットワーク機器１０は、端末機器２０が第１の伝送帯域、すなわち１００ｋＨｚ〜１６０ｋＨｚの帯域でデータを伝送し、端末機器３０が第２の伝送帯域、すなわち１６０ｋＨｚ〜２２０ｋＨｚの伝送帯域でデータを伝送し、端末機器４０が第３の伝送帯域、すなわち２５０ｋＨz〜３１０ｋＨｚの帯域でデータを伝送するように指示すると仮定する。ここで、第１の伝送帯域に対応するサブキャリア間隔は１５ｋＨｚであり、第２の伝送帯域に対応するサブキャリア間隔は１５ｋＨｚであり、第３の伝送帯域に対応するサブキャリア間隔は３０ｋＨｚであり、第４の伝送帯域に対応するサブキャリア間隔は６０ｋＨｚである。
【００６８】
端末機器２０は、ネットワーク機器１０が送信する第１の伝送帯域を指示する指示情報を受信した後、当該対応関係に基づき、当該データ伝送用の基本パラメータセットを決定でき、すなわち当該データ伝送用のサブキャリア間隔が１５ｋＨｚであることを決定でき、それにより第１の伝送帯域で１５ｋＨｚのサブキャリア間隔でネットワーク機器１０と当該データの伝送を行い、端末機器３０は、ネットワーク機器１０が送信する第２の伝送帯域を指示する指示情報を受信した後、当該対応関係に基づき、当該データ伝送用のサブキャリア間隔が１５ｋＨｚであることを決定し、それにより第２の伝送帯域で１５ｋＨｚのサブキャリア間隔でネットワーク機器１０とデータ伝送を行い、端末機器４０は、ネットワーク機器１０が送信する第３の伝送帯域を指示する指示情報を受信した後、当該対応関係に基づき、当該データ伝送用のサブキャリア間隔が３０ｋＨｚであることを決定でき、それにより第３の伝送帯域で３０ｋＨｚのサブキャリア間隔でネットワーク機器１０とデータ伝送を行う。
【００６９】
表１から分かるように、第１の伝送帯域と第２の伝送帯域に対応するサブキャリア間隔がいずれも１５ｋＨｚであるため、第１の伝送帯域と第２の伝送帯域との間に保護帯域を割り当てなくてもよい。第２の伝送帯域に対応するサブキャリア間隔がいずれも１５ｋＨｚであり、第３の伝送帯域に対応する３０ｋＨｚのサブキャリア間隔と異なるため、第２の伝送帯域と第３の伝送帯域との間に保護帯域が割り当てられ、当該保護帯域の帯域幅が３０ｋＨｚであり、それにより第２の伝送帯域および第３の伝送帯域でデータを伝送する過程に異なる基本パラメータセットを用いて生じる干渉を回避する。同様に、第３の伝送帯域に対応するサブキャリア間隔がいずれも３０ｋＨｚであり、第４の伝送帯域に対応する６０ｋＨｚのサブキャリア間隔と異なるため、第３の伝送帯域と第４の伝送帯域の間に保護帯域が割り当てられ、当該保護帯域の帯域幅が６０ｋＨｚであり、それにより第３の伝送帯域および第４の伝送帯域でデータを伝送する過程に異なる基本パラメータセットを用いて生じる干渉を回避する。
【００７０】
なお、ネットワーク機器１０による帯域リソースに対する区分を簡略化するために、第１の伝送帯域と第２の伝送帯域との間にも保護帯域を設定してもよく、ここで限定されない。さらに、ネットワーク機器１０に割り当てるこれらの保護帯域の帯域幅は、同一でもよく、異なっていてもよく、ここで限定されない。
【００７１】
従って、伝送帯域と基本パラメータセットとの間の当該対応関係に基づき、端末機器２０は当該データ伝送用の伝送帯域を知るだけで、当該伝送帯域に基づき、当該データ伝送用の基本パラメータセットを決定でき、且つ当該データを伝送する過程に干渉を発生させることがない。
【００７２】
一つの実施形態において、伝送帯域と基本パラメータセットとの間の前記対応関係は、アップリンクデータ伝送用の伝送帯域と基本パラメータセットとの間の対応関係、および／またはダウンリンクデータ伝送用の伝送帯域と基本パラメータセットとの間の対応関係を含んでもよい。
【００７３】
つまり、端末機器２０とネットワーク機器１０との間に伝送される当該データは、アップリンクデータまたはダウンリンクデータを含んでもよく、アップリンクデータが使用する基本パラメータセットは、ダウンリンクデータが使用する基本パラメータセットと同じではない可能性がある。伝送される当該データがダウンリンクデータであると、ネットワーク機器１０は、端末機器２０へ当該データを送信し、当該設定情報は、ダウンリンクデータをスケジューリングするための設定情報であり、ネットワーク機器１０が端末機器２０へ当該ダウンリンクデータを送信した後、端末機器２０は、当該設定情報に基づき、ネットワーク機器１０が送信する当該ダウンリンクデータを正確に受信し、伝送される当該データがアップリンクデータであると、端末機器２０は、ネットワーク機器１０へ当該データを送信し、当該設定情報は、アップリンクデータをスケジューリングするための設定情報であり、端末機器２０は、当該設定情報に基づき、ネットワーク機器１０へ当該アップリンクデータを送信し、ネットワーク機器１０は、端末機器２０が送信する当該アップリンクデータを受信する。ネットワーク機器１０はさらに、当該設定情報において同時にアップリンクデータを伝送するための伝送帯域と基本パラメータセットとの間の対応関係、およびダウンリンクデータを伝送するための伝送帯域と基本パラメータセットとの間の対応関係を含んでもよく、端末機器２０は、当該設定情報を受信した後、自らが伝送しようとするものがアップリンクデータであるかまたはダウンリンクデータであるかに基づき、対応する伝送帯域で当該データを伝送するための伝送帯域を決定し、且つ当該伝送帯域に対応する基本パラメータセットに基づいて当該データを伝送する。
【００７４】
一つの実施形態において、２６０において、ネットワーク機器１０が送信する前記設定情報はさらに、基本パラメータセットとフィルタリング方式との対応関係を含んでもよい。
【００７５】
当該設定情報がさらに基本パラメータセットとフィルタリング方式との間の対応関係を含む場合、ネットワーク機器１０が当該設定情報をブロードキャストし、すなわち２６０を実行する前に、当該方法はさらに、ネットワーク機器１０が基本パラメータセットとフィルタリング方式との間の当該対応関係を決定するステップを含む。端末機器２０が当該設定情報を受信した後、すなわち２７０を実行した後、当該方法はさらに、端末機器２０が基本パラメータセットに基づいて前記データを処理するためのフィルタリング方式を決定するステップを含む。
【００７６】
一つの実施形態において、当該フィルタリング方式は、ベースバンドフィルタのタイプ、前記ベースバンドフィルタのパラメータ、使用したフィルタリング波形および前記フィルタリング波形のパラメータのうちの少なくとも１種を含んでもよい。
【００７７】
５Ｇシステムにおいて、異なる基本パラメータセットに基づいて伝送するデータは、ベースバンド処理過程に、異なる波形またはフィルタと組み合わせて使用する可能性がある。例えば、一般的に直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略称ＯＦＤＭ）信号と組み合わせて使用する波形として、ｗ−ＯＦＤＭ（ｗｉｎｄｏｗｉｎｇ  ＯＦＤＭ）、ｆ−ＯＦＤＭ（ｆｉｌｔｅｒｅｄ  ＯＦＤＭ）が挙げられる。ｗ−ＯＦＤＭを例として、ＯＦＤＭ信号が生じた後に時間領域では１つの窓関数に乗じる必要があり、例えば、常用のレイズドコサインウィンドウｗ（ｎ）＝０．５｛１−ｃｏｓ［２＊ｐｉ＊ｎ／（Ｎ−１）］｝であり、ここで、ｎは時間領域サンプリング時間であり、Ｎは割り当て可能なパラメータであり、以上に挙げた窓関数は１つの時間領域のフィルタであると捉えられ、Ｎはフィルタパラメータである。
【００７８】
例えば、ネットワーク機器１０が端末機器２０に指示するアップリンクデータ伝送用の伝送帯域が１８００ｋＨｚ〜１８３０ｋＨｚであり、端末機器２０は、伝送帯域と基本パラメータセットとの間の対応関係に基づき、データ伝送用のサブキャリア間隔が３０ｋＨｚであることを決定し、且つ当該サブキャリア間隔とフィルタリング波形との間の対応関係に基づき、当該データ処理用の波形がｗ−ＯＦＤＭであることを決定し、それにより端末機器２０は、ｗ−ＯＦＤＭ波形に基づいて送信対象のアップリンクデータを処理し、且つ３０ｋＨｚのサブキャリア間隔で、伝送帯域１８００ｋＨｚ〜１８３０ｋＨｚでネットワーク機器１０へ当該アップリンクデータを送信する。ネットワーク機器１０が端末機器３０に指示するダウンリンクデータ伝送用の伝送帯域が１９２０ｋＨｚ〜２０００ｋＨzであり、端末機器３０は、伝送帯域と基本パラメータセットとの間の対応関係に基づき、データ伝送用のサブキャリア間隔が６０ｋＨｚであることを決定し、且つ当該サブキャリア間隔とフィルタリング波形との間の対応関係に基づき、当該データ処理用の波形がｆ−ＯＦＤＭであることを決定し、それにより端末機器３０は、６０ｋＨｚのサブキャリア間隔に基づき、伝送帯域１９２０ｋＨｚ〜２０００ｋＨｚでネットワーク機器１０が送信する当該ダウンリンクデータを受信し、且つｆ−ＯＦＤＭ波形に基づいて受信した当該データを処理する。
【００７９】
一つの実施形態において、図２および図４に示されるデータの伝送方法、図５に示される本発明の別の実施例によるデータの伝送方法に基づき、２７０の後に、当該方法はさらに、４１１と、４２１とを含む。
【００８０】
４１１では、ネットワーク機器１０は、当該設定情報に基づき、端末機器２０へ当該データを送信する。
【００８１】
具体的には、ネットワーク機器１０は、当該基本パラメータセットにおけるパラメータに基づき、ネットワーク機器１０が端末機器２０に割り当てる当該データ伝送用の伝送帯域で、端末機器２０へ当該データを送信する。
【００８２】
４２１、端末機器２０は、当該設定情報に基づき、ネットワーク機器１０が送信する当該データを受信する。
【００８３】
具体的には、端末機器２０は、当該基本パラメータセットにおけるパラメータに基づき、ネットワーク機器１０が端末機器２０に割り当てる当該データ伝送用の伝送帯域で、ネットワーク機器１０が送信する当該データを受信する。
【００８４】
当該設定情報がさらに基本パラメータセットとフィルタリング方式との対応関係を含むと、４２１の後に、当該方法はさらに、端末機器２０が当該フィルタリング方式に基づいて受信した当該データを処理するステップを含む。
【００８５】
具体的には、端末機器２０は、ネットワーク機器１０が送信する設定情報に指示されるフィルタリング方式例えば適切なベースバンドフィルタタイプまたはフィルタリング波形に基づき、受信した当該データに対してフィルタリング処理を行う。
【００８６】
一つの実施形態において、４１１および４２１はさらに、それぞれ図６に示される４１２および４２２によって代替されてもよく、図６は本発明の実施例によるデータの伝送方法のフローインタラクション図である。
【００８７】
４１２、端末機器２０は、当該設定情報に基づき、ネットワーク機器１０へ当該データを送信する。
【００８８】
具体的には、端末機器２０は、当該基本パラメータセットにおけるパラメータに基づき、ネットワーク機器１０が端末機器２０に割り当てる当該データ伝送用の伝送帯域で、ネットワーク機器１０へ当該データを送信することができる。
【００８９】
４２２、ネットワーク機器１０は、当該設定情報に基づき、端末機器２０が送信する当該データを受信する。
【００９０】
具体的には、ネットワーク機器１０は、当該基本パラメータセットにおけるパラメータに基づき、ネットワーク機器１０が端末機器２０に割り当てる当該データ伝送用の伝送帯域で、端末機器２０が送信する当該データを受信する。
【００９１】
当該設定情報がさらに基本パラメータセットとフィルタリング方式との対応関係を含むと、４２１の前に、当該方法はさらに、端末機器２０が当該フィルタリング方式に基づいて送信対象の当該データを処理するステップを含む。
【００９２】
具体的には、端末機器２０は、ネットワーク機器１０が送信する設定情報に指示されるフィルタリング方式例えば適切なベースバンドフィルタタイプまたはフィルタリング波形に基づき、送信対象の当該データに対してフィルタリング処理を行い、且つネットワーク機器へ処理済みの当該データを送信する。
【００９３】
なお、本発明の実施例におけるネットワーク機器１０と端末機器２０との間の当該データ伝送は、サービスデータの伝送を含んでもよく、制御シグナリングの伝送を含んでもよく、ここで限定されない。
【００９４】
従って、本発明の実施例に記載の方法によれば、端末機器は、ネットワーク機器が指示する伝送帯域に基づいてデータ伝送用の基本パラメータセットを知ることができ、ネットワーク機器が送信した現在実行しようとするデータ伝送に使用される当該基本パラメータセットを受信する必要がなく、ダウンリンクシグナリングのオーバーヘッドを省くことができる。
【００９５】
図７に本発明の別の実施例によるデータの伝送方法の概略フローチャートを示す。図７に示される方法は、ネットワーク機器１０によって実行されてもよく、以下を含む。
【００９６】
７０１、ネットワーク機器１０が現在のネットワーク状況に応じて、使用可能な帯域リソースを少なくとも１つの伝送帯域に区切る。
【００９７】
７０２、ネットワーク機器１０が前記少なくとも１つの伝送帯域と少なくとも１つの基本パラメータセットとの間の対応関係を決定する。
【００９８】
７０３、ネットワーク機器１０が前記対応関係を含む設定情報をブロードキャストする。
【００９９】
具体的には、ネットワーク機器１０は、そのカバレッジ範囲内の端末機器の数量、これらの端末機器のカバレッジ状況、搬送波における重要な周波数帯域の情報、現在実行されているサービス種類または伝送されるデータのタイプ等の情報に基づき、使用可能な帯域リソースを、データ伝送用の少なくとも１つの伝送帯域に区分でき、各伝送帯域がいずれも１つの基本パラメータセットに対応し、これらの伝送帯域で伝送されるデータが使用する基本パラメータセットが当該伝送帯域に対応する基本パラメータセットである。これらの伝送帯域で伝送されるデータが使用する基本パラメータセットは、同一でもよく、異なっていてもよく、これらの伝送帯域の間は、隣接してもよく、隣接しなくてもよい。ネットワーク機器１０は、当該少なくとも１つの伝送帯域と少なくとも１つの基本パラメータセットとの間の対応関係を決定した後、ブロードキャストの方式により、当該対応関係をブロードキャストでき、それによりそのカバレッジ内の端末機器は、いずれも当該少なくとも１つの伝送帯域と少なくとも１つの基本パラメータセットとの間の対応関係を知ることができる。
【０１００】
例えば、表１に示すように、ネットワーク機器１０は、使用可能な帯域リソースをデータ伝送用の４つの伝送帯域に区切ると仮定し、各伝送帯域が１種の基本パラメータセットに対応する。当該基本パラメータセットがサブキャリア間隔を含むと仮定する。ネットワーク機器１０は第１の伝送帯域、すなわち１００ｋＨｚ〜１６０ｋＨｚの伝送帯域で伝送されるデータが使用するサブキャリア間隔が１５ｋＨｚであり、第２の伝送帯域、すなわち１６０ｋＨｚ〜２２０ｋＨｚの伝送帯域で伝送されるデータが使用するサブキャリア間隔が１５ｋＨｚであり、第３の伝送帯域、すなわち２５０ｋＨｚ〜３１０ｋＨｚの伝送帯域で伝送されるデータが使用するサブキャリア間隔が３０ｋＨｚであり、第４の伝送帯域、すなわち３７０ｋＨｚ〜４９０ｋＨｚの伝送帯域で伝送されるデータが使用するサブキャリア間隔が６０ｋＨzであることを決定することができる。
【０１０１】
従って、異なる伝送帯域に基づくデータ伝送に対して異なる基本パラメータセットを用いてスケジューリングすることを実現でき、制御シグナリング設計の柔軟性を増加させる。
【０１０２】
また、ネットワーク機器がブロードキャストした帯域リソースの区分状況、および区切った後の伝送帯域でデータを伝送する際に使用される基本パラメータセットにより、端末機器は、ネットワーク機器が送信した、現在のデータ伝送に使用される基本パラメータセットを指示する情報を受信する必要がなく、ダウンリンクシグナリングのオーバーヘッドを省くことができる。
【０１０３】
なお、基本パラメータセットと伝送帯域との間の当該対応関係は、ネットワーク機器１０により決定されてもよく、ネットワーク機器１０と端末機器２０との間で予め定められてもよい。
【０１０４】
一つの実施形態において、前記設定情報はさらに、前記設定情報の持続時間を含む。
【０１０５】
具体的には、ネットワーク機器１０による帯域リソースに対する区分状況、および区切った後の伝送帯域と基本パラメータセットとの間の対応関係が非常に重要なシステム情報であるため、ネットワーク機器１０は、現在時間周期内に当該設定情報を繰り返して送信でき、毎回当該設定情報をブロードキャストする場合、いずれも当該設定情報の持続時間を更新でき、この時、当該設定情報がさらに当該設定情報の持続時間を含んでもよい。
【０１０６】
一つの実施形態において、前記少なくとも１つの伝送帯域は、アップリンクデータおよび／またはダウンリンクデータを伝送するために用いることができる。
【０１０７】
具体的には、当該少なくとも１つの伝送帯域と少なくとも１つの基本パラメータセットとの間の当該対応関係は、アップリンクデータ伝送用の伝送帯域と基本パラメータセットとの間の対応関係、および／またはダウンリンクデータ伝送用の伝送帯域と基本パラメータセットとの間の対応関係を含んでもよい。伝送される当該データがダウンリンクデータであれば、当該設定情報は、ダウンリンクデータをスケジューリングするための設定情報であり、ネットワーク機器１０が端末機器２０へ当該ダウンリンクデータを送信した後、端末機器２０は、伝送帯域位置を指示する指示情報および当該設定情報に基づき、指示した伝送帯域で適切な基本パラメータセットを用いてネットワーク機器１０が送信する当該ダウンリンクデータを正確に受信し、伝送される当該データがアップリンクデータであれば、当該設定情報は、アップリンクデータをスケジューリングするための設定情報であり、端末機器２０は、伝送帯域を指示する指示情報および当該設定情報に基づき、指示した伝送帯域で適切な基本パラメータセットを用いてネットワーク機器１０へ当該アップリンクデータを送信し、ネットワーク機器１０は、端末機器２０が送信する当該アップリンクデータを受信する。
【０１０８】
一つの実施形態において、前記設定情報はさらに、前記少なくとも１つの基本パラメータセットと少なくとも１種のフィルタリング方式との間の対応関係を含む。
【０１０９】
一つの実施形態において、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１１０】
一つの実施形態において、前記少なくとも１つの伝送帯域の間は、保護帯域を含む。例えば、二つ以上の伝送帯域がある場合、任意の２つの伝送帯域の間は、保護帯域を含む。当該保護帯域の高周波数側および低周波数側は、異なる基本パラメータセットに基づいて伝送されるデータが使用する伝送帯域とそれぞれ隣接し、端末機器２０は、当該保護帯域内で当該データを送信または受信しない。
【０１１１】
一つの実施形態において、前記保護帯域の帯域幅は、前記ネットワーク機器がサポートする最小のサブキャリア間隔の整数倍である。
【０１１２】
当該設定情報に関する詳細な説明は、図４における２５０および２６０の設定情報に対する説明を参照でき、簡潔にするために、ここでは説明を省略する。
【０１１３】
なお、本発明の各種の実施例によれば、上記各過程の番号の大小は、実行順序の前後を意味せず、各過程の実行順序がその機能およびロジックにより決定され、本発明の実施例の実施過程を限定するものではない。
【０１１４】
以上は、本発明の実施例によるデータの伝送方法を詳細に説明し、以下は、本発明の実施例によるネットワーク機器および端末機器を説明する。なお、本発明の実施例によるネットワーク機器および端末機器は、前述した本発明の実施例の各種の方法を実行でき、すなわち以下の各種の機器の具体的な動作過程は、前述した方法の実施例の対応過程を参照することができる。
【０１１５】
図８は本発明の実施例による端末機器８００の概略ブロック図である。図８に示すように、端末機器８００は、伝送モジュール８０１と、決定モジュール８０２とを含む。
伝送モジュール８０１は、前記データ伝送用の伝送帯域を指示するための、ネットワーク機器により送信された指示情報を受信するために用いられ、
決定モジュール８０２は、伝送モジュール８０１が決定した前記伝送帯域に基づき、前記データ伝送用の基本パラメータセットを決定するために用いられ、
伝送モジュール８０１はさらに、決定モジュール８０２が決定した前記基本パラメータセットに基づき、前記伝送帯域で前記ネットワーク機器へ前記データを送信し、或いは前記ネットワーク機器が送信した前記データを受信するために用いられる。
【０１１６】
従って、端末機器は、ネットワーク機器が指示する伝送帯域に基づいてデータ伝送用の基本パラメータセットを知ることができ、ネットワーク機器が送信した現在実行しようとするデータ伝送に使用される当該基本パラメータセットを受信する必要がなく、ダウンリンクシグナリングのオーバーヘッドを省くことができる。
【０１１７】
一つの実施形態において、決定モジュール８０２が前記伝送帯域に基づき、前記データ伝送用の基本パラメータセットを決定する前に、伝送モジュール８０１はさらに、前記ネットワーク機器がブロードキャストした伝送帯域と基本パラメータセットとの間の第１の対応関係を含む設定情報を受信するために用いられ、決定モジュール８０２は具体的には、前記伝送帯域、および伝送帯域と基本パラメータセットとの間の前記第１の対応関係に基づき、前記データ伝送用の基本パラメータセットを決定するために用いられる。
【０１１８】
一つの実施形態において、前記設定情報はさらに、前記設定情報の持続時間を含む。
【０１１９】
一つの実施形態において、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
【０１２０】
一つの実施形態において、前記設定情報はさらに、基本パラメータセットとフィルタリング方式との間の第２の対応関係を含み、決定モジュール８０２が前記伝送帯域に基づき、前記データ伝送用の基本パラメータセットを決定した後、決定モジュール８０２はさらに、前記基本パラメータセット、および基本パラメータセットとフィルタリング方式との間の前記第２の対応関係に基づき、前記基本パラメータセットに対応するフィルタリング方式を決定するために用いられ、伝送モジュール８０１は具体的には、前記フィルタリング方式に基づいて前記データを処理し、且つ前記基本パラメータセットに基づき、前記伝送帯域で前記ネットワーク機器へ処理済みの前記データを送信し、または前記基本パラメータセットに基づき、前記伝送帯域で前記ネットワーク機器が送信した前記データを受信し、且つ前記フィルタリング方式に基づいて受信した前記データを処理するために用いられる。
【０１２１】
一つの実施形態において、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１２２】
一つの実施形態において、前記指示情報は、複数の伝送帯域における前記伝送帯域の対応位置の情報を指示し、或いは前記伝送帯域の開始位置および終止位置を指示するために用いられる。
【０１２３】
一つの実施形態において、前記伝送帯域と前記ネットワーク機器が第２の端末機器に指示する伝送帯域との間は、保護帯域を含む。
【０１２４】
一つの実施形態において、前記保護帯域の帯域幅は、前記ネットワーク機器がサポートする最小のサブキャリア間隔の整数倍である。
【０１２５】
一つの実施形態において、前記基本パラメータセットは、サブキャリア間隔を含む。
【０１２６】
なお、本発明の実施例において、伝送モジュール８０１は、送受信機によって実現することができる。図９に示すように、端末機器９００はプロセッサ９１０と、送受信機と、メモリ９３０とを含んでもよい。ただし、送受信機は、受信機９２１と、送信機９２２とを含んでもよく、メモリ９３０は、基本パラメータセットおよびフィルタリング方式等の相関情報を記憶するために用いられ、さらにプロセッサ９１０が実行するコード等を記憶するために用いられる。端末機器９００における各ユニットは、バスシステム９４０を介して結合され、ただし、バスシステム９４０は、データバスを含む以外に、さらに電源バス、コントロールバスおよび状態信号バス等を含む。
【０１２７】
ただし、受信機９２１は、前記データ伝送用の伝送帯域を指示するための、ネットワーク機器により送信された指示情報を受信するために用いられ、プロセッサ９１０は、前記伝送帯域に基づき、前記データ伝送用の基本パラメータセットを決定するために用いられ、送信機９２２はさらに、前記基本パラメータセットに基づき、前記伝送帯域で前記ネットワーク機器へ前記データを送信し、或いは前記ネットワーク機器が送信した前記データを受信するために用いられる。
【０１２８】
一つの実施形態において、プロセッサ９１０が前記伝送帯域に基づき、前記データ伝送用の基本パラメータセットを決定する前に、受信機９２１はさらに、前記ネットワーク機器がブロードキャストする伝送帯域と基本パラメータセットとの間の第１の対応関係を含む設定情報を受信するために用いられ、プロセッサ９１０は具体的には、前記伝送帯域、および伝送帯域と基本パラメータセットとの間の前記第１の対応関係に基づき、前記データ伝送用の基本パラメータセットを決定するために用いられる。
【０１２９】
一つの実施形態において、前記設定情報はさらに、前記設定情報の持続時間を含む。
【０１３０】
一つの実施形態において、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
【０１３１】
一つの実施形態において、前記設定情報はさらに、基本パラメータセットとフィルタリング方式との間の第２の対応関係を含み、プロセッサ９１０が前記伝送帯域に基づき、前記データ伝送用の基本パラメータセットを決定した後、プロセッサ９１０はさらに、前記基本パラメータセット、および基本パラメータセットとフィルタリング方式との間の前記第２の対応関係に基づき、前記基本パラメータセットに対応するフィルタリング方式を決定するために用いられ、送信機９２２は具体的には、前記フィルタリング方式に基づいて前記データを処理し、且つ前記基本パラメータセットに基づき、前記伝送帯域で前記ネットワーク機器へ処理済みの前記データを送信するために用いられ、または前記基本パラメータセットに基づき、前記伝送帯域で前記ネットワーク機器が送信した前記データを受信し、且つ前記フィルタリング方式に基づいて受信した前記データを処理するために用いられる。
【０１３２】
一つの実施形態において、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１３３】
一つの実施形態において、前記指示情報は、複数の伝送帯域における前記伝送帯域の対応位置の情報を指示し、或いは前記伝送帯域の開始位置および終止位置を指示するために用いられる。
【０１３４】
一つの実施形態において、前記伝送帯域と前記ネットワーク機器が第２の端末機器に指示する伝送帯域との間は、保護帯域を含む。
【０１３５】
一つの実施形態において、前記保護帯域の帯域幅は、前記ネットワーク機器がサポートする最小のサブキャリア間隔の整数倍である。
【０１３６】
一つの実施形態において、前記基本パラメータセットは、サブキャリア間隔を含む。
【０１３７】
図１０は本発明の実施例によるシステムチップの概略構成図である。図１０のシステムチップ１０００は、入力インターフェース１００１と、出力インターフェース１００２と、少なくとも１つのプロセッサ１００３と、メモリ１００４とを含み、入力インターフェース１００１、出力インターフェース１００２、プロセッサ１００３およびメモリ１００４の間は、バス１００５を介して接続され、プロセッサ１００３は、メモリ１００４におけるコードを実行するために用いられ、前記コードが実行される場合、プロセッサ１００３は、図２から図６における端末機器２０に実行される方法を実現する。
【０１３８】
図８に示される端末機器８００または図９に示される端末機器９００または図１０に示されるシステムチップ１０００は、前述した図２から図６の方法例における端末機器２０により実現される各過程を実現でき、重複を避けるために、ここでは説明を省略する。
【０１３９】
図１１に本発明の実施例によるネットワーク機器１１００の概略ブロック図を示す。図１１に示すように、ネットワーク機器１１００は、決定モジュール１１０１と、伝送モジュール１１０２とを含む。
決定モジュール１１０１は、前記データ伝送用の伝送帯域を決定するために用いられ、
伝送モジュール１１０２は、決定モジュール１１０１が決定した前記伝送帯域を指示することにより、前記第１の端末機器が前記伝送帯域に基づき、前記データ伝送用の基本パラメータセットを決定するための指示情報を第１の端末機器に送信するために用いられ、
伝送モジュール１１０２はさらに、決定モジュール１１０１が決定した前記伝送帯域で前記第１の端末機器が送信した前記データを受信し、或いは前記第１の端末機器へ前記データを送信するために用いられる。
【０１４０】
従って、端末機器は、ネットワーク機器が指示する伝送帯域に基づいてデータ伝送用の基本パラメータセットを知ることができ、端末機器へ現在実行しようとするデータ伝送に使用される当該基本パラメータセットを送信する必要がなく、ダウンリンクシグナリングのオーバーヘッドを省くことができる。
【０１４１】
一つの実施形態において、伝送モジュール１１０２が第１の端末機器に指示情報を送信する前に、決定モジュール１１０１はさらに、伝送帯域と基本パラメータセットとの間の第１の対応関係を決定するために用いられ、伝送モジュール１１０２はさらに、前記第１の対応関係を含む設定情報をブロードキャストすることにより、前記第１の端末機器が前記伝送帯域と前記第１の対応関係に基づいて前記データ伝送用の基本パラメータセットを決定するために用いられる。
【０１４２】
一つの実施形態において、前記設定情報はさらに、前記設定情報の持続時間を含む。
【０１４３】
一つの実施形態において、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
【０１４４】
一つの実施形態において、前記設定情報はさらに、基本パラメータセットとフィルタリング方式との間の第２の対応関係を含み、それにより前記第１の端末機器は、前記基本パラメータセットとフィルタリング方式との間の前記第２の対応関係に基づき、前記データを処理するためのフィルタリング方式を決定し、伝送モジュール１１０２が前記設定情報をブロードキャストする前に、決定モジュール１１０１はさらに、基本パラメータセットとフィルタリング方式との間の前記第２の対応関係を決定するために用いられる。
【０１４５】
一つの実施形態において、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１４６】
一つの実施形態において、前記指示情報は、複数の伝送帯域における前記伝送帯域の対応位置の情報を指示し、或いは前記伝送帯域の開始位置および終止位置を指示するために用いられる。
【０１４７】
一つの実施形態において、前記伝送帯域と前記ネットワーク機器が第２の端末機器に指示する伝送帯域との間は、保護帯域を含む。
【０１４８】
一つの実施形態において、前記保護帯域の帯域幅は、前記ネットワーク機器がサポートする最小のサブキャリア間隔の整数倍である。
【０１４９】
一つの実施形態において、前記基本パラメータセットは、サブキャリア間隔を含む。
【０１５０】
一つの実施形態において、前記決定モジュール１１０１は具体的には、所定の複数の基本パラメータセットから前記データ伝送用の前記基本パラメータセットを決定するために用いられる。
【０１５１】
なお、本発明の実施例において、決定モジュール１１０１は、プロセッサにより実現することができ、伝送モジュール１１０２は、送受信機により実現することができる。図１２に示すように、ネットワーク機器１２００は、プロセッサ１２１０と、送受信機と、メモリ１２３０とを含んでもよい。ただし、送受信機は、受信機１２２１と、送信機１２２２とを含んでもよく、メモリ１２３０は、基本パラメータセット、保護帯域およびフィルタリング方式等の相関情報を記憶するために用いられ、さらにプロセッサ１２１０が実行するコード等を記憶するために用いられる。ネットワーク機器１２００における各ユニットは、バスシステム１２４０を介して結合され、ただし、バスシステム１２４０は、データバスを含む以外に、さらに電源バス、制御バスおよび状態信号バス等を含む。
【０１５２】
ただし、プロセッサ１２１０は具体的には、前記データ伝送用の伝送帯域を決定するために用いられ、送信機１２２２は、前記伝送帯域を指示することにより、前記第１の端末機器が前記伝送帯域に基づき、前記データ伝送用の基本パラメータセットを決定するための指示情報を第１の端末機器に送信し、前記伝送帯域で前記第１の端末機器が送信した前記データを受信し、或いは前記第１の端末機器へ前記データを送信するために用いられる。
【０１５３】
一つの実施形態において、送信機１２２２が第１の端末機器に指示情報を送信する前に、プロセッサ１２１０はさらに、伝送帯域と基本パラメータセットとの間の第１の対応関係を決定するために用いられ、送信機１２２２はさらに、前記第１の対応関係を含む設定情報をブロードキャストすることにより、前記第１の端末機器が前記伝送帯域と前記第１の対応関係に基づいて前記データ伝送用の基本パラメータセットを決定するために用いられる。
【０１５４】
一つの実施形態において、前記設定情報はさらに、前記設定情報の持続時間を含む。
【０１５５】
一つの実施形態において、前記第１の対応関係は、アップリンクデータ伝送用の伝送帯域と基本パラメータセットとの間の対応関係、および／またはダウンリンクデータ伝送用の伝送帯域と基本パラメータセットとの間の対応関係を含む。
【０１５６】
一つの実施形態において、前記設定情報はさらに、基本パラメータセットとフィルタリング方式との間の第２の対応関係を含み、それにより前記第１の端末機器は、前記基本パラメータセットとフィルタリング方式との間の前記第２の対応関係に基づき、前記データを処理するためのフィルタリング方式を決定し、送信機１２２２が前記設定情報をブロードキャストする前に、プロセッサ１２１０はさらに、基本パラメータセットとフィルタリング方式との間の前記第２の対応関係を決定するために用いられる。
【０１５７】
一つの実施形態において、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１５８】
一つの実施形態において、前記指示情報は、複数の伝送帯域における前記伝送帯域の対応位置の情報を指示し、或いは前記伝送帯域の開始位置および終止位置を指示するために用いられる。
【０１５９】
一つの実施形態において、前記伝送帯域と前記ネットワーク機器が第２の端末機器に指示する伝送帯域との間は、保護帯域を含む。
【０１６０】
一つの実施形態において、前記保護帯域の帯域幅は、前記ネットワーク機器がサポートする最小のサブキャリア間隔の整数倍である。
【０１６１】
一つの実施形態において、前記基本パラメータセットは、サブキャリア間隔を含む。
【０１６２】
一つの実施形態において、プロセッサ１２１０は具体的には、所定の複数の基本パラメータセットから前記データ伝送用の前記基本パラメータセットを決定するために用いられる。
【０１６３】
図１３は本発明の実施例によるシステムチップの概略構成図である。図１３のシステムチップ１３００は、入力インターフェース１３０１と、出力インターフェース１３０２と、少なくとも１つのプロセッサ１３０３と、メモリ１３０４とを含み、入力インターフェース１３０１、出力インターフェース１３０２、プロセッサ１３０３およびメモリ１３０４の間は、バス１３０５を介して接続され、プロセッサ１３０３は、メモリ１３０４におけるコードを実行するために用いられ、前記コードが実行される場合、プロセッサ１３０３は、図２から図６におけるネットワーク機器１０に実行される方法を実現する。
【０１６４】
図１１に示されるネットワーク機器１１００または図１２に示されるネットワーク機器１２００または図１３に示されるシステムチップ１３００は、前述した図２から図６の方法例におけるネットワーク機器１０により実現される各過程を実現でき、重複を避けるために、ここでは説明を省略する。
【０１６５】
図１４は本発明の別の実施例によるネットワーク機器１４００の概略ブロック図である。図１４に示すように、ネットワーク機器１４００は、区切りモジュール１４０１と、決定モジュール１４０２と、伝送モジュール１４０３とを含む。
区切りモジュール１４０１が使用可能な帯域リソースを少なくとも１つの伝送帯域に区切るために用いられ、
決定モジュール１４０２が前記少なくとも１つの伝送帯域と少なくとも１つの基本パラメータセットとの間の対応関係を決定するために用いられ、
伝送モジュール１４０３が前記対応関係を含む設定情報をブロードキャストするために用いられる。
【０１６６】
従って、本発明の実施例によるネットワーク機器は、異なる伝送帯域に基づくデータ伝送に対して異なる基本パラメータセットを用いてスケジューリングすることを実現でき、制御シグナリング設計の柔軟性を増加させる。
【０１６７】
また、ネットワーク機器がブロードキャストした帯域リソースの区分状況、および区切った後の伝送帯域でデータを伝送する際に使用される基本パラメータセットにより、端末機器は、ネットワーク機器が送信した、現在のデータ伝送に使用される基本パラメータセットを指示する情報を受信する必要がなく、ダウンリンクシグナリングのオーバーヘッドを省くことができる。
【０１６８】
一つの実施形態において、前記指示情報は、複数の伝送帯域における前記伝送帯域の対応位置の情報を指示し、或いは前記伝送帯域の開始位置および終止位置を指示するために用いられる。
【０１６９】
一つの実施形態において、前記設定情報はさらに、前記設定情報の持続時間を含む。
【０１７０】
一つの実施形態において、前記少なくとも１つの伝送帯域は、アップリンクデータおよび／またはダウンリンクデータを伝送するために用いられる。
【０１７１】
一つの実施形態において、前記設定情報はさらに、前記少なくとも１つの基本パラメータセットと少なくとも１種のフィルタリング方式との間の対応関係を含む。
【０１７２】
一つの実施形態において、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１７３】
一つの実施形態において、前記少なくとも１つの伝送帯域の間は、保護帯域を含む。
【０１７４】
一つの実施形態において、前記保護帯域の帯域幅は、前記ネットワーク機器がサポートする最小のサブキャリア間隔の整数倍である。
【０１７５】
一つの実施形態において、前記基本パラメータセットは、サブキャリア間隔を含む。
【０１７６】
なお、本発明の実施例において、区切りモジュール１４０１および決定モジュール１４０２は、プロセッサにより実現することができ、伝送モジュール１４０３は、送受信機により実現することができる。図１５に示すように、ネットワーク機器１５００は、プロセッサ１５１０と、送受信機と、メモリ１５３０とを含んでもよい。ただし、送受信機は、受信機１５２１と、送信機１５２２とを含んでもよく、メモリ１５３０は、基本パラメータセット、保護帯域およびフィルタリング方式等の相関情報を記憶するために用いられ、さらにプロセッサ１５１０が実行するコード等を記憶するために用いられる。ネットワーク機器１５００における各ユニットは、バスシステム１５４０を介して結合され、ただし、バスシステム１５４０は、データバスを含む以外に、さらに電源バス、制御バスおよび状態信号バス等を含む。
【０１７７】
ただし、プロセッサ１５１０は、使用可能な帯域リソースを少なくとも１つの伝送帯域に区切り、前記少なくとも１つの伝送帯域と少なくとも１つの基本パラメータセットとの間の対応関係を決定するために用いられ、送信機１５２２は、前記対応関係を含む設定情報をブロードキャストするために用いられる。
【０１７８】
一つの実施形態において、前記指示情報は、複数の伝送帯域における前記伝送帯域の対応位置の情報を指示し、或いは前記伝送帯域の開始位置および終止位置を指示するために用いられる。
【０１７９】
一つの実施形態において、前記設定情報はさらに、前記設定情報の持続時間を含む。
【０１８０】
一つの実施形態において、前記少なくとも１つの伝送帯域は、アップリンクデータおよび／またはダウンリンクデータを伝送するために用いられる。
【０１８１】
一つの実施形態において、前記設定情報はさらに、前記少なくとも１つの基本パラメータセットと少なくとも１種のフィルタリング方式との間の対応関係を含む。
【０１８２】
一つの実施形態において、前記フィルタリング方式は、ベースバンドフィルタのタイプ、前記ベースバンドフィルタのパラメータ、使用したフィルタリング波形および前記フィルタリング波形のパラメータのうちの少なくとも１種を含む。
【０１８３】
一つの実施形態において、前記少なくとも１つの伝送帯域の間は、保護帯域を含む。
【０１８４】
一つの実施形態において、前記保護帯域の帯域幅は、前記ネットワーク機器がサポートする最小のサブキャリア間隔の整数倍である。
【０１８５】
一つの実施形態において、前記基本パラメータセットは、サブキャリア間隔を含む。
【０１８６】
図１６は本発明の別の実施例によるシステムチップの概略構成図である。図１６のシステムチップ１６００は、入力インターフェース１６０１と、出力インターフェース１６０２と、少なくとも１つのプロセッサ１６０３と、メモリ１６０４とを含み、入力インターフェース１６０１、出力インターフェース１６０２、プロセッサ１６０３およびメモリ１６０４の間は、バス１６０５を介して接続され、プロセッサ１６０３は、メモリ１６０４におけるコードを実行するために用いられ、前記コードが実行される場合、前記プロセッサ１６０３は、図２から図６におけるネットワーク機器１０に実行される方法を実現する。
【０１８７】
図１４に示されるネットワーク機器１４００または図１５に示されるネットワーク機器１５００または図１６に示されるシステムチップ１６００は、前述した図２から図７の方法例においてネットワーク機器１０により実現される各過程を実現でき、重複を避けるために、ここでは説明を省略する。
【０１８８】
なお、本発明の実施例におけるプロセッサは、信号の処理能力を有する集積回路チップであってもよい。実現過程に、上記方法例の各ステップは、プロセッサにおけるハードウェアの集積ロジック回路またはソフトウェア形式のコマンドを介して完了することができる。上記プロセッサは、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）または他のプログラマブル論理デバイス、離散ゲートまたはトランジスタ論理回路、離散ハードウェアコンポーネントであってもよい。本発明の実施例に開示されている各方法、ステップおよび論理ブロックを実現しまたは実行することができる。汎用プロセッサは、マイクロプロセッサーであってもよく、または当該プロセッサは、任意の通常のプロセッサ等であってもよい。本発明の実施例に開示されている方法に係るステップは、直接ハードウェアデコードプロセッサにより実行を完了してもよく、またはデコードプロセッサにおけるハードウェアおよびソフトウェアモジュールを組み合わせて実行を完了してもよい。ソフトウェアモジュールは、ランダムアクセスメモリ、フラッシュメモリ、読み出し専用メモリ、プログラマブル読み出し専用メモリまたは電子的消去可能プログラマブルメモリ、レジスタ等の本分野で成熟した記憶媒体に位置する。当該記憶媒体は、メモリにあり、プロセッサは、メモリの情報を読み取り、そのハードウェアと組み合わせて上記方法のステップを完了する。
【０１８９】
なお、本発明の実施例におけるメモリは、揮発性メモリまたは不揮発性メモリであってもよく、または揮発性メモリと不揮発性メモリの両者を含んでもよい。ただし、不揮発性メモリは、読み出し専用メモリ（Ｒｅａｄ−Ｏｎｌｙ  Ｍｅｍｏｒｙ、略称ＲＯＭ）、プログラマブル読み出し専用メモリ（Ｐｒｏｇｒａｍｍａｂｌｅ  ＲＯＭ、略称ＰＲＯＭ）、消去可能プログラマブル読み出し専用メモリ（Ｅｒａｓａｂｌｅ  ＰＲＯＭ、略称ＥＰＲＯＭ）、電子的消去可能プログラマブル読み出し専用メモリ（Ｅｌｅｃｔｒｉｃａｌｌｙ  ＥＰＲＯＭ、略称ＥＥＰＲＯＭ）またはフラッシュメモリであってもよい。揮発性メモリは、ランダムアクセスメモリ（Ｒａｎｄｏｍ  Ａｃｃｅｓｓ  Ｍｅｍｏｒｙ、略称ＲＡＭ）であってもよく、外部キャッシュとして用いられる。制限的ではなく例示的な説明により、例えばスタティックランダムアクセスメモリ（Ｓｔａｔｉｃ  ＲＡＭ、略称ＳＲＡＭ）、ダイナミックランダムアクセスメモリ（Ｄｙｎａｍｉｃ  ＲＡＭ、略称ＤＲＡＭ）、シンクロナスダイナミックランダムアクセスメモリ（Ｓｙｎｃｈｒｏｎｏｕｓ  ＤＲＡＭ、略称ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、略称ＤＤＲＳＤＲＡＭ）、進化型シンクロナスダイナミックランダムアクセスメモリ（Ｅｎｈａｎｃｅｄ  ＳＤＲＡＭ、略称ＥＳＤＲＡＭ）、シンクリンクシンクロナスダイナミックランダムアクセスメモリ（Ｓｙｎｃｈｌｉｎｋ  ＤＲＡＭ、略称ＳＬＤＲＡＭ）および直接ランバスランダムアクセスメモリ（Ｄｉｒｅｃｔ  Ｒａｍｂｕｓ  ＲＡＭ、略称ＤＲＲＡＭ）などの多くの形式のＲＡＭは使用可能である。なお、本明細書に説明したシステムおよび方法のメモリは、これらまたは任意の他の適切なタイプのメモリを含むがこれらに限定されない。
【０１９０】
さらに、本明細書における用語「システム」および「ネットワーク」は、本明細書に常に変換して使用される。本明細書における用語「および」／「または」は、関連対象の関連関係のみを説明し、３種の関係が存在できることを示し、例えば、Ａおよび／またはＢは、Ａが独立して存在する場合、ＡとＢが同時に存在する場合、Ｂが独立して存在する場合という３種の場合である。さらに、本明細書における文字「／」は、一般的に前後関連対象が「または」の関係であることを示す。
【０１９１】
なお、本発明の実施例において、「Ａに対応するＢ」は、ＢがＡに関連することを示し、Ａに基づいてＢを決定する。しかしながら、Ａに基づいてＢを決定することはＡのみに基づいてＢを決定することを意味せず、さらに、Ａおよび／または他の情報に基づいてＢを決定できる。
【０１９２】
当業者であれば理解できるように、ここにおいて開示される実施形態と関係させて説明される様々な例示的なユニット、およびアルゴリズムステップを参照し、電子ハードウェア、またはコンピュータソフトウェアと電子ハードウェアの組合せによって実装でき、これらの機能のハードウェアまたはソフトウェアによる実装は、本技術的解決手段の個別的な適用および設計上の制限となる条件に依存する。当業者は、様々な方法を使用して、説明した機能を具体的な適用ごとに実装してもよいが、その実装は本発明の範囲を超えるとは考えるべきではない。
【０１９３】
当業者であれば明確に理解できるであろうが、説明の便宜上および簡潔化のために、上記説明したシステム、装置およびユニットの具体的な動作過程は、前述した方法例の対応する過程を参照することができるため、ここでは説明を省略する。
【０１９４】
本発明によって提供される幾つかの実施例において、指摘するシステム、装置および方法は、他の形態でも実現できる。例えば、以上で説明した装置の実施例は単なる概略的なものであり、例えば、前記ユニットの区分は、単なるロジック機能の区分であって、実際に実現する際には別の区分方式が可能であり、例えば、複数のユニットまたはアセンブリは結合し、または他のシステムに集積でき、または幾つかの特徴は無視してもよく、または実行しないようにすることができる。また、表示または討論する相互間の結合、または直接結合、または通信接続は、幾つかのインターフェース、装置、またはユニットの間接結合、または通信接続によって接続でき、電気、機械、または他の形式であってもよい。
【０１９５】
分離部材として説明した前記ユニットは、物理的に分離しても、或いは分離しなくてもよく、ユニットとして表示する部材は、物理ユニットであっても、または物理ユニットでなくてもよく、すなわち同一の場所に位置することができ、または複数のネットワークユニットに配置することもできる。実際の必要に応じて、その一部または全てのユニットを選択して、本実施形態の手段の目的を実現することができる。
【０１９６】
その他、本発明の各実施例における各機能ユニットは、同一の処理ユニットに集積することができ、各ユニットは独立して物理的に実在することもでき、２つ、或いは２つ以上のユニットを１つのユニットに集積することもできる。
【０１９７】
前記機能は、ソフトウェア機能ユニットの形式で実現し、且つ独立した製品として販売または使用する際、１つのコンピュータ読み取り可能な記憶媒体に記憶させることができる。本発明の技術的解決手段は本質的に、従来技術に対する貢献部分を、または技術的解決手段の一部を、ソフトウェア製品の形式で示すことができるという理解に基づき、当該コンピュータソフトウェア製品は、１つの記憶媒体に記憶され、それは１台のコンピュータ機器（パーソナルコンピュータ、サーバ、またはネットワーク機器等）が、本発明の各実施例における方法のステップの全てまたは一部を実行するための複数のコマンドを含む。前述した記憶媒体は、ＵＳＢメモリ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクまたは光ディスク等のプロクラムコードを記憶できる種々の媒体を含む。
【０１９８】
以上に記述されたのは、本発明の具体的な実施形態だけであり、本発明の範囲はこれに限定されるものではなく、当業者であれば本発明に開示された技術的範囲内で、想到し得る変更または置換は、いずれも本発明の範囲に属する。従って、本発明の保護範囲は特許請求の保護範囲に準じるものとする。
【手続補正２】
【補正対象書類名】特許請求の範囲
【補正対象項目名】全文
【補正方法】変更
【補正の内容】
【特許請求の範囲】
【請求項１】
データの伝送方法であって、
第１の端末機器が前記データ伝送用の伝送帯域を指示するための、ネットワーク機器により送信された指示情報を受信するステップと、
前記第１の端末機器が、前記ネットワーク機器がブロードキャストした、伝送帯域と基本パラメータセットとの間の第１の対応関係を含む設定情報を受信するステップと、
前記第１の端末機器が前記伝送帯域、および伝送帯域と基本パラメータセットとの間の前記第１の対応関係に基づき、前記データ伝送用の基本パラメータセットを決定するステップと
前記第１の端末機器が前記基本パラメータセットに基づき、前記伝送帯域で前記ネットワーク機器へ前記データを送信し、或いは前記ネットワーク機器が送信した前記データを受信するステップと、
を含むことを特徴とするデータの伝送方法。
【請求項２】
前記設定情報はさらに、前記設定情報の持続時間を含むことを特徴とする請求項１に記載の方法。
【請求項３】
前記第１の対応関係は、アップリンクデータ伝送用の伝送帯域と基本パラメータセットとの間の対応関係、およびダウンリンクデータ伝送用の伝送帯域と基本パラメータセットとの間の対応関係の中の少なくとも一つを含むことを特徴とする請求項１または２に記載の方法。
【請求項４】
前記設定情報はさらに、基本パラメータセットとフィルタリング方式との間の第２の対応関係を含み、前記第１の端末機器が前記伝送帯域に基づき、前記データ伝送用の基本パラメータセットを決定した後、前記方法はさらに、
前記第１の端末機器が前記基本パラメータセット、および前記第２の対応関係に基づき、前記基本パラメータセットに対応するフィルタリング方式を決定するステップを含み、
前記第１の端末機器が前記基本パラメータセットに基づき、前記伝送帯域で前記ネットワーク機器へ前記データを送信し、或いは前記ネットワーク機器が送信した前記データを受信するステップは、
前記第１の端末機器が前記フィルタリング方式に基づいて前記データを処理して、前記基本パラメータセットに基づき、前記伝送帯域で前記ネットワーク機器へ処理済みの前記データを送信するステップ、または
前記第１の端末機器が前記基本パラメータセットに基づき、前記伝送帯域で前記ネットワーク機器が送信した前記データを受信して、前記フィルタリング方式に基づいて受信した前記データを処理するステップを含む、
ことを特徴とする請求項１から３のいずれか１項に記載の方法。
【請求項５】
前記フィルタリング方式は、ベースバンドフィルタのタイプ、前記ベースバンドフィルタのパラメータ、使用したフィルタリング波形および前記フィルタリング波形のパラメータのうちの少なくとも１種を含むことを特徴とする請求項４に記載の方法。
【請求項６】
前記指示情報は、複数の伝送帯域における前記伝送帯域の対応位置の情報を指示し、或いは前記伝送帯域の開始位置および終止位置を指示するために用いられることを特徴とする請求項１から５のいずれか１項に記載の方法。
【請求項７】
前記伝送帯域と前記ネットワーク機器が第２の端末機器に指示する伝送帯域との間は、保護帯域を含むことを特徴とする請求項１から６のいずれか１項に記載の方法。
【請求項８】
前記保護帯域の帯域幅は、前記ネットワーク機器がサポートする最小のサブキャリア間隔の整数倍であることを特徴とする請求項７に記載の方法。
【請求項９】
前記基本パラメータセットは、サブキャリア間隔、特定の帯域幅でのサブキャリア数、物理リソースブロック（ＰＲＢ）内のサブキャリア数、直交周波数分割多重（ＯＦＤＭ）シンボルの長さ、ＯＦＤＭ信号を生成するためのフーリエ変換例えば高速フーリエ変換（ＦＦＴ）または逆フーリエ変換例えば逆高速フーリエ変換（ＩＦＦＴ）の点数、伝送時間間隔ＴＴＩにおけるＯＦＤＭシンボル数、特定の時間長さ内に含まれるＴＴＩの個数および信号プレフィックスの長さの中の少なくとも一つを含むことを特徴とする請求項１から８のいずれか１項に記載の方法。
【請求項１０】
データの伝送方法であって、
ネットワーク機器が前記データ伝送用の伝送帯域を決定するステップと、
前記ネットワーク機器が伝送帯域と基本パラメータセットとの間の第１の対応関係を決定するステップと、
前記ネットワーク機器が前記第１の対応関係を含む設定情報をブロードキャストするステップと、
前記ネットワーク機器が第１の端末機器に、前記伝送帯域を指示することにより、前記第１の端末機器が前記伝送帯域と前記第１の対応関係に基づき、前記データ伝送用の基本パラメータセットを決定するための指示情報を送信するステップと、
前記ネットワーク機器が前記伝送帯域で前記第１の端末機器が送信した前記データを受信し、或いは前記第１の端末機器へ前記データを送信するステップと、
を含むことを特徴とするデータの伝送方法。
【請求項１１】
前記設定情報はさらに、前記設定情報の持続時間を含むことを特徴とする請求項１０に記載の方法。
【請求項１２】
前記第１の対応関係は、アップリンクデータ伝送用の伝送帯域と基本パラメータセットとの間の対応関係、およびダウンリンクデータ伝送用の伝送帯域と基本パラメータセットとの間の対応関係の中の少なくとも一つを含むことを特徴とする請求項１０または１１に記載の方法。
【請求項１３】
前記設定情報はさらに、基本パラメータセットとフィルタリング方式との間の第２の対応関係を含み、それにより前記第１の端末機器が前記第２の対応関係に基づき、前記データを処理するためのフィルタリング方式を決定し、
前記ネットワーク機器が前記設定情報をブロードキャストする前に、前記方法はさらに、
前記ネットワーク機器が前記第２の対応関係を決定することを含む、
ことを特徴とする請求項１０から１２のいずれか１項に記載の方法。
【請求項１４】
端末機器であって、
プロセッサとコマンドを記憶するメモリを含み、前記プロセッサは、前記コマンドを実行する時、請求項１〜９のいずれか１項に記載の方法を実行するように配置される、
ことを特徴とする端末機器。
【請求項１５】
ネットワーク機器であって、
プロセッサとコマンドを記憶するメモリを含み、前記プロセッサは、前記コマンドを実行する時、請求項１０〜１３のいずれか１項に記載の方法を実行するように配置される、
ことを特徴とするネットワーク機器。
【手続補正３】
【補正対象書類名】図面
【補正対象項目名】全図
【補正方法】変更
【補正の内容】
【図１】
2019530991.tif 000021
【図２】
2019530991.tif 000022
【図３】
2019530991.tif 000023
【図４】
2019530991.tif 000024
【図５】
2019530991.tif 000025
【図６】
2019530991.tif 000026
【図７】
2019530991.tif 000027
【図８】
2019530991.tif 000028
【図９】
2019530991.tif 000029
【図１０】
2019530991.tif 000030
【図１１】
2019530991.tif 000031
【図１２】
2019530991.tif 000032
【図１３】
2019530991.tif 000033
【図１４】
2019530991.tif 000034
【図１５】
2019530991.tif 000035
【図１６】
2019530991.tif 000036
【国際調査報告】
2019530991.tif 000037
2019530991.tif 000038
2019530991.tif 000039
2019530991.tif 000040
2019530991.tif 000041
2019530991.tif 000042